(57)【要約】【課題】  新たな手法を用いて確率変動状態および時短状態における遊技者の利益価値の低下を抑止可能な遊技機を提供する。【解決手段】  短縮変動と略同等の期間で左・中・右の装飾図柄各々を停止表示させるため、所定期間内にて装飾図柄および特別図柄の変動表示の実行回数を増加させることにより遊技者に所定の利益価値を付与する時短状態および確率変動状態において装飾図柄および特別図柄の変動表示の実行回数を減少させることなく変動表示を実行可能であり、時短状態および確率変動状態にて遊技者の利益価値低下を抑止できる。【選択図】      図４２
2006320654.tif 000002
【特許請求の範囲】
【請求項１】
所定条件が成立したことにもとづいて第１図柄情報の変動表示を開始し、所定期間経過後に当該第１図柄情報を停止表示させて所定の表示結果を導出する普通変動表示装置と、該普通変動表示装置の表示結果が予め定められた当選結果となったときに、遊技球が入賞しにくい第１の状態から遊技球が入賞しやすい第２の状態に変化可能な普通可変入賞装置と、複数の表示領域各々にて第２図柄情報の変動表示を開始し、所定期間経過後に当該第２図柄情報を停止表示させて所定の表示結果を導出可能な特別変動表示装置と、前記普通可変入賞装置へ遊技球が入賞したことにもとづいて前記第２図柄情報の表示結果を前記特定結果とするか否か判定する第２当落判定手段と、を備え、前記第２当落判定手段により前記第２図柄情報の表示結果を前記特定結果とする判定がなされたときに、前記特別変動表示装置に予め定められた特定結果を表示し、遊技者に利益を付与する利益付与状態に制御する遊技機であって、
予め定められた特殊条件が成立したことにもとづいて前記利益付与状態終了後に特殊状態に制御する特殊状態制御手段と、
前記所定条件が成立したことにもとづいて前記第１図柄情報の表示結果を前記当選結果とするか否か判定する第１当落判定手段と、
前記第１当落判定手段による判定結果にもとづき、通常状態にて第１図柄情報を第１期間に亘って変動表示した後に当該第１図柄情報を停止表示させ、前記特殊状態にて第１図柄情報を前記第１期間よりも短い第２期間に亘って変動表示した後に当該第１図柄情報を停止表示させる第１変動表示制御手段と、
前記特別変動表示装置にて前記第２図柄情報の変動表示を開始してから当該第２図柄情報を停止表示させるまでの変動時間を含む複数種類の変動情報を記憶する変動情報記憶手段と、
前記第２当落判定手段の判定結果にもとづいて、前記複数種類の変動情報のうちいずれか１つの変動情報を選択決定する変動情報選択決定手段と、
該変動情報選択決定手段により選択決定された変動情報にもとづいて前記特別変動表示装置にて前記第２図柄情報の変動表示を行った後、前記第２当落判定手段の判定結果に応じた表示結果で前記第２図柄情報を停止表示させて表示結果を導出する第２変動表示制御手段と、を備え、
前記変動情報記憶手段に記憶される前記複数種類の変動情報は、前記通常状態にのみ前記変動情報選択決定手段により選択決定され得る通常変動情報と、前記特殊状態にのみ前記変動情報選択決定手段により選択決定され得る短縮変動情報と、を含み、
前記第２変動表示制御手段は、前記変動情報選択決定手段により前記通常変動情報に選択決定されたときに前記複数の表示領域各々にて前記第２図柄情報の変動表示を開始して予め定められた通常期間経過後に複数の表示領域各々にて変動表示する第２図柄情報を順次停止表示させる一方、前記変動情報選択決定手段により前記短縮変動情報に選択決定されたときに前記複数の表示領域各々にて前記第２図柄情報の変動表示を開始して前記通常期間よりも短いかまたは同等の短縮期間経過後に前記複数の表示領域各々にて変動表示する第２図柄情報を略同時に停止表示させ、前記変動情報選択決定手段により前記短縮変動情報のうち特別短縮変動情報に選択決定されたときに遊技者に対するメッセージを示す視覚情報を表示制御することを特徴とする遊技機。
【発明の詳細な説明】
【技術分野】
【０００１】
本発明は、所定条件が成立したことにもとづいて第１図柄情報の変動表示を開始し、所定期間経過後に当該第１図柄情報を停止表示させて所定の表示結果を導出する普通変動表示装置と、該普通変動表示装置の表示結果が予め定められた当選結果となったときに、遊技球が入賞しにくい第１の状態から遊技球が入賞しやすい第２の状態に変化可能な普通可変入賞装置と、複数の表示領域各々にて第２図柄情報の変動表示を開始し、所定期間経過後に当該第２図柄情報を停止表示させて所定の表示結果を導出可能な特別変動表示装置と、前記普通可変入賞装置へ遊技球が入賞したことにもとづいて前記第２図柄情報の表示結果を前記特定結果とするか否か判定する第２当落判定手段と、を備え、前記第２当落判定手段により前記第２図柄情報の表示結果を前記特定結果とする判定がなされたときに、前記特別変動表示装置に予め定められた特定結果を表示し、遊技者に利益を付与する利益付与状態に制御する遊技機に関するものである。
【背景技術】
【０００２】
従来、遊技媒体としての遊技球を遊技領域に打ち込むことにより遊技を行い、遊技球が始動口に入賞したことにもとづいて表示装置にて図柄の変動表示を行って所定期間経過後に図柄を停止表示する遊技機がある。この種の遊技機では、表示装置に停止表示される図柄が特定結果となったときに大当り遊技状態に制御して遊技者に利益を付与する。大当り遊技状態に制御する場合には、通常、リーチ態様を形成してリーチ演出を実行した後に特定結果を導出する。また、大当り遊技状態に制御するときに所定の条件が成立していれば、大当り遊技状態終了後に通常状態よりも遊技者に対する利益価値が高い確率変動状態や時短状態に制御する。一方、大当り遊技状態に制御するときに所定の条件が成立していなければ、確率変動状態および時短状態とは異なる通常状態に制御する。
【０００３】
通常状態では、リーチ態様を形成することなく特定結果とは異なるはずれ図柄を導出するときに通常変動を実行する。一方、確率変動状態および時短状態では、リーチ態様を形成することなくはずれ図柄を導出するときに通常変動よりも図柄の変動表示の実行期間（変動時間）が短い短縮変動を実行する。すなわち、確率変動状態および時短状態では、通常状態に比べて所定期間内に実行される変動表示の実行回数を多くすることで遊技者に所定の利益価値を付与する。ところが、確率変動状態および時短状態にて短縮変動が行われても特定結果が導出されないため、遊技者はリーチ態様が形成されるか否かに注目しつつ遊技を行う。
【０００４】
通常、リーチ態様が形成されたときに実行されるリーチ演出では演出時間が比較的長く設定されている。また、リーチ演出の実行中には次の変動表示を開始することができないため、確率変動状態および時短状態にてリーチ態様を形成してリーチ演出を実行することにより所定期間内における変動表示の実行回数が減少し、遊技者に付与されるべき利益価値が低下してしまう。
【０００５】
このような遊技機において、確率変動状態および時短状態にてリーチ態様を形成してはずれ図柄を導出する変動表示が実行される割合を、通常状態にてリーチ態様を形成してはずれ図柄を導出する変動表示が実行される割合よりも低くすることにより遊技者に付与されるべき利益価値の低下を抑止するものが提案されている（例えば、特許文献１参照）。
【特許文献１】特開２００１−１２０７７３
【発明の開示】
【発明が解決しようとする課題】
【０００６】
このように、確率変動状態および時短状態にて遊技者の利益価値の低下を抑止できる遊技機は提案されている。本発明では、新たな手法を用いて確率変動状態および時短状態における遊技者の利益価値の低下を抑止可能な遊技機を提供することにある。
【課題を解決するための手段】
【０００７】
（解決手段１）
上記目的を達成するために、本発明の遊技機は、所定条件が成立（例えば、ゲート５８を遊技球が通過）したことにもとづいて第１図柄情報（例えば、普通図柄）の変動表示を開始し、所定期間経過後に当該第１図柄情報を停止表示させて所定の表示結果（例えば、ＬＥＤの赤色または緑色の点灯表示）を導出する普通変動表示装置（例えば、普通図柄表示器１４４）と、該普通変動表示装置の表示結果が予め定められた当選結果（例えば、ＬＥＤの赤色の点灯表示）となったときに、遊技球が入賞しにくい第１の状態（例えば、入球装置５６の閉塞状態）から遊技球が入賞しやすい第２の状態（例えば、入球装置５６の開放状態）に変化可能な普通可変入賞装置（例えば、入球装置５６）と、複数の表示領域（例えば、左装飾図柄、中装飾図柄および右装飾図柄が表示される液晶表示装置５０の領域）各々にて第２図柄情報（例えば、左装飾図柄、中装飾図柄および右装飾図柄）の変動表示を開始し、所定期間経過後に当該第２図柄情報を停止表示させて所定の表示結果を導出可能な特別変動表示装置（例えば、液晶表示装置５０）と、前記普通可変入賞装置へ遊技球が入賞した（例えば、処理選択フラグが「０」の状態となった）ことにもとづいて前記第２図柄情報の表示結果を前記特定結果とするか否か判定する第２当落判定手段（例えば、ＣＰＵ１０２の機能であって、大当り判定処理を実行する部分）と、を備え、前記第２当落判定手段により前記第２図柄情報の表示結果を前記特定結果とする判定がなされたときに、前記特別変動表示装置に予め定められた特定結果（例えば、大当り図柄）を表示し、遊技者に利益を付与する利益付与状態（例えば、大当り遊技状態）に制御する遊技機（例えば、パチンコ機１）であって、予め定められた特殊条件が成立した（例えば、確変大当り図柄および／または非確変大当り図柄が停止表示した）ことにもとづいて前記利益付与状態終了後に特殊状態（例えば、確率変動状態および／または時短状態）に制御する特殊状態制御手段（例えば、ＣＰＵ１０２の機能であって、大当り判定処理のステップＳ５７で確変状態フラグをＯＮし、大当り遊技中処理にて大当り遊技状態を終了するときに確変状態フラグがＯＮしていれば確変状態フラグをＯＦＦして確変フラグをＯＮする部分）と、前記所定条件が成立したことにもとづいて前記第１図柄情報の表示結果を前記当選結果とするか否か判定する第１当落判定手段（例えば、ＣＰＵ１０２の機能であって、普通図柄遊技にて普通図柄当り判定乱数にもとづいて普通図柄の表示結果を当りとするか否か判定する部分）と、該第１当落判定手段による判定結果にもとづき、通常状態（例えば、通常状態）にて第１図柄情報を第１期間（例えば、３０秒）に亘って変動表示した後に当該第１図柄情報を停止表示させ、前記特殊状態にて第１図柄情報を前記第１期間よりも短い第２期間（例えば、２秒）に亘って変動表示した後に当該第１図柄情報を停止表示させる第１変動表示制御手段（例えば、ＣＰＵ１０２の機能であって、普通図柄遊技にて普通図柄表示器１４４を表示制御する部分）と、前記特別変動表示装置にて前記第２図柄情報の変動表示を開始してから当該第２図柄情報を停止表示させるまでの変動時間（例えば、変動時間）を含む複数種類の変動情報（例えば、変動表示パターン）を記憶する変動情報記憶手段（例えば、ＲＯＭ１０３）と、前記第２当落判定手段の判定結果にもとづいて、前記複数種類の変動情報のうちいずれか１つの変動情報を選択決定する変動情報選択決定手段（例えば、ＣＰＵ１０２の機能であって、変動表示パターン設定処理を実行する部分）と、該変動情報選択決定手段により選択決定された変動情報にもとづいて前記特別変動表示装置にて前記第２図柄情報の変動表示を行った後、前記第２当落判定手段の判定結果に応じた表示結果で前記第２図柄情報を停止表示させて表示結果を導出する第２変動表示制御手段（例えば、ＣＰＵ１０２により変動表示パターンコマンドをサブ統合基板１１１に送信し、受信した変動表示パターンコマンドにもとづいて統合ＣＰＵ１１２および表示ＣＰＵ１２１により液晶表示装置５０を表示制御する部分）と、を備え、前記変動情報記憶手段に記憶される前記複数種類の変動情報は、前記通常状態にのみ前記変動情報選択決定手段により選択決定され得る通常変動情報（例えば、変動番号１の「通常変動」の変動表示パターン）と、前記特殊状態にのみ前記変動情報選択決定手段により選択決定され得る短縮変動情報（例えば、変動番号２４の「短縮変動」の変動表示パターンおよび変動番号４７の「カウントダウン当り」の変動表示パターン）と、を含み、前記第２変動表示制御手段は、前記変動情報選択決定手段により前記通常変動情報に選択決定されたときに前記複数の表示領域各々にて前記第２図柄情報の変動表示を開始して予め定められた通常期間（例えば、約１２秒）経過後に複数の表示領域各々にて変動表示する第２図柄情報を順次停止表示させる一方、前記変動情報選択決定手段により前記短縮変動情報に選択決定されたときに前記複数の表示領域各々にて前記第２図柄情報の変動表示を開始して前記通常期間よりも短いかまたは同等の短縮期間（例えば、４秒）経過後に前記複数の表示領域各々にて変動表示する第２図柄情報を略同時に停止表示させ、前記変動情報選択決定手段により前記短縮変動情報のうち特別短縮変動情報（例えば、変動番号４７の「カウントダウン当り」の変動表示パターン）に選択決定されたときに遊技者に対するメッセージ（例えば、文字、キャラクタ等により示される情報）を示す視覚情報（例えば、停止時機報知表示５１ｃ）を表示制御することを特徴とする。
【０００８】
この場合、特殊状態で特別短縮変動情報に選択決定されたときに遊技者に対するメッセージを示す視覚情報を表示制御するとともに、通常期間よりも短いかまたは同等の短縮期間経過後に複数の表示領域各々にて変動表示する第２図柄情報を略同時に停止表示させるため、視覚情報により示されるメッセージを把握することができ、視覚情報が表示されたときに特別変動表示装置に注目させることができる。また、視覚情報を表示して複数の表示領域各々にて変動表示する第２図柄情報を略同時に停止表示させるという意外性のある演出を実行することにより遊技者にインパクトを与えることができ、遊技に対する興趣の低下を抑制できる。さらに、短縮変動情報のうち特別短縮変動情報以外の変動情報に選択決定された場合にも視覚情報の表出に対する期待感を抱かせることができるため、特殊状態における特別短縮変動情報以外の短縮変動情報においても特別変動表示装置に注目させることができ、遊技に対する興趣の低下を抑制できる。さらに、通常期間よりも短いかまたは同等の短縮期間経過後に複数の表示領域各々にて変動表示する第２図柄情報を略同時に停止表示させるため、所定期間内における変動表示の実行回数が減少することを防止でき、遊技者に付与されるべき利益価値が低下することを抑止可能である。
（解決手段２）
前記第２変動表示制御手段は、前記変動情報選択決定手段により前記通常変動情報に選択決定されたとき、前記第２図柄情報を識別不能な変動表示（例えば、高速で変動表示、装飾図柄を半透明表示、等）を実行した後、当該第２図柄情報を識別可能な変動表示（例えば、低速で変動表示、装飾図柄を不透明表示、スクロール表示、コマ送り、等）を実行して当該第２図柄情報を停止表示する一方、前記変動情報選択決定手段により前記特別短縮変動情報に選択決定されたとき、前記第２図柄情報を識別不能な変動表示を実行し、当該第２図柄情報を識別可能な変動表示を実行することなく当該第２図柄情報を停止表示することを特徴とする解決手段１記載の遊技機。
【０００９】
この場合、特別短縮変動情報が実行されたときには、第２図柄情報が停止表示するまで第２図柄情報が識別不能な変動表示が実行されるため、停止表示される第２図柄情報を予測することが困難になる。また、第２図柄情報が識別不能な変動表示を実行中に突然停止表示させるという意外性のある演出を実行するため、遊技者にインパクトを与えることができ、遊技に対する興趣の低下を抑制できる。
（解決手段３）
前記変動情報選択決定手段により前記特別短縮変動情報に選択決定されたとき、前記第２変動表示制御手段は、前記第２図柄情報の変動表示を開始して、遊技者が識別可能な状態でリーチ態様を形成することなく前記第２図柄情報を停止表示させる（例えば、変動表示する左・中・右の装飾図柄５０ａ，５０ｂ，５０ｃが停止表示されるまでは装飾図柄が識別不能であり、略同時に停止表示させるため、リーチ態様となったか否かを判別不能となる）ことを特徴とする解決手段１または解決手段２に記載の遊技機。
【００１０】
この場合、遊技者に視認可能な状態でリーチ態様を形成することなく第２図柄情報を停止表示させるため、遊技者に停止される第２図柄情報を予測させることなく第２図柄情報を停止表示させることができ、第２図柄情報の停止表示まで特別変動表示装置に注目させることができる。
（解決手段４）
前記第２変動表示制御手段は、前記変動情報選択決定手段により前記特別短縮変動情報に選択決定されたときに、前記複数の表示領域各々にて前記第２図柄情報の変動表示を開始して前記視覚情報を表示制御した後、前記複数の表示領域各々にて変動表示する第２図柄情報を予め定められた所定の順序で短期間（例えば、０．５秒以下）に連続して停止表示させることを特徴とする解決手段１乃至解決手段３のいずれかに記載の遊技機。
【００１１】
この場合、視覚情報を表示した後に第２図柄情報を停止表示させるため、視覚情報と第２図柄情報とを異なるタイミングで注目させることができ、両方が同時に実行されたときにいずれを視認すればよいのかわからずに遊技者が混乱してしまうことを防止できる。また、視覚情報を表示した後に複数の表示領域各々にて変動表示される第２図柄情報を所定の順序で短期間に連続して停止表示させるという意外性のある演出を実行するため、遊技者にインパクトを与えることができ、遊技に対する興趣の低下を抑制できる。
（解決手段５）
前記第２変動表示制御手段は、前記変動情報選択決定手段により前記特別短縮変動情報に選択決定されたときに、前記複数の表示領域各々にて前記第２図柄情報の変動表示を開始して前記視覚情報を表示制御した後、前記複数の表示領域各々にて変動表示する第２図柄情報を同時に停止表示させる（例えば、停止時機報知表示５０ｃを表示制御した後に左・中・右の装飾図柄５０ａ，５０ｂ，５０ｃ各々を同時に停止表示させる：停止時機報知表示５０ｃを表示制御した後に左・中・右の装飾図柄５０ａ，５０ｂ，５０ｃ各々を完全に同一のタイミングで停止表示させる）ことを特徴とする解決手段１乃至解決手段３のいずれかに記載の遊技機。
【００１２】
この場合、視覚情報を表示した後に第２図柄情報を停止表示させるため、視覚情報と第２図柄情報とを異なるタイミングで注目させることができ、両方が同時に実行されたときにいずれを視認すればよいのかわからずに遊技者が混乱してしまうことを防止できる。また、視覚情報を表示した後に複数の表示領域各々にて変動表示される第２図柄情報を同時に停止表示させるという意外性のある演出を実行するため、遊技者にインパクトを与えることができ、遊技に対する興趣の低下を抑制できる。
（解決手段６）
前記特別短縮変動情報には、前記第２当落判定手段により前記第２図柄情報の表示結果を前記特定結果とする判定がなされたときに前記変動情報選択決定手段により選択決定され得る特別当選短縮変動情報（例えば、変動番号４７の「カウントダウン当り」の変動表示パターン）と、前記第２当落判定手段により前記第２図柄情報の表示結果を前記特定結果としない判定がなされたときに前記変動情報選択決定手段により選択決定され得る特別落選短縮変動情報（例えば、「カウントダウンはずれ」および／または「カウントダウンリーチはずれ」の変動表示パターン）と、を含むことを特徴とする解決手段５に記載の遊技機。
【００１３】
この場合、視覚情報が表示された後に第２図柄情報がいずれの表示結果で停止表示されるのかを把握することが困難であるため、特別変動表示装置にさらに注目させることができ、遊技者に対する興趣の低下を抑制できる。
（解決手段７）
前記特別短縮変動情報は、前記第２当落判定手段により前記第２図柄情報の表示結果を前記特定結果とする判定がなされたときに前記変動情報選択決定手段により選択決定され得る変動情報（例えば、変動番号４７の「カウントダウン当り」の変動表示パターン）であることを特徴とする解決手段５記載の遊技機。
【００１４】
この場合、視覚情報が表示された後に第２図柄情報を特定結果で停止表示させるため、視覚情報が表示されたときに利益付与状態に制御されることを把握でき、遊技者に至福感をもたらすことができる。
（解決手段８）
前記視覚情報は、前記第２図柄情報の表示結果（例えば、大当り図柄であるか否か）を告知するメッセージ（例えば、「大当りゲット！」、「大当り確定！」等のメッセージ）であることを特徴とする解決手段１乃至解決手段７のいずれかに記載の遊技機。
【００１５】
この場合、視覚情報により第２図柄情報の表示結果を告知するため、視覚情報の表出に対する期待感を抱かせることができる。また、短縮変動情報のうち特別短縮変動情報以外の変動情報に選択決定された場合にも視覚情報の表出に対する期待感を抱かせることができるため、特殊状態における特別短縮変動情報以外の短縮変動情報においても特別変動表示装置に注目させることができ、遊技に対する興趣の低下を抑制できる。
（解決手段９）
前記視覚情報は、前記第２図柄情報の停止表示タイミング（例えば、左・中・右の装飾図柄５０ａ，５０ｂ，５０ｃ各々を停止表示させるまでのタイミング）を告知するメッセージ（例えば、「３」、「２」、「１」等の文字情報や、爆弾が爆発する態様を示す画像情報等）であることを特徴とする解決手段１乃至解決手段７のいずれかに記載の遊技機。
【００１６】
この場合、視覚情報により第２図柄情報の停止表示タイミングを告知するため、第２図柄情報を停止表示させる時機を把握することができ、第２図柄情報の停止表示タイミングが表示制御されたときに特別変動表示装置に注目させることができる。また、短縮変動情報のうち特別短縮変動情報以外の変動情報に選択決定された場合にも視覚情報の表出に対する期待感を抱かせることができるため、特殊状態における特別短縮変動情報以外の短縮変動情報においても特別変動表示装置に注目させることができ、遊技に対する興趣の低下を抑制できる。
（解決手段１０）
前記第２変動表示制御手段は、前記変動情報選択決定手段により前記特別短縮変動情報に選択決定されたときに、前記複数の表示領域各々にて前記第２図柄情報の変動表示を開始してからの経過時間が予め定められた第１表示期間となったときに所定期間に亘って前記視覚情報として当該第２図柄情報の停止表示タイミングを示す第１メッセージ（例えば、停止時機報知表示５０ｃとしての「３」等の文字情報や、爆弾等の画像情報等）を表示制御し、前記経過時間が予め定められた第２表示期間となったときに所定期間に亘って前記第１メッセージとは異なる第２メッセージ（例えば、停止時機報知表示５０ｃとしての「１」等の文字情報や、爆弾が爆発する態様を示す画像情報等）に切り換えて表示制御することを特徴とする解決手段１乃至解決手段７のいずれかに記載の遊技機。
【００１７】
この場合、第２図柄情報の停止表示タイミングを告知するため、第２図柄情報を停止表示させる時機を把握することができ、第２図柄情報の停止表示タイミングが表示制御されたときに特別変動表示装置に注目させることができる。また、第２図柄情報の変動表示を開始してからの経過時間が第１表示期間となったときに第１メッセージを表示制御し、経過時間が第２表示期間となったときに第２メッセージを表示制御するため、第２図柄情報の停止表示タイミングの推移を時系列的に把握することが可能となり、停止表示タイミングの推移に応じて遊技者の利益付与状態に対する期待感を徐々に高めることができ、遊技に対する興趣の低下を抑制できる。また、短縮変動情報のうち特別短縮変動情報以外の変動情報に選択決定された場合にも視覚情報の表出に対する期待感を抱かせることができるため、特殊状態における特別短縮変動情報以外の短縮変動情報においても特別変動表示装置に注目させることができ、遊技に対する興趣の低下を抑制できる。
（解決手段１１）
前記特別変動表示装置は、前記第２図柄情報を含む複数種類の画像データを所定の優先順位（例えば、左・中・右の装飾図柄５０ａ，５０ｂ，５０ｃを上位、背景画像５１ａを下位）で合成して表示制御し（例えば、左・中・右の装飾図柄５０ａ，５０ｂ，５０ｃの優先順位を上位に、背景画像５１ａの優先順位を下位にして合成して表示するレイヤ表示を行い）、前記第２変動表示制御手段は、前記変動情報選択決定手段により前記特別短縮変動情報に選択決定されたときに、前記第２図柄情報の画像データよりも優先順位が低い画像データの第２図柄情報と重なる領域が視認可能な態様で当該第２図柄情報を変動表示した後、前記第２図柄情報と重なる領域が視認不能な態様で当該第２図柄情報を停止表示する（例えば、液晶表示装置５０にて変動表示される左・中・右の装飾図柄５０ａ，５０ｂ，５０ｃを高速で変動表示させて、左・中・右の装飾図柄５０ａ，５０ｂ，５０ｃよりも優先順位が下位の態様（この場合には、背景画像５１ａ）を透視でき、左・中・右の装飾図柄５０ａ，５０ｂ，５０ｃの下位にて、左・中・右の装飾図柄５０ａ，５０ｂ，５０ｃと重なって所定の演出表示を実行した場合であっても当該演出表示を視認可能であり、さらに、左・中・右の装飾図柄５０ａ，５０ｂ，５０ｃを半透明表示することで、左・中・右の装飾図柄５０ａ，５０ｂ，５０ｃよりも優先順位が下位の表示が視認可能となる）ことを特徴とする解決手段２乃至解決手段１０のいずれかに記載の遊技機。
【００１８】
この場合、第２図柄情報よりも優先順位が低い画像データの第２図柄情報と重なる領域が視認可能な態様で第２図柄情報を変動表示した後、第２図柄情報と重なる領域が視認不能な態様で第２図柄情報を停止表示するため、変動表示している第２図柄情報を視認することが困難になる。そのため、停止表示される第２図柄情報を予測することが困難になり、特別変動表示装置にさらに注目させることができ、遊技に対する興趣の低下を抑制できる。
（解決手段１２）
前記第２変動表示制御手段は、前記第２図柄情報の変動表示を開始したときに当該第２図柄情報を半透明表示（例えば、左・中・右の装飾図柄５０ａ，５０ｂ，５０ｃよりも優先順位が下位の表示が透視できるような態様）し、当該第２図柄情報を停止表示するときに当該第２図柄情報を不透明表示（例えば、左・中・右の装飾図柄５０ａ，５０ｂ，５０ｃよりも優先順位が下位の表示が透視できない態様）することを特徴とする解決手段１１記載の遊技機。
【００１９】
この場合、第２図柄情報の変動表示を開始したときに第２図柄情報を半透明表示し、第２図柄情報を停止表示するときに第２図柄情報を不透明表示するため、変動表示している第２図柄情報を視認することが困難になる。そのため、停止表示される第２図柄情報を予測することが困難になり、特別変動表示装置にさらに注目させることができ、遊技に対する興趣の低下を抑制できる。
（解決手段１３）
前記第２変動表示制御手段は、前記変動情報選択決定手段により前記通常変動情報に選択決定されたとき、前記第２図柄情報を高速で変動表示した後、当該第２図柄情報を低速で変動表示して停止表示させる一方、前記変動情報選択決定手段により前記特別短縮変動情報に選択決定されたとき、前記第２図柄情報を高速で変動表示させた後、当該第２図柄情報を低速で変動表示することなく停止表示させることを特徴とする解決手段１１記載の遊技機。
【００２０】
この場合、特別短縮変動情報に選択決定されたときに第２図柄情報の変動表示を開始して第２図柄情報を停止表示するまでは第２図柄情報を高速で変動表示させるため、変動表示している第２図柄情報を視認することが困難になる。そのため、停止表示される第２図柄情報を予測することが困難になり、特別変動表示装置にさらに注目させることができ、遊技に対する興趣の低下を抑制できる。
（解決手段１４）
所定の音出力を実行する音出力手段（例えば、低音用スピーカ１４および／またはスピーカ３６）と、該音出力手段の音出力制御を行う音出力制御手段（例えば、統合ＣＰＵ１１２の機能であって、音制御処理でスケジューラにもとづいて低音用スピーカ１４および／またはスピーカ３６を制御する部分）と、該音出力制御手段により前記音出力手段にて実行される音出力態様を複数種類記憶する音出力態様記憶手段（例えば、音ＲＯＭ１２７）と、をさらに備え、前記音出力制御手段は、前記視覚情報が表示制御されたときに、所定期間（例えば、０．１秒）に亘って所定の音出力制御（例えば、「ピッ」等）を実行することを特徴とする解決手段１乃至解決手段１３のいずれかに記載の遊技機。
【００２１】
この場合、視覚情報が表示されたときに所定期間に亘って所定の音出力制御を実行するため、特別変動表示装置を視認していない遊技者に視覚情報が表示されたことを認識させることができる。そして、所定の音出力制御が実行されたときに特別変動表示装置に注目させることができ、利益付与状態に対する期待感を向上させることができるため、遊技に対する興趣の低下を抑制できる。
（解決手段１５）
所定の音出力を実行する音出力手段（例えば、低音用スピーカ１４および／またはスピーカ３６）と、該音出力手段の音出力制御を行う音出力制御手段（例えば、統合ＣＰＵ１１２の機能であって、音制御処理でスケジューラにもとづいて低音用スピーカ１４および／またはスピーカ３６を制御する部分）と、該音出力制御手段により前記音出力手段にて実行される音出力態様を複数種類記憶する音出力態様記憶手段（例えば、音ＲＯＭ１２７）と、をさらに備え、前記音出力態様記憶手段は、予め定められた第１音出力態様（例えば、「参」、「ＴＨＲＥＥ」等）と、該第１音出力態様とは異なる第２音出力態様（例えば、「壱」、「ＯＮＥ」等）と、を含み、前記音出力制御手段は、前記第２変動表示制御手段により前記第１メッセージが表示制御されたときに前記第１音出力態様で前記音出力手段を音出力制御し、前記第２変動表示制御手段により前記第２メッセージが表示制御されたときに前記第２音出力態様で前記音出力手段を音出力制御することを特徴とする解決手段１０乃至解決手段１４のいずれかに記載の遊技機。
【００２２】
この場合、第１メッセージが表示制御されたときに第１音出力態様で音出力制御し、第２メッセージが表示制御されたときに第２音出力態様で音出力制御するため、音出力態様によっても停止表示タイミングの推移を時系列的に把握することが可能となり、停止表示タイミングの推移に応じて遊技者の利益付与状態に対する期待感を徐々に高めることができ、遊技に対する興趣の低下を抑制できる。
【発明の効果】
【００２３】
本発明の構成によれば、確率変動状態および時短状態における遊技者の利益価値の低下を抑止可能な遊技機を提供することができる。
【発明を実施するための最良の形態】
【００２４】
以下、図面を参照して本発明の好適な実施形態について説明する。なお、本実施形態では、遊技機として、パチンコ機１について説明するが、本発明の遊技機はこれに限らず、「ぱちんこ遊技機」、「回動式遊技機」、「アレンジボール遊技機」、「じやん球遊技機」等であってもよい。図１および図２は、一実施形態となるパチンコ機１の構成を具体的に示している。パチンコ機１は枠体および遊技盤４から構成され、枠体には外枠２をはじめ本体枠３、前面枠５等が含まれている。このうち外枠２は、上下左右の木枠材を矩形に組み合わせて構成されており、その前側下部には、本体枠３の下面を受けるための下受板６が備えられている。外枠２の左側縁部には、ヒンジ機構７を介して本体枠３の左側端部が連結されており、図２に示されているように、本体枠３は外枠２の手前側にて開閉可能となっている。この本体枠３は、前枠体８と遊技盤装着枠９、機構装着枠１０を合成樹脂材によって一体成形することで構成されている。このうち前枠体８は、本体枠３の前面側に位置して形成されており、その外形は、下受板６を除く外枠２の外郭形状に合致する大きさを有している。
【００２５】
遊技盤装着枠９は前枠体８の後部に一体的に形成されており、この遊技盤装着枠９には遊技盤４が前方から嵌め込むようにして装着されている。遊技盤４もまたヒンジ機構２５を介して本体枠３より前面側へ開閉可能となっており、この開閉動作に伴って遊技盤４は本体枠３に対して着脱可能となっている。遊技盤装着枠９のうち、遊技盤４が嵌め込まれる部位の下開口縁部にキャッチロック９ａ（いわゆる「パチン錠」）が設けられている。図示のように、遊技盤装着枠９に遊技盤４が嵌め込まれた状態でキャッチロック９ａが締め付けられると、遊技盤４が下方に強く押し付けられるようにして遊技盤装着枠９に固定される。
【００２６】
また、遊技盤４の右上隅部と右下隅部にはそれぞれロック部材４ｃが取り付けられている。ロック部材４ｃは遊技盤４の幅方向に細長く延びたプレート形状をなしており、その先端部は遊技盤４から右側方に突き出た状態で遊技盤４を遊技盤装着枠９に対して係止する爪の働きをする。すなわち、ロック部材４ｃはその先端部分が遊技盤４の右側端から側方に突出した突出位置か、もしくは遊技盤４の右側端から内側（中心方向）に引っ込んだ引込位置のいずれかで遊技盤４に係止される。
【００２７】
一方、図２には示されていないが、遊技盤装着枠９の内縁には上下のロック部材４ｃにそれぞれ対応する位置に係止穴が形成されている。このため遊技盤４を遊技盤装着枠９に嵌め込んだ状態で、上下のロック部材４ｃをそれぞれ突出位置で係止させれば、その先端部が係止穴に入り込んだ状態で遊技盤４を遊技盤装着枠９に係止し、その前方への脱落を防止する。逆に、上下のロック部材４ｃを突出位置から退出させて遊技盤装着枠９との係止を解除すれば、遊技盤４を遊技盤装着枠９から容易に取り外すことができる。
【００２８】
遊技盤４の盤面（前面）には、環状に成形された案内レール１１が設けられており、この案内レール１１は外レールと内レールとから構成されている。そして遊技盤４の盤面には、案内レール１１の内側にほぼ円形状の遊技領域１２が区画して形成されている。なお、遊技領域１２内の構成（盤面構成）については後述する。
【００２９】
前枠体８の左下隅の位置には、装着板１３を介して低音用スピーカ１４が内蔵されている。また、前枠体８の右下隅の位置には発射レール１５が設けられており、この発射レール１５は遊技盤４の発射通路に向けて遊技球を導く役割を果たしている。そして前枠体８には、発射レール１５や低音用スピーカ１４よりも下方の位置に下前面部材１６が装着されている。この下前面部材１６のほぼ中央位置に下皿１７が形成されており、さらにその右側位置に発射ハンドル１８が設けられている。
【００３０】
図２に一部が示されているように、本体枠３（前枠体８）の右側端部には、その裏面側に施錠装置１９が装着されている。この施錠装置１９は、外枠２に対して本体枠３全体を施錠したり、あるいは、本体枠３に対して前面枠５を施錠したりする機能を備えている。施錠装置１９は２種類の枠施錠ラッチ２１および扉施錠ラッチ２３を有しており、このうち一方の枠施錠ラッチ２１は外枠２の閉止具２０に対応している。例えば、図２に示されている状態から本体枠３を外枠２に対して押し込むと、上下で２つの枠施錠ラッチ２１がそれぞれ対応する閉止具２０に係合し、これにより本体枠３が外枠２に施錠された状態で固定される。
【００３１】
もう一方の扉施錠ラッチ２３は、前面枠５の後面に設けられた閉止具２２に対応しており、例えば図２に示されている状態から前面枠５を本体枠３に対して押し込むと、上下で３つの扉施錠ラッチ２３がそれぞれ対応する閉止具２２に係合し、これにより前面枠５が本体枠３に施錠された状態で固定される。
【００３２】
施錠装置１９はまたシリンダー錠２４を有しており、本体枠３および前面枠５が閉止された状態で、例えばホールの管理者・従業員がシリンダー錠２４の鍵穴に専用の鍵を挿入して一方向に回すと、枠施錠ラッチ２１と外枠２の閉止具２０との係合が解除されて本体枠３が解錠される。また、これとは逆方向に鍵を回すと、扉施錠ラッチ２３と前面枠５の閉止具２２との係合が解除されて前面枠５が解錠されるようになっている。なお、シリンダー錠２４の前端部は、前枠体８および下前面部材１６を貫通して下前面部材１６の前面に露出しているため、パチンコ機１の前方から鍵を挿入して解錠操作を容易に行うことができるものとなっている。
【００３３】
なお、本実施形態では、時計回り方向に鍵を回動操作（捻り操作）することで外枠２に対して本体枠３が解錠され、反時計回り方向に鍵を回動操作（捻り操作）することで本体枠３に対して前面枠５が解錠される。このように、鍵の回動操作の方向を異ならせるだけで、本体枠３または前面枠５のいずれかを解錠させることができる。また、施錠装置１９は、本体枠３が閉塞状態にて施錠されたときに、鍵以外のものを用いた外部操作によって枠施錠ラッチ２１と外枠２の閉止具２０との係合が解除されないように枠施錠ラッチ２１の変位をロックするロック機構をさらに備えている。
【００３４】
これにより、本体枠３が閉塞状態で施錠されたときは、ロック機構により枠施錠ラッチ２１がロックされる。また本体枠３（全面枠８）には、枠施錠ラッチ２１よりも外枠２と本体枠３（前面枠８）との間隙に近い側（図２でみて右側方）にリブが突設して形成されており、不正行為を意図した遊技者等が外枠２と本体枠３（前面枠８）との間隙から針金等を差し込んで直接枠施錠ラッチ２１を操作しようとしても、その針金等はリブに当接し、それ以上の進入を阻まれる。したがって、外枠２と本体枠３（前面枠３）との間隙から針金等を用いて本体枠３を不正に解錠するような行為を抑止することができる。
【００３５】
前面枠５はガラス枠やガラス扉とも称され、この前面枠５はヒンジ機構２５を介して本体枠３の前面側に開閉可能に装着されている。前面枠５は、その裏側に扉本体フレーム２６を有するほか、前側に枠ランプ２７（サイド装飾装置）や上皿２８、音響電飾装置２９を備えている。扉本体フレーム２６は、プレス加工された金属製フレーム部材によって構成されており、この扉本体フレーム２６は前枠体８の上端から下前面部材１６の上縁に亘る部分を覆う大きさに形成されている。前面枠５を閉じると、遊技盤４を含む前枠体８の前面側が前面枠５によって覆われることとなるが、扉本体フレーム２６の中央にはほぼ円形の開口窓３０が形成されており、この開口窓３０を通じて遊技盤４の遊技領域１２を前方から視認することができる。また、扉本体フレーム２６の後側には、開口窓３０よりも大きい矩形枠状をなす窓枠３１が設けられており、この窓枠３１には透明な２枚のガラス板３２が前後に間隔をおいて嵌め込まれている。
【００３６】
なお本実施形態の構成では、遊技盤４の右方ではなく下方にシリンダー錠２４を配置し、合わせて遊技盤４の右方に配置された施錠装置１９を薄型化することで、遊技盤４に形成された遊技領域１２の面積を従来よりも大きく確保することができる。これにより遊技者の見る目を大いに引きつけ、その視認に対する興趣を高めることができる。また本実施形態の構成では、遊技領域１２の拡大に合わせて前面枠８の開口窓３０が拡大されているため、その部分では前面枠８の剛性が低下することとなるが、本実施形態では前面枠８の下部に上皿２８が一体的に形成されているため、この上皿２８の部分が補強となって前面枠８全体としての剛性の低下を抑制している。
【００３７】
図１に示されているように、前面枠５には開口窓３０の周囲において、左右両側部に枠ランプ２７が配設されているほか、その下部に上皿２８が配設されており、さらには上部に音響電飾装置２９が配設されている。これら枠ランプ２７や音響電飾装置２９、上皿２８等は全体として前面枠５の外形を構成するべく一体をなし、相互に外観上の一体感を想起させるデザインが施されている。
【００３８】
このうち枠ランプ２７は、ランプ基板を内蔵したサイド装飾体３３を主体として構成されており、サイド装飾体３３はちょうど開口窓３０の左右で一対をなしている。サイド装飾体３３には、横長に延びるスリット状の開口孔が上下方向に複数配列されており、個々の開口孔には、ランプ基板に実装されたランプ（ＬＥＤ：発光ダイオード）に対応するレンズ３４が組み込まれている。
【００３９】
また音響電飾装置２９は、高音用に２つのスピーカ３６を内蔵しており、これらスピーカ３６の前面側はスピーカカバー３７で覆われている。スピーカ３６は前面枠５の左右に一対をなして配置されており、左右のスピーカ３６をつなぐようにして透明カバー体３５が設置されている。透明カバー体３５は前面枠５の幅一杯に拡がっており、その奥には装飾用のＬＥＤを有したランプ基板やリフレクタ体等が設置されている。音響電飾装置２９は、これらスピーカ３６やスピーカカバー３７、透明カバー体３５、ランプ基板、リフレクタ体等の構成部材が相互に組み付けられた状態でユニット化されている。
【００４０】
扉本体フレーム２６の前側には、開口窓３０の周囲において、下部に上皿２８が前面枠８と一体的に設けられているほか、左右の両側部に枠ランプ２７が装着されており、また上部に上部スピーカ３６が装着されている。なお枠ランプ２７については、各種遊技内容に応じてその点灯・消灯制御が実行されており、上部スピーカ３６および下部スピーカ１４については、各種遊技内容に応じて複数種類の音出力態様により音出力制御が実行される。このように本実施形態のパチンコ機１では、各種遊技内容に応じて枠ランプ２７の点灯・消灯制御や、上部スピーカ２９および下部スピーカ１４の音出力制御を実行することで演出効果を高め、遊技者の興趣を向上するようになっている。また、上部スピーカ２９および下部スピーカ１４では、不正行為が実行されたことを報知する警告音や、遊技に関するエラーが発生したことを報知する情報音等の出力も行われる。
【００４１】
パチンコ機１の構造上、上記の枠体（外枠２、本体枠３、前面枠５）が本体を構成する部分であり、遊技盤４の板材、つまり遊技板は本体に着脱可能に支持された部分となっている。外枠２は遊技場（ホール）の島設備にパチンコ機１を固定する役割を担い、また本体枠３は遊技板を含めた遊技盤４全体を着脱可能に支持する役割を担う。遊技板はベニヤ板等の強度部材からなり、その前面および背面には各種構成要素（障害釘、役物、入賞装置、装飾品類、電子機器・制御基板類）が取り付けられている。
【００４２】
図３は、遊技盤４を単独で示している。上記のように遊技盤４は矩形状に成型された遊技板４ａを強度部材として構成されており、その前面に遊技領域１２が円形状に形成されている。遊技領域１２内には、所定の配列で多数の障害釘が打ち付けられているほか、その適宜の位置に球誘導用の風車４０が設けられている。遊技領域１２内の上半分には、ひときわ大きく目を引く演出装置４２が配置されており、この演出装置４２にはパチンコ機１の機種やゲームコンセプト等を象徴したデザインがあしらわれている。
【００４３】
演出装置４２は、その全体が縦方向に扁平した楕円形状の外形をなしているが、そのところどころに角張った部分を有する。特に正面からみて演出装置４２の頂部は山形状に突出し、その山頂に相当する部分から左右に延びる上縁部は、緩やかな下り傾斜を有している。また、演出装置４２の左側縁部は縦方向にゴツゴツと切り立ったような形状をなしており、このため左側縁部の上端と下端がそれぞれ角張った外形をなしている。一方、演出装置４２の右側縁部は遊技領域１２の外縁に沿って円弧状に湾曲しており、その輪郭線は左側縁部と対照的に滑らかなカーブを描いている。また、演出装置４２の下側縁部は中央に向かって直線的に絞り込まれたような下り傾斜を有しており、そして中央の位置では水平方向に屈曲されている。
【００４４】
演出装置４２の内側には液晶表示装置５０が設置されており、この液晶表示装置５０は比較的大型の表示画面を有している。また演出装置４２の内側には、液晶表示装置５０の表示画面を取り囲むようにして各種の装飾体４３ａ，４３ｂ，４３ｃや可動装飾体４４ａ，４４ｂ，４４ｃが配置されているほか、可動装飾体４４ａ〜４４ｃの外側には演出装置４２の周縁部に沿って別の装飾体４３ｄ，４３ｅ等が配置されている。
【００４５】
また、正面からみて可動装飾体４４ａ，４４ｂ，４４ｃよりも奥の位置には、それぞれ固定装飾体４５ａ，４５ｂ，４５ｃが設置されており、これら固定装飾体４５ａ，４５ｂ，４５ｃの周囲の領域にはさらに別の装飾部材４６が設置されている。装飾部材４６は、液晶表示装置５０の左右の両側方および上方の領域に拡がるようにして敷設されており、それゆえ演出装置４２を前面側からみたとき、装飾部材４６は装飾体４３ａ，４３ｂ，４３ｃや可動装飾体４４ａ，４４ｂ，４４ｃの背景領域としての位置付けとなる。
【００４６】
上記のように演出装置４２には、視覚的にパチンコ機１のゲームコンセプトを象徴するデザインが付されており、それゆえ個々の装飾体４３ａ〜４３ｅや可動装飾体４４ａ〜４４ｃ、固定装飾体４５ａ〜４５ｃ、装飾部材４６には独特の造形が施されている。
【００４７】
すなわち、本実施形態のパチンコ機１におけるゲームコンセプトは、原始時代の地球を背景として、この時代の地球に生きる人類（原始人）や原始動物の生き様や行動をコミカルに表現した創作的ストーリーの上に成り立っている。ただし、ここでいう「原始時代」は考古学上の正確な時代区分に基づくものではなく、社会一般に定着しているイメージとしての「原始時代」を背景としている。したがって、そこに登場するキャラクタの風貌はあくまで現代の人類を原始人らしくコミカルに表現したものであり、また、原始哺乳動物として登場する「マンモス」や「類人猿」、「サーベルタイガー」、「モグラ」等の風貌は、いずれも原始時代の動物らしく見えるようにコミカルにアレンジされたキャラクタとして表現されている。
【００４８】
先ず演出装置４２の全体を見ると、その外観には原始地球の表面らしく土色のゴツゴツとした岩肌をモチーフとした造形が施されている。そして、演出装置４２の上縁部に目をやると、そこには「マンモス」をイメージしてデザインされた装飾体４３ａが配置されており、この装飾体４３ａは、ちょうど「マンモス」が頭にたん瘤をつくってひっくり返った様子を表現している。また、これに対応するようにして、装飾体４３ａの右側には「石斧」をデザインした装飾体４３ｄが配置されており、この装飾体４３ｄは、原始人であるキャラクタが狩りをする道具としての「石斧（＝棒切れに石をくくりつけた道具）」をデザイン的に表現したものとなっている。したがって、装飾体４３ａ，４３ｄの造形を目にした遊技者は、そこから「原始人が石斧を使ってマンモスを仕留めた」というストーリーを感じ取ることができる。
【００４９】
また演出装置４２の右側縁部に目をやると、そこには「マンモスの牙」をイメージしてデザインされた装飾体４３ｅが配置されている。このため遊技者が装飾体４３ｅの造形に接すると、そこから「原始人が狩りで仕留めたマンモスの牙を装飾品として利用している」というストーリーを感じ取ることができる。なお装飾体４３ｅは、その外面（前部ユニット４２ａの側面に相当する面）がそのまま遊技球の流下を案内する案内面にもなっている。
【００５０】
一方、演出装置４２の下縁部に目をやると、そこには「マンモスの頭部と牙」をデザインした装飾体４３ｃが左右で一対をなすようにして配置されている。また、装飾体４３ｃの近傍には、原始地球に生い茂った「草むら」をイメージした装飾が施されていることから、この装飾体４３ｃを目にした遊技者は、「草むらからマンモスの頭がのぞいている」というイメージを抱くことになる。
【００５１】
また本実施形態では、「マンモスの頭部と牙」や「草むら」をイメージした装飾体が遊技領域１２内で演出装置４２内のステージ部（転動部）よりも高い位置に配置されているため、遊技領域１２を流下する遊技球が必要以上にステージ部に進入することを防止することができる。これにより、演出装置４２のステージ部において安定したステージ性能（上始動口５２へ遊技球を放出する性能）を発揮することが可能となる。要するに、遊技球がステージ部に導かれるということは、単に遊技領域１２を流下していくよりも上始動口５２に入賞する確率が高くなるということである。このため、流下中の遊技球があまり過度にステージ部に進入すると、製品の開発段階で計画された遊技性能に狂いが生じてくることになるが、本実施形態では、装飾体が遊技球の不所望な進入を堰き止める防波堤の役割を果たすので、遊技性能を保証しつつ装飾性を高めることができるという２重のメリットが生じる。
【００５２】
また演出装置４２の左側縁部に目をやると、そこには片仮名文字で「ゴ」と「ン」を象った装飾体４３ｂが配置されている。さらにこれら装飾体４３ｂは、仮名文字である「ゴ」や「ン」を立体的な形状で表現したものとしてデザインされており、その外形には岩を切り出してできたかのようにゴツゴツとした造形が施されている。なお、装飾体４３ｂで表される「ゴ」と「ン」は、これらを続けて「ゴン」と読ませるためのものであり、「ゴン」は、上記の創作的ストーリーに登場するキャラクタ（主人公）の名前となっている。
【００５３】
次に演出装置４２の上縁部から右側縁部に目をやると、そこには片仮名文字で「ギ」や「オ」を象った可動装飾体４４ａ，４４ｂ，４４ｃが配置されている。また、これら装飾体４４ａ，４４ｂ，４４ｃは、仮名文字である「ギ」や「オ」を立体的な形状で表現したものとしてデザインされており、その外形には岩を切り出してできたかのようにゴツゴツとした造形が施されている。
【００５４】
このうち、上縁部に位置する可動装飾体４４ａの近傍には、片仮名の小文字である「ャ」とともに長音符号である「ー」を象った装飾体４５ａが配置されている。この装飾体４５ａで表される「ャ」，「ー」の文字は、可動装飾体４４ａで表される「ギ」からつづけて「ギャー」と拗音を長くのばして読ませるためのものである。同様に、右側縁部に上下に並んで位置する可動装飾体４４ｂ，４４ｃの近傍には、それぞれ長音符号である「ー」を象った装飾体４５ｂ，４５ｃが配置されている。これら装飾体４５ｂ，４５ｃで表される「ー」は、各可動装飾体４４ｂ，４４ｃで表される「オ」からつづけて「オー」と長音に読ませるためのものである。なお、可動装飾体４４ａ〜４４ｃおよび装飾体４５ａ〜４５ｃで表される「ギャー」や「オー」は、上記の創作的ストーリーに登場するキャラクタ等の叫び声を表すものとなっている。
【００５５】
演出装置４２よりも下方の遊技領域１２には上始動口５２が配置されており、その直下の位置には、入球装置５６と一体化された下始動口５４が配置されている。入球装置５６には左右一対の開閉部材５６ａが付属しており、図中に示されているように開閉部材５６ａが左右に拡開した状態に変位すると下始動口５４に遊技球が入賞可能となり、逆に開閉部材５６ａが閉じた状態に変位すると遊技球は下始動口５４に入賞しなくなる。なお入球装置５６にも、演出装置４２と同様にパチンコ機１のゲームコンセプトを象徴したデザインが施されている。
【００５６】
入球装置５６の左右の離れた位置にはゲート５８が一対をなして配置されている。また、入球装置５６の下方の位置にはアタッカ装置６０が配置されている。このアタッカ装置６０は大入賞口６２を開閉するための開閉部材６０ａを有している。図示のように開閉部材６０ａが手前側へ倒れ込むようにして開いた状態に変位すると、上方から流下してくる遊技球が開閉部材６０ａに案内されて大入賞口６２に入賞可能となり、逆に開閉部材６０ａが盤面に沿う位置まで変位すると、大入賞口６２が閉じられて遊技球は入賞しなくなる。
【００５７】
その他、アタッカ装置６０の左右の位置には一般入賞口６６が一対をなして配置されている。また、遊技領域１２の下縁部に沿って左右一対のサイド装飾部材６４が配置されており、これらサイド装飾部材６４にもそれぞれ一般入賞口６６が形成されている。これらサイド装飾部材６４もまた、演出装置４２と同様にパチンコ機１のゲームコンセプトを象徴したデザインを有し、その造形には演出装置４２との視覚的な統一感が与えられている。
【００５８】
サイド装飾部材６４では、遊技の進行に伴い各種情報の表示が行われるものとなっており、各種情報の表示は、各サイド装飾部材６４に内蔵されたＬＥＤの点灯・点滅により表示することができる。このため、例えば右側のサイド装飾部材６４には、４つの発光領域６４ａが形成されており、これら発光領域６４ａはいずれも小円形状をなし、そして４つが菱形を描くようにして配列されている。さらに発光領域６４ａの上方には２つの発光領域６４ｂ，６４ｃが形成されており、これら発光領域６４ｂ，６４ｃにはそれぞれ動物の骨（大腿骨のように棒状で、両端に関節部となる膨らみがあるもの）をかたどったデザインが施されている。また、左側のサイド装飾部材６４にも合計で４つの発光領域６４ｄ，６４ｅが形成されている。これら発光領域６４ｄ，６４ｅはいずれも小円形状をなし、縦方向に１列を描くようにして配列されている。以下、発光領域６４ａ〜６４ｅについて概略を説明する。
【００５９】
先ず右側に４つ配列された発光領域６４ａは、特別図柄表示器（抽選情報表示器）として機能する。特別図柄は、パチンコ機１において特別図柄抽選（大当り判定）が行われ、その当落の結果が出たということを外部に向けて表示するためのもの（抽選情報）である。例えば、パチンコ機１における通常遊技状態（大当り遊技でない状態）で上始動口５２または下始動口５４への入賞があると、それを契機に４つの発光領域６４ａがいろいろなパターンで点滅動作を開始し、特別図柄の変動状態が表示される。このような特別図柄の変動開始（いわゆる「始動」）により、遊技者は大当り判定が行われたこと（あるいは、これから抽選の結果が出ること）を認識することができる。この後、ある程度の時間が経過すると発光領域６４ａの点滅動作が停止し、そのときの抽選結果（当落結果）を表示する態様で特別図柄が停止表示される。特別図柄の停止表示の態様について、簡易な例では４つの発光領域６４ａが全て点灯していれば当選（大当り）を表し、４つの発光領域６４ａのいずれか１つでも消灯していれば落選を表すといった態様が挙げられる（ただし、これら以外の態様もある。）。これにより、遊技者は大当り判定に当選したか否かを視覚的に認識することができる。なお本実施形態では、４つの発光領域６４ａの他に液晶表示装置５０を用いて装飾的な図柄（例えば「０」〜「９」の数字をデザインしたもの）を変動・停止表示させることで、特別図柄の変動表示と停止表示に関連した各種の演出を行うことが可能である。
【００６０】
また、特別図柄表示器に関連して演出装置４２の下縁部に４つの発光領域４８が形成されており、これら４つの発光領域４８は特別図柄の始動記憶ランプ（入賞表示器）として機能する。すなわち、４つの発光領域４８には個々に数字の「１」，「２」，「３」，「４」をかたどったデザインが施されており、４つの発光領域４８は左から右へ「１」〜「４」を表すようにして順番に並んでいる。これら４つの発光領域４８は、「１」〜「４」の発光（点灯）態様によって特別図柄の始動記憶数（１〜４）を表すことができる。
【００６１】
具体的には、遊技中に上始動口５２または下始動口５４への入賞があると、これを契機として特別図柄の始動条件が記憶され、この状態で特別図柄が変動表示中であれば、「１」に対応する発光領域４８が発光（点灯）して始動記憶数が１であることが表示される。一方、始動条件が記憶されている状態で、特別図柄が変動していなければ（変動状態から停止表示状態になった場合を含む）、記憶された始動条件に基づいて特別図柄の変動表示が開始される。この場合、始動条件の記憶は消去され、あわせて始動記憶数「１」に対応する発光領域４８の発光が停止（消灯）される。なお、本実施形態では始動記憶数の上限が４であるため、上限に達した場合、それ以上の始動条件は記憶されない。
【００６２】
次に、発光領域６４ａの上方に配置された２つの発光領域６４ｂ，６４ｃのうち、右側に位置する発光領域６４ｃはその点灯・点滅により普通図柄表示器として機能することができる。普通図柄は、パチンコ機１において普通図柄当り判定が行われ、その当落の結果が出たということを表すためのものである。例えば、パチンコ機１における通常遊技状態（大当り遊技でない状態）でゲート５８を遊技球が通過すると、それを契機に発光領域６４ｃが点灯または点滅動作を開始し、これにより普通図柄の変動状態が表示される。一方、左側の発光領域６４ｂは、その点灯または消灯によって内部的な遊技様態（大当り確率が比較的高い高確率遊技様態であるか、あるいは大当り確率が比較的低い低確率遊技様態であるかの様態）を表示することができる。
【００６３】
そして、左側のサイド装飾部材６４に４つ縦に並んで配置された発光領域６４ｄ，６４ｅのうち、下２つの発光領域６４ｅは、点灯・点滅によって普通図柄の始動記憶数（１〜４）を表示することができる。また、上２つの発光領域６４ｄは、大当りになった場合にいずれか１つが点灯し、それによって大当りの種類を表示することができる。なお、大当りの種類については、パチンコ機１の制御に関する構成と合わせて後述する。
【００６４】
図４は、遊技板４ａに対する演出装置４２の具体的な取付態様を示している。演出装置４２は大きく分けて、遊技板４ａを挟んで前後に分割された２つのユニットから構成される。具体的には、遊技板４ａの前面側に前部ユニット４２ａが位置し、この前部ユニット４２ａは遊技板４ａに対してその前面側から取り付けられる。逆に遊技板４ａの背面側には後部ユニット４２ｂが位置し、この後部ユニット４２ｂは遊技板４ａに対してその背面側から取り付けられる。また液晶表示装置５０は、後部ユニット４２ｂに対してその背面側から取り付けられる。
【００６５】
遊技板４ａには、その合板材を厚み方向（前後方向）に貫通して形成された貫通穴４ｂが形成されている。この貫通穴４ｂは、遊技領域１２の中央からやや上よりの範囲にかけて大きく開口しており、その開口形状は、前部ユニット４２ａの外形にほぼ合致している。
【００６６】
前部ユニット４２ａは、演出装置４２の外周部分を構成するようにして環状に成形されており、それゆえ前部ユニット４２ａの内側部分は大きく開口した状態にある。前部ユニット４２ａは、その前後方向でみると遊技板４ａに対向する後半分の部位４２ｒが貫通穴４ｂ内にぴったり嵌り込む形状に成形されており、この後半分の部位４２ｒを貫通穴４ｂ内に嵌め込んだ状態で前部ユニット４２ａが遊技板４ａに取り付けられる。なお本実施形態では、前部ユニット４ａに電気的な動作を行う部品（例えばソレノイド、ＬＥＤ、基板等）が何も取り付けられていない。このため前部ユニット４２ａの取り付けに際し、貫通穴４ｂを通じて何らかの電気配線を接続する必要がないことから、前部ユニット４２ａは特に他の構成要素との電気的な接続関係を気にすることなく、それ単体で遊技板４ａに対して着脱可能となっている。
【００６７】
また前部ユニット４２ａには、外周を取り巻くようにしてフランジ部４２ｎが形成されており、このフランジ部４２ｎは遊技板４ａの前面と平行に拡がっている。それゆえ前部ユニット４２ａは、その後半分の部位４２ｒを貫通穴４ｂ内に嵌め込んだ状態でフランジ部４２ｎを遊技板４ａの前面（化粧シート面）に密着させることができる。フランジ部４２ｎには、適宜の位置にねじ孔が形成されており、前部ユニット４２ａを遊技板４ａに取り付ける際は、フランジ部４２ｎのねじ孔を通じて前部ユニット４２ａがねじ留めされるものとなっている。
【００６８】
さらに前部ユニット４２ａには、後半分の部位４２ｒから後方に向けて突出する係合片（第１または第２の係合片）４２ｓが形成されている。係合片４２ｓは前部ユニット４２ａの上縁部に１本と、下縁部に２本（図４には１本のみ示されている）の合計３本が形成されており、いずれも貫通穴４ｂを通じて遊技板４ａの前面側から挿入されると、遊技板４ａの背面からさらに後方に突出する。
【００６９】
一方、前部ユニット４２ａが遊技板４ａに取り付けられた状態で、その前半分の部位４２ｆや装飾体４３ｂ，４３ｄ，４３ｅ等はいずれも遊技板４ａの前面側に位置する。逆に、下縁部に位置する２つの装飾体４３ｃは、後半分の部位４２ｒとともに貫通穴４ｂ内に位置する。前部ユニット４２ａの前半分の部位４２ｆおよび装飾体４３ｂ，４３ｄ，４３ｅは、その厚みが例えば案内レール１１やパネル飾り４ｃとほぼ同じに設定されている。このため、前部ユニット４２ａが遊技板４ａに取り付けられると、その前半分の部位４ｆおよび装飾体４３ｂ，４３ｄ，４３ｅは遊技領域１２内で盤面から手前に突出し、それによって遊技球の流下を誘導・案内する部材としても機能する。
【００７０】
これに対して後部ユニット４２ｂは、特に貫通穴４ｂとの間に嵌め合わせの関係を構成することなく遊技板４ａの背面に取り付けられる。後部ユニット４２ｂも同様に、フランジ部（図４には示されていない）のねじ孔を通じて遊技板４ａにねじ留めされる。
【００７１】
後部ユニット４２ｂは、その取付状態において大部分が遊技板４ａの背面側に位置しており、特に上記の固定装飾体４５ａ，４５ｂ，４５ｃおよび装飾部材４６は、いずれも遊技板４ａの背面よりわずかに後方に位置する。このため遊技者が遊技盤４に相対すると、貫通穴４ｂからさらに奥まった位置に固定装飾体４５ａ，４５ｂ，４５ｃおよび装飾部材４６が配置されている様子が視認されるため、そこに視覚的な奥行きを感じることができる。
【００７２】
ただし、後部ユニット４２ｂには上記の装飾体４３ａや可動装飾体４４ａ，４４ｂ，４４ｃが取り付けられており、これら装飾体４３ａおよび可動装飾体４４ａ，４４ｂ，４４ｃはいずれも後部ユニット４２ｂ（特に装飾部材４６）から前面側に突出している。したがって、後部ユニット４２ｂが遊技板４ａに取り付けられる際、装飾体４３ａおよび可動装飾体４４ａ，４４ｂ，４４ｃは背面側から貫通穴４ｂ内に進入した状態となる。
【００７３】
なお後部ユニット４２ｂは、遊技板４ａの背面において貫通穴４ｂよりも広い範囲にわたって配置されている。つまり、後部ユニット４２ｂは貫通穴４ｂの開口面積よりも大きい外形を有しており、前面側からは、貫通穴４ｂを通じて後部ユニット４２ｂの一部のみが視認されている。このため本実施形態では、遊技板４ａの前面側から貫通穴４ｂをくぐらせて後部ユニット４２ｂを着脱することはできない構造となっている。
【００７４】
さらに後部ユニット４２ｂには、前部ユニット４２ａの係合片４２ｓに対応して３箇所に係合孔４２ｈが形成されており（図３には下側の２箇所のみ示されている）、係合孔４２ｈは、後部ユニット４２ｂの係合片（第１または第２の係合片）６８ａ，６８ｂ等に形成されている。前部ユニット４２ａおよび後部ユニット４２ｂが遊技板４ａに対して前後から取り付けられると、３本の係合片４２ｓは貫通穴４ｂを通じて後部ユニット４２ｂにまで達し、それぞれ対応する係合孔４２ｈに差し込まれる。またこの状態で、個々の係合片４２ｓが係合孔４２ｈ（係合片６８ａ，６８ｂ等）に係合するので、これにより前部ユニット４２ａおよび後部ユニット４２ｂが相互に位置決めされる。なお、ここでいう「係合」は、前後方向への拘束力を発揮するものではなく、前部ユニット４２ａまたは後部ユニット４２ｂの上下・左右・斜め方向（盤面に沿う方向）への位置ずれを拘束するものである。
【００７５】
演出装置４２の下縁部、つまり液晶表示装置５０の画面より下方の部位には球誘導部材７０，７２が配置されている。球誘導部材７０，７２は、その上面にて遊技球を案内し、その転動方向にいろいろな変化を与えることができる。図４中に２点鎖線で示されているように、球誘導部材７２は前部ユニット４２ａとともに手前側へ分離可能な構造となっている。なお、球誘導部材７０，７２については後に詳述する。
【００７６】
遊技盤４には、演出装置４２とともに表示ユニットが取り付けられている。上記の液晶表示装置５０は、表示制御基板と一体化された表示ユニットとして構成されており、この表示ユニットの状態で後部ユニット４２ｂに対し背面側から取り付けられている。液晶表示装置５０は、その画面上で演出的な画像を表示することができ、遊技盤４の完成状態で、液晶表示装置５０の画面は貫通穴４ｂを通じて前面側から視認される。また本実施形態では、液晶表示装置５０の背面に表示制御基板（１２０）が一体的に取り付けられている。なお、表示制御基板（１２０）の構成については図１１を参照しながら後述する。
【００７７】
図５は、演出装置４２を構成要素に分解した状態で示している。既に説明したように、演出装置４２は大きく分けて前部ユニット４２ａおよび後部ユニット４２ｂから構成されており、これらは相互に着脱可能な構造となっているが、後部ユニット４２ｂにはさらに２つの球誘導部材７０，７２および内部装飾体７４が着脱可能に取り付けられている。
【００７８】
図５に示されているように、後部ユニット４２ｂには、液晶表示装置５０の表示画面よりも下方の部位に奥壁６８が形成されており、この奥壁６８は後部ユニット４２ｂが遊技板４ａに取り付けられた状態では、盤面に対してほぼ平行に位置する。奥壁６８は後部ユニット４２ｂの左右側縁部の間をつなぐようにして拡がり、正面からみてほぼ逆台形状をなしている。
【００７９】
奥壁６８の両側端部には、それぞれ係合片６８ａ，６８ｂが形成されており、これら係合片６８ａ，６８ｂはいずれも奥壁６８から前面側に向けて突出している。また、左右の係合片６８ａ，６８ｂは扁平した円筒形状をなし、このうち正面からみて左側の係合片６８ａは縦方向に扁平しており、右側の係合片６８ｂは横方向に扁平している。そして、これら係合片６８ａ，６８ｂの内部にそれぞれ上記の係合孔４２ｈが形成されている。なお図５に示されているように、後部ユニット４２ｂの上部位置には、３つ目の係合孔４２ｈを形成するための係合片６８ｓが形成されている。
【００８０】
左右の係合片６８ａ，６８ｂの上方には、それぞれねじ用のボス部６８ｃが形成されており、このボス部６８ｃもまた前面側に突出している（図５には左側のボス部６８ｃのみが示されている）。また奥壁６８の下端部には、その中心から左右対称となる位置に２つのボス部６８ｄが形成されている。これらボス部６８ｄもまた、奥壁６８から前面側に突出している。そして２つのボス部６８ｄより上方の位置には、それぞれねじ用の貫通孔６８ｅが形成されている。
【００８１】
球誘導部材７０，７２および内部装飾体７４は、いずれも前面側から奥壁６８に対して着脱可能となっている。図５に示されている状態から取付順にみると、内部装飾体７４が最初に奥壁６８に取り付けられ、その前面側から奥側の球誘導部材７２が取り付けられ、そして最後に手前側の球誘導部材７０が取り付けられる。
【００８２】
このうち、内部装飾体７４の下縁部にはＵ字形状の切欠部７４ａが形成されており、内部装飾体７４が奥壁６８に密着されたとき、これら切欠部７４ａによって下側にある２つのボス部６８ｄとの干渉が避けられるものとなっている。また図５には示されていないが、内部装飾体７４の背面側には２つのねじ穴が形成されており、これらねじ穴は奥壁６８の貫通孔６８ｅにそれぞれ対応している。
【００８３】
奥側と手前側の球誘導部材７０，７２には、それぞれ両端部に係合孔部（係合部）７０ａ，７２ａが形成されている。これら係合孔部７０ａ，７２ａはいずれも球誘導部材７０，７２を前後方向に貫通して形成されており、その開口形状は係合片６８ａ，６８ｂの外形よりわずかに大きい。また球誘導部材７０，７２には、それぞれボス部６８ｃ，６８ｄに対応する位置にねじ孔が形成されている。なお、図５には奥側の球誘導部材７２についてのみ、ねじ孔７２ｂ，７２ｃが示されているが、手前側の球誘導部材７０にも同様のねじ孔（符号を７０ｂ，７０ｃとして区別する）が形成されている。
【００８４】
図５に示されている状態から内部装飾体７４が奥壁６８に押しつけられるようにして密着すると、内部装飾体７４は係合片６８ａ，６８ｂの間に位置付けられる。この状態で、内部装飾体７４は後部ユニット４２ｂの背面側から２つの貫通孔６８ｅを通じてねじ留めされる。内部装飾体７４の前後方向の厚み寸法は、左右の係合片６８ａ，６８ｂやボス部６８ｃ，６８ｄの突出寸法よりも小さく設定されている。それゆえ、最初に内部装飾体７４が取り付けられた状態では、左右の係合片６８ａ，６８ｂおよびボス部６８ｃ，６８ｄが依然として前面側に突出した格好となる。
【００８５】
この状態で、次に奥側の球誘導部材７２が内部装飾体７４の前面側に重ね合わせられると、左右の係合片６８ａ，６８ｂがそれぞれ対応する係合孔部７２ａに嵌り込み、これらの嵌め合わせによって球誘導部材７２が後部ユニット４２ｂに対して位置決めされる。またこの状態で、球誘導部材７２のねじ孔７２ｂ，７２ｃが位置する部位は、それぞれ対応するボス部６８ｃ，６８ｄの前端に密着する。この場合、左右の係合片６８ａ，６８ｂは依然として前面側に突出しているが、ボス部６８ｃ，６８ｄは球誘導部材７２の背後に隠れた状態となる。
【００８６】
そして、最後に手前側の球誘導部材７０が奥側の球誘導部材７２の前面側に重ね合わされると、同様に左右の係合片６８ａ，６８ｂがそれぞれ対応する係合孔部７０ａ，７０ｂに嵌り込み、これらの嵌め合わせによって球誘導部材７０が後部ユニット４２ｂに対して位置決めされる。この状態で手前側の球誘導部材７０のねじ孔は、奥側の球誘導部材７２のねじ孔７２ｂ，７２ｃの前面側に正確に位置付けられる。
【００８７】
この後、手前側の球誘導部材７０のねじ孔を通じて固定用のねじを締め込むことにより、２つの球誘導部材７０，７２をともに後部ユニット４２ｂに対して固定することができる。
【００８８】
遊技盤４の製造工程において、遊技板４ａに対して最初に後部ユニット４２ｂを取り付ける際は、上記の手順により内部装飾体７４および球誘導部材７０，７２が先に後部ユニット４２ｂに装着されている。したがって通常、遊技板４ａに対する演出装置４２の取付作業は、後部ユニット４２ｂと前部ユニット４２ａの２つについてだけとなる。
【００８９】
図６は、演出装置４２の左側縁部の一部と下縁部を示している。上記のように前部ユニット４２ａおよび後部ユニット４２ｂがそれぞれ遊技板４ａに取り付けられると、前部ユニット４２ａは後部ユニット４２ｂの前面側に位置付けられる。このとき、前部ユニット４２ａは手前側の球誘導部材７０のねじ孔７０ｂ，７０ｃの前面側に密着し、この状態でねじ孔７０ｂ，７０ｃを遮蔽することで、これらを前面側から視認できなくしている。また本実施形態では、上記の係合片６８ａ，６８ｂもまた前部ユニット４２ａの下側縁部に遮蔽されており、これにより球誘導部材７０の着脱や位置決めに関する全ての構成が前面側から視認されなくなっている。なお、上部位置にある係合片６８ｓについても、前部ユニット４２ａの上縁部によって前面側から視認不能に遮蔽されている。
【００９０】
図６に示されているように、前部ユニット４２ａの左側面、つまり装飾体４３ｂの左側面には、側方の遊技領域１２に向けて開口する球導入口７６が形成されている。そして前部ユニット４２ａには、球導入口７６から内部に延びる上ワープ通路７８ａが形成されている。上ワープ通路７８ａは、球導入口７６から右下方へ緩やかに傾斜した後、ちょうど装飾体４３ｂの中心あたりから奥方向に折れ曲がり、緩やかに下り傾斜している。
【００９１】
この後、上ワープ通路７８ａは前部ユニット４２ａの後端位置で終了し、そこから奥の位置で下ワープ通路７８ｂに引き継がれるようにして連結されている。下ワープ通路７８ｂは、後部ユニットの左側縁部の内部を延びるようにして形成されており、上ワープ通路７８ａから続く最奥部で下ワープ通路７８ｂが突き当りになると、そこから下ワープ通路７８ｂは下方に折れ曲がるようにして一気に下っている。そして、下ワープ通路７８ｂは後部ユニット４２ｂの左側縁部の下端位置で右方向へ折れ曲がり、終端位置で右方向に開放されている。下ワープ通路７８ｂの終端にはワープ出口７８ｃ（球出口）が形成されており、このワープ出口７８ｃは奥側の球誘導部材７２の上面に通じている。
【００９２】
したがって、遊技領域１２を流下する遊技球が球導入口７６に飛び込むと、上ワープ通路７８ａおよび下ワープ通路７８ｂを通って演出装置４２の内側に導かれ、そしてワープ出口７８ｃから奥側の球誘導部材７２上に放出される。
【００９３】
この後、遊技球は奥側の球誘導部材７２から手前側の球誘導部材７０に順次乗り移るようにして転動し、最終的に球誘導部材７０から前部ユニット４２ａの下縁部を介して下方にこぼれ落ちるか、もしくは放出通路７２ｄに入り込んで下側の放出口７２ｅから真下に放出されることとなる。このとき、放出口７２ｅから放出された遊技球は、その直下に配置されている２本の障害釘（命釘）の間を真下に通り抜け、比較的高い確率で上始動口５２に入賞することができる。これに対し前部ユニット４２ａの上縁部を介してこぼれ落ちる遊技球の大部分は、障害釘に跳ね返されて落下方向がランダムに変化するので、比較的低い確率でしか上始動口５２に入賞しなくなる。以下、球誘導部材７０，７２による遊技球の誘導態様について説明する。
【００９４】
図７から図９は、球誘導部材７０，７２による遊技球の誘導態様と、合わせて前部ユニット４２ａからの遊技球の放出態様を示している。上記のように、上ワープ通路７８ａおよび下ワープ通路７８ｂを通って案内された遊技球は、ワープ出口７８ｃから奥側の球誘導部材７２（第１の球誘導部材）上に送出される。奥側の球誘導部材７２には、正面からみて最も奥（液晶表示装置５０の画面寄り）の位置に上段ステージ８０（上段球転動部）が形成されており、そして上段ステージ８０の手前側に中段ステージ８２（中段球転動部）が形成されている。
【００９５】
このうち上段ステージ８０は谷形状に中央が低くなっているが、反対に中段ステージ８２は山形状に中央が高くなっている。また、上段ステージ８０の中央位置には、手前側へ傾斜する窪み部８０ａ（送出部）が形成されている。このため遊技球は、上段ステージ８０上を左右に転動しながら減速し、やがて中央の窪み部８０ａに入り込み、ここから中段ステージ８２上へ移動することとなる。このとき、中央の窪み部８０ａ内に入り込んだ遊技球のなかには、すぐに中段ステージ８２上へ移動せず、この窪み部８０ａ内にて僅かに左右方向に揺れ動くようにして転動するものもある。
【００９６】
中段ステージ８２は左右で対称の形状をなしており、遊技球が中段ステージ８２上に移動すると、中央の振分部８１ａ（山形状に形成された部分）において左右いずれかへ転動方向が振り分けられ、そのまま遊技球は傾斜に沿って転動する。中段ステージ８２は中央に振分部８１ａを有するほか、振分部８１ａの両側に奥側傾斜面８１ｂを有し、そして左右の両端部に放出傾斜面８１ｃを有する（図７，８には左側のみ参照符号が付されている）。
【００９７】
奥側傾斜面８１ｂは振分部８１ａから僅かに一段下がった位置に形成されており、この奥側傾斜面８１ｂは左右方向への下り傾斜を有するだけでなく、前後方向でみて後方、つまり奥側へも僅かに下り傾斜を有している。このため奥側傾斜面８１ｂは、遊技球を左右の下り傾斜方向に転動させるだけでなく、遊技球を奥側の壁面に沿わせるようにして転動させることができる。これにより、奥側傾斜面８１ｂでは遊技球が前後にふらつくような挙動を示すことがなく、その転動態様を安定させることができる。
【００９８】
また、両側端部にある放出傾斜面８１ｃは奥側傾斜面８１ｂから僅かに一段下がった位置に形成されており、この放出傾斜面８１ｃは、奥側傾斜面８１ｂに比べると、僅かに左右方向への下り傾斜が緩くなっている。さらに、放出傾斜面８１ｃは手前側（前方）へも僅かに下り傾斜を有している。一方、中段ステージ８２の両側端部では、側壁８２ａが両側端へ近づくにつれて手前側へ湾曲するようにして成形されている。このため遊技球は、中段ステージ８２の両側端に近づくと、湾曲した側壁８２ａに沿って手前側へ案内され、放出傾斜面８１ｃを介して手前側の球誘導部材７０上へこぼれ落ちる。
【００９９】
手前側の球誘導部材７０（第２の球誘導部材）には、その上面に下段ステージ８４（下段球転動部）が形成されているほか、その両端部には、それぞれ中段ステージ８２の側壁８２ａに連なる案内壁８４ａが形成されている。これら案内壁８４ａは、側壁８２ａとは反対に下段ステージ８４の両側方から前面側へ回り込むようにして湾曲して成形されている。このため、上記のように中段ステージ８２の側壁８２ａに案内されて手前側へこぼれ落ちた遊技球は、今度は案内壁８４ａに沿ってＵターンするようにして案内される。
【０１００】
下段ステージ８４は、上面が波打つようにして成形されており、その中央部分がわずかに盛り上がっているほか、中央部分から左右の部分が緩やかなカーブを描くようにして窪んでいる。また、中央部分とその左右の部分には、それぞれ窪み部８４ｂ，８４ｃが形成されており、このうち中央部分の窪み部８４ｂは奥側へ向けて下り傾斜を有し、その左右の部分の窪み部８４ｃは、反対に手前側へ向けて下り傾斜を有する。
【０１０１】
図９に示されているように、上記の放出通路７２ｄは下段ステージ８４の後方を下り、そして下段ステージ８４よりも下方の位置から前方へ屈曲されて緩やかに傾斜している。放出通路７２ｄは前部ユニット４２ａの内部にまで通じ、そして上記の放出口７２ｅにて前面側へ開放している。
【０１０２】
したがって、下段ステージ８４上に転動してきた遊技球のうち、左右の部分の窪み部８４ｃを通り過ぎて中央部分の窪み部８４ｂまで到達し、そして窪み部８４ｂ（第１の誘導経路）から放出通路７２ｄに入り込んだ遊技球は、上記のように放出口７２ｅから真下方向へ放出されるため、比較的高い確率で上始動口５２に入賞する態様で誘導される（図７，図９）。
【０１０３】
これに対し、左右の部分の窪み部８４ｃ（第２の誘導経路）は、遊技球を下段ステージ８４から前部ユニット４２ａの下縁部に送出するための誘導経路となっている。このため、下段ステージ８４上に転動してきた遊技球のうち、その中央部分まで到達する勢いがなかったか、もしくは中央部分まで到達する勢いはあったが、窪み部８４ｂを通り過ぎて左右いずれかに下ってしまった遊技球は、左右の部分の窪み部８４ｃ内に入り込み、ここから手前側にこぼれ落ちる。なお、窪み部８４ｃ内に入り込んだ遊技球のなかには、ここで僅かに左右に揺れ動くようにして転動するものもある。いずれにしても、窪み部８４ｃ内に入り込んだ遊技球は、やがてその傾斜に沿って手前側へ誘導され、前部ユニット４２ａの下縁部の上面を介して下方の遊技領域１２に送出されることとなる。
【０１０４】
前部ユニット４２ａの下縁部は、その中央の部分が低くなった谷形状に形成されている。また、この中央の部分（放出口７２ｅより上方の部分）は手前側へ僅かに傾斜しており、さらには遊技球が左右方向に転動できるだけの幅を有している。したがって、下段ステージ８４の窪み部８４ｃから前部ユニット４２ａの下縁部へ移動した遊技球は、その中央の部分に集められ、ここで左右方向に転動しながらその位置を変え、やがて下方にこぼれ落ちる。この場合、遊技球は左右方向でみるといろいろな位置から落下するので、比較的低い確率でしか上始動口５２に入賞しない態様で誘導される（図８，図９）。
【０１０５】
以上が下段ステージ８４、つまり、手前側の球誘導部材７０による２通りの誘導態様であるが、遊技球が放出通路７２ｄを通る態様で誘導される割合は、下段ステージ８４の曲面形状や窪み部８４ｂ，８４ｃの面形状によって変わってくる。例えば、中央部分の窪み部８４ｂが周囲の下段ステージ８４の上面から極端に大きく落ちくぼんでいれば、それだけ遊技球が窪み部８４ｂに入りやすくなり、その結果、遊技球が放出通路７２ｄを通る態様で誘導される割合が相対的に高くなる。反対に、中央部分の窪み部８４ｂが周囲の下段ステージ８４の上面と比較してそれほど落ちくぼんでいなければ、それだけ遊技球が窪み部８４ｂに入りにくくなり、その結果、遊技球が放出通路７２ｄを通る態様で誘導される割合が相対的に低くなる（その他の各種要因も考えられるが、ここでは割愛する）。
【０１０６】
上記のような遊技球が放出通路７２ｄを通る態様で誘導される割合は、パチンコ機１の開発過程で行われる球誘導部材７０の性能評価に関係してくる。すなわち、パチンコ機１の開発過程では、試作段階で制作されたパチンコ機１について遊技球の試射による性能試験が行われており、この中で球誘導部材７０の性能（放出通路７２ｄへの誘導割合）が検証される。そして、性能評価の結果、見直しが必要であれば球誘導部材７０の具体的な形状を変更して改めて試射を行い、性能評価を繰り返すといった作業が日常的に行われている。あるいは、曲面形状の異なる複数の球誘導部材７０を１つずつ順番に付け替えて試射を行い、個々の球誘導性能を比較・検討するといった性能評価も行われる。このような性能評価に際して、本実施形態では球誘導部材７０の着脱作業に関する有利な構造を採用しており、以下にその具体的な内容を説明する。
【０１０７】
図１０は、パチンコ機１の組み立て後における球誘導部材７０の着脱の態様を具体的に示している。なお、ここでいう「組み立て後」は、パチンコ機１が作動できる状態、つまり遊技球を発射して遊技を行ったり、賞球を払い出したり、演出動作を行ったりできる状態に組み立てられた後を意味する。したがって、ここでは上記の前部ユニット４２ａおよび後部ユニット４２ｂは既に遊技板４ａに取り付け済みであり、また、遊技盤４には必要な構成要素が全て取り付けられた状態で遊技盤装着枠９に装着されている。
【０１０８】
図１０に示されているように、パチンコ機１が組み立てられた後であっても、その前面枠５を開放することで、演出装置４２の前部ユニット４２ａだけを遊技板４ａから取り外すことが可能である。すなわち、前部ユニット４２ａは、そのフランジ部４２ｎを介して遊技板４ａに複数箇所でねじ留めされていることから、これらねじを緩めて抜き取れば、あとは前部ユニット４２ａを手前側へ引っ張るだけで、これを容易に遊技板４ａから離脱させることができる。なお、図１０では本体枠３までもが外枠２から前面側へ開かれた状態で示されているが、ここでは本体枠３を開放することが必須ではない。したがって、以下の説明では前面枠５だけが開放されている場合にも該当するものとする。
【０１０９】
前部ユニット４２ａが取り外されると、それまで前部ユニット４２ａが嵌め込まれていた貫通穴４ｂが前面側に露出する。そして、このとき貫通穴４ｂの下側部分には、球誘導部材７０の着脱空間８６が形成（開通）された状態で存在することとなる。この着脱空間８６は、手前側の球誘導部材７０を後部ユニット４２ｂに対して遊技板４ａの前面側から着脱するための作業経路・空間としての位置付けであり、前面側からみて球誘導部材７０の外形寸法とほとんど同じか、それより大きい投影面積を有する経路・空間として規定される。
【０１１０】
したがって、通常の完成状態で前部ユニット４２ａが遊技板４ａに装着されていると、球誘導部材７０の前面側の一部（係合片６８ａ，６８ｂ、ねじ孔７０ｂ，７０ｃを含む部分）は前部ユニット４２ａの下縁部によって遮蔽されているため、この状態で着脱空間８６は形成されていない（閉鎖されている）ことになる。
【０１１１】
一方、図１０に示されているように、前面枠５を開放した状態でさらに遊技板４ａから前部ユニット４２ａが取り外されると、着脱空間８６が形成（開通）された状態となる。この状態で、パチンコ機１の開発者・設計者は既存の球誘導部材７０を取り外し、そして新たに用意した別の球誘導部材７０に付け替える作業を行うことができる。このとき開発者・設計者は、先ず着脱空間８６を通じて前面側に露出されたねじの頭に工具を突き立て、そのまま工具を回してねじを緩めることで２箇所の締結を解除することができる。そして開発者・設計者が着脱空間８６を通じて球誘導部材７０を手前側へ引っ張れば、その係合孔部７０ａと後部ユニット４２ｂの係合片６８ａ，６８ｂとの嵌め合わせが外れるので、その後は容易に球誘導部材７０だけを取り外すことができる。なお、このとき奥側の球誘導部材７２の締結も一緒に解除されているが、奥側の球誘導部材７２はその係合孔部７２ａを係合片６８ａ，６８ｂに嵌め合わせた状態にあるので、手前側の球誘導部材７０と一緒に奥側の球誘導部材７２が脱落してしまうことはない。
【０１１２】
上記のようにして既存の球誘導部材７０が取り外されると、後部ユニット４２ｂには奥側の球誘導部材７２が残された状態となる。次に設計者・開発者は、交換品として用意された別の球誘導部材７０を着脱空間８６内に位置付け、そして、左右の係合孔部７０ａを後部ユニット４２ｂの係合片６８ａ，６８ｂに嵌め合わせるようにして球誘導部材７０を押し込んでいく。係合孔部７０ａ，７０ｂが係合片６８ａ，６８ｂに正確に嵌め合わせられていれば、後はそのまま球誘導部材７０を押し込んでいくだけで球誘導部材７０が後部ユニット４２ｂに対して正確に位置決めされる。これにより、奥側の球誘導部材７２に対して手前側の球誘導部材７０が重ね合わせられるようにして位置付けられる。そして開発者・設計者は、着脱空間８６を通じて球誘導部材７０，７２をともにねじ留めし、後部ユニット４２ｂへの取り付けを完了する。
【０１１３】
このようにして球誘導部材７０の付け替えが終わると、開発者・設計者は図１０に示される状態から前部ユニット４２ａを元通りに遊技板４ａに装着し、後は前面枠５を閉じるだけでパチンコ機１の試射による性能試験を行うことができる。
【０１１４】
パチンコ機１の開発過程では１作業日あたりに高頻度で球誘導部材７０を付け替えし、性能評価を行うことが繰り返し行われているが、本実施形態では、このような性能評価の結果に応じて球誘導部材７０の具体的な形状を変更しながら試行錯誤を繰り返していくような場合においても、作業性を大幅に向上することで、パチンコ機１の開発工数を大幅に削減することができる。
【０１１５】
その一方で、通常、パチンコ機１の組み立て状態では、前部ユニット４２ａによって着脱空間８６が形成されていない（閉鎖されている）ため、球誘導部材７０が不用意に脱落してしまうことはない。したがって、長期間にわたる性能試験や実際の遊技場での稼働に充分に耐えることができるので、パチンコ機１の信頼性や耐久性、品質向上等に大きく寄与できる。
【０１１６】
また、前部ユニット４２ａの取付状態では、球誘導部材７０を固定するねじ等の固定部材（締結具）が前面側からは視認されないので、遊技者からは球誘導部材７０が着脱可能であることが意識されなくなる。このため、パチンコ機１の構造に何らかの改変を加えることを意図した不正遊技者がいたとしても、球誘導部材７０を別のもの（極端に上始動口５２に入賞する割合を高く改造した不正パーツ）に入れ替えようとする発想にまでは至らず、不正行為を未然に防止できるという効果を奏する。
【０１１７】
本実施形態では、球誘導部材７０を固定するねじ等の固定部材（締結具）が前部ユニット４２ａの装飾体４３ｃによって覆い隠されているため、演出装置４２の外観を損なうことがない。
【０１１８】
図１１は、パチンコ機１の動作を制御するための構成を概略的に示している。パチンコ機１の制御は、大きく分けて主基板のグループと周辺基板のグループとで分担されており、このうち主基板のグループが遊技動作（入賞検出や当り判定、特別図柄表示、賞球払出等）を制御しており、周辺基板のグループが演出動作（発光装飾や音響出力、液晶表示等）を制御している。これら基板類は、いずれもパチンコ機１の背面側に設置されており、通常、本体枠３の施錠を解除した上で本体枠３を開放しない限り前面側から視認されたり、操作されたりすることはない。この他にも、パチンコ機１には電源基板や発射制御基板、インタフェース基板（ＣＲ機の場合）等が装備されているが、いずれも公知のものを適用できるため、ここでは図示とともに詳細な説明を省略する。
【０１１９】
主基板グループは、主基板１０１と払出基板１０５とから構成されている。主基板１０１は、中央演算装置としてのＣＰＵ１０２をはじめ、読み出し専用メモリとしてのＲＯＭ１０３や読み書き可能メモリとしてのＲＡＭ１０４等を備えている。このうちＣＰＵ１０２は、ＲＯＭ１０３に格納されている遊技制御プログラムを実行し、この実行に伴いパチンコ機１で行われる各種遊技を制御する。またＣＰＵ１０２は、周辺基板グループや払出基板１０５に送信するコマンド（演出コマンド、払出コマンド等）を作成する。また、ＲＡＭ１０４には、主基板１０１で実行される種々の処理において生成される各種データや入力信号等の情報が一時的に記憶される。
【０１２０】
なお、主基板１０１には、ゲートスイッチ１７４ａ、始動口スイッチ１７０ａ，１７０ｂ、カウントスイッチ１７５ａ、一般入賞口スイッチ１１３ａ等が接続されており、主基板１０１には、これらスイッチ類から検出信号が入力される。具体的には、ゲートスイッチ１７４ａは遊技領域１２内のゲート５８に対応して設置されており、遊技球が流下する過程でゲート５８を通過すると、その通過がゲートスイッチ１７４ａにより検出され、そして検出信号が主基板１０１に入力される。また、始動口スイッチ１７０ａは上始動口５２に対応して設置されており、また始動口スイッチ１７０ｂは、下始動口５４に対応して設置されている。したがって、遊技球が上始動口５２または下始動口５４に入賞すると、対応する始動口スイッチ１７０ａ，１７０ｂから主基板１０１に検出信号が入力される。またカウントスイッチ１７５ａは大入賞口６２に対応して設置されており、大当り遊技中に大入賞口６２に遊技球が入賞すると、カウントスイッチ１７５ａから主基板１０１に検出信号が入力される。そして、一般入賞口スイッチ１１３ａは一般入賞口６６に対応して配置されており、遊技球が一般入賞口６６に入賞すると、一般入賞口スイッチ１１３ａから主基板１０１に検出信号が入力される。
【０１２１】
そして、ＣＰＵ１０２は、これら入力された検出信号に応じた処理を実行する。すなわちＣＰＵ１０２は、入力された検出信号に基づいてソレノイド１７１ａ，１７６ａ、特別図柄表示器１４１、普通図柄表示器１４４、特図始動記憶ランプ１４７（発光体）、普図始動記憶ＬＥＤ１４８、状態表示ＬＥＤ１４５、大当り種類表示ＬＥＤ１４６等に対し、それぞれの駆動信号を出力する。さらにＣＰＵ１０２は、入賞に応じた遊技球の払い出しを指示する払出コマンドを払出基板１０５に対して出力する。
【０１２２】
なお、上記の特図始動記憶ランプ１４７は、前部ユニット４２ａの発光領域４８ａを発光させるための発光体（ＬＥＤ）であるが、この特図始動記憶ランプ１４７は基板とともに後部ユニット４２ｂに取り付けられている。このため本実施形態では、特図始動記憶ランプ１４７の電気配線や基板類が前部ユニット４２ａには全く取り付けられていない。
【０１２３】
払出基板１０５もまた、中央演算装置としての払出ＣＰＵ１０６をはじめ読み出し専用メモリとしての払出ＲＯＭ１０７や読み書き可能メモリとしての払出ＲＡＭ１０８等を備えている。なお、上述した始動口スイッチ１７０ａ，１７０ｂやカウントスイッチ１７５ａ、一般入賞口スイッチ１１３ａ等により遊技球の入賞が検出されると、各スイッチから検出信号が主基板１０１に入力される。そして主基板１０１では、入力された検出信号に基づいてＣＰＵ１０２から払出基板１０５に対して規定個数の遊技球の払い出しを指示する払出コマンドが送信される。そして、払出基板１０５は、主基板１０１から受けとった払出コマンドを処理し、規定個数分の遊技球の払い出しを実行するべく払出装置１０９（払出モータ）に対して駆動信号を出力する。この結果、実際に払出装置１０９によって規定個数分の遊技球の払い出しが行われる。
【０１２４】
また払出基板１０５には、発射モータを備えた発射装置１３５が接続されており、発射装置１３５は、発射モータの動力を用いて遊技球を遊技領域１２に向けて発射する動作を行うことができる。遊技者が操作ハンドル１８を操作（捻り操作）すると、発射装置１３５の発射モータが駆動され、これにより遊技球が打ち出される。
【０１２５】
図１１には示されてないが、発射装置１３５には、遊技者の身体が操作ハンドル１８に触れていることを検知するためのタッチセンサが内蔵されている。発射装置１３５は、遊技者が操作ハンドル１８に触れていることが検知されている場合に発射モータを駆動可能な状態となる。そして、この状態で操作ハンドル１８が初期の位置から時計回り方向に捻り操作されると、発射装置１３５は実際に発射モータを駆動して遊技球を発射する。
【０１２６】
あるいは、下皿１７が満タン、つまり、払い出された遊技球で下皿１７が満杯になったことを検出する下皿満タンスイッチを設け、この下皿満タンスイッチからの検出信号が入力されたときに操作ハンドル１８の操作を受付不能な状態とする制御を行い、これにより発射装置１３５による発射モータの駆動を不可能な状態にすることもできる。すなわち、払出装置１０９から払い出された遊技球はひとまず上皿２８に貯留されるが、上皿２８に貯留しきれない数の遊技球が払い出された場合には、その貯留しきれない分の遊技球は上皿２８と連通した下皿１７に貯留される。この状態でさらに払出装置１０９により遊技球が払い出され、いよいよ下皿１７が満タンになると、上記の下皿満タンスイッチから検出信号が出力されるので、これにより操作ハンドル１８の操作が受付不能な状態に制御される。またこの場合、下皿満タンスイッチからの検出信号が出力されなくなると、操作ハンドル１８の操作を受付可能な状態に復帰する制御が行われる構成としてもよい。
【０１２７】
周辺基板グループは、サブ統合基板１１１やランプ駆動基板１１９、役物制御基板１１５、表示制御基板１２０等から構成されている。このうちサブ統合基板１１１は、統合ＣＰＵ１１２をはじめ統合ＲＯＭ１１３、統合ＲＡＭ１１４を備えている。また、サブ統合基板１１１は、音出力に関する制御を行う音源ＩＣ１２８を備えるほか、音出力に関する読み出し専用メモリとしての音ＲＯＭ１２７をも備えている。統合ＣＰＵ１１２は、統合ＲＯＭ１１３に格納されている演出制御プログラムを実行することにより主基板１０１から受信された演出コマンドに基づく処理を実行する。また、統合ＲＡＭ１１４には、サブ統合基板１１１で実行される種々の処理において生成される各種データや入出力信号、主基板１０１から受信した演出コマンド等の情報が一時的に記憶される。そして、統合ＣＰＵ１１２は、ＲＡＭ１１４に記憶されている演出コマンドを読み出すと、この読み出した演出コマンドに基づいて表示制御基板１２０に対して表示コマンドを送信したり、ランプ駆動基板１１９にランプ点灯信号やソレノイド駆動信号を送信したり、あるいは、枠ランプ２７に駆動信号を出力したりする。またサブ統合基板１１１は、音源ＩＣ１２８によって演出コマンドに基づく音出力態様を音ＲＯＭ１２７から読み出し、この読み出した音出力態様に応じた駆動信号を上部スピーカ２９および下部スピーカ１４に出力する。
【０１２８】
ランプ駆動基板１１９は、サブ統合基板１１１から受信したランプ点灯信号を遊技盤ランプに送信し、また、サブ統合基板１１から受信したソレノイド駆動信号をソレノイドに送信する。遊技盤ランプおよびソレノイドは、演出装置４２に装備されているものであり、このうち遊技盤ランプは演出装置４２において発光演出に用いられ、またソレノイドは、可動装飾体４４ａ，４４ｂ，４４ｃの駆動に用いられる。なお、ランプ駆動基板１１９は、サブ統合基板１１１から送信されるランプ点灯信号を各ランプ（ＬＥＤ）別に振り分けて遊技盤ランプに受け渡すほか、サブ統合基板１１１から送信されるソレノイド駆動信号をソレノイドにそのまま受け渡すものであり、実質的な遊技盤ランプおよびソレノイドの制御はサブ統合基板１１１が行っている。以下、ランプ駆動基板１１９を省略して説明する場合がある。
【０１２９】
表示制御基板１２０は、中央演算装置としての表示ＣＰＵ１２１を備えるほか、読み出し専用メモリとしての表示ＲＯＭ１２２や読み書き可能メモリとしての表示ＲＡＭ１２３を備えている。このうち表示ＣＰＵ１２１は、サブ統合基板１１１からの表示コマンドに基づいて液晶表示装置５０を制御する。
【０１３０】
次に、上述した各種の構成部材や装置等が設けられた遊技盤４にて実現される遊技について説明する。先ず、遊技者が操作ハンドル１８を捻り操作することにより、パチンコ機１の裏面側に設けられた発射装置１３５によって遊技球が打ち出される。発射装置１３５から打ち出された遊技球は、発射レール１５および案内レール１１に沿って上昇すると遊技領域１２の上部に放出され、この後は遊技領域１２内を障害釘等に衝突しながら流下する。
【０１３１】
遊技領域１２を流下する遊技球がゲート５８を通過すると、ゲートスイッチ１７４ａによって遊技球の通過が検出され、この検出信号に基づいて普通図柄表示器１４４（表示領域６４ｃ）では普通図柄の変動表示（ＬＥＤが緑色と赤色とで交互に点灯する表示態様）が開始される。
【０１３２】
すなわちゲートスイッチ１７４ａにより遊技球が検出されると、主基板１０１のＣＰＵ１０２は所定範囲の普通図柄当り判定乱数を更新するカウンタから普通図柄当り判定乱数を抽出する。そしてＣＰＵ１０２は、普通図柄表示器１４４による普通図柄の変動開始時に普通図柄当り判定乱数に基づいて当りとするか否かの判定を行い、この判定結果に応じた態様（本実施形態では、当りであれば赤色の点灯表示、はずれであれば緑色の点灯表示）で最終的に普通図柄を停止表示させる。
【０１３３】
また、普通図柄表示器１４４において普通図柄の変動表示中に遊技球がゲート５８を通過すると、ＣＰＵ１０２にて抽出された普通図柄当り判定乱数は、所定個数（本実施形態では４個）までＲＡＭ１０４に記憶される。このとき、記憶された普通図柄当り判定乱数の個数は普図始動記憶ＬＥＤ１４８（発光領域６４ｅ）の点灯態様によって表示される。具体的には、ゲート５８の通過が有効である間（普通図柄の始動記憶数が４未満のとき）にゲートスイッチ１７４ａにより遊技球の通過が検出されると、その都度、普図始動記憶ＬＥＤ１４８の点灯態様を切り替える。
【０１３４】
本実施形態では、例えば普図始動記憶数が１である場合に下側の普図始動記憶ＬＥＤ１４８（発光領域６４ｅ）が１つだけ点灯し、次に普図始動記憶数が２に増えると、下側に加えて上側の普図始動記憶ＬＥＤ１４８（発光領域６４ｅ）がともに点灯する（２つ点灯する態様）。さらに普図始動記憶数が３に増えると、それまで単純点灯していた上側の普図始動記憶ＬＥＤ１４８が点滅状態に切り替わり、下側の普図始動記憶ＬＥＤ１４８は単純点灯状態のままとなる。そして、普図始動記憶数が最大の４に達すると、２つの普図始動記憶ＬＥＤ１４８がともに点滅状態になる。反対に、普通図柄表示器１４４にて普通図柄の変動表示が開始されると、その都度、普図始動記憶数が１つずつ減っていくので、この場合は上記と逆の態様により普図始動記憶ＬＥＤ１４８が点灯・点滅することになる。
【０１３５】
本実施形態では、普通図柄の変動開始時にＣＰＵ１０２において普通図柄当り判定乱数に基づいて当りとする判定がなされた場合には、所定期間経過後に普通図柄表示器１４４（発光領域６４ｃ）が赤色に点灯した状態で停止表示される。そしてこの後、ソレノイド１７１ａを作動状態（通電状態）に切り替えることで左右の開閉部材５６ａを拡開させ、入球装置５６を所定期間（例えば０．５秒間）にわたり開放状態にする制御が行われる。これにより、下始動口５４への入賞が可能な状態となる。またこの後、所定期間が経過するとソレノイド１７１ａを非作動状態（非通電状態）に戻すことで開閉部材５６ａを初期位置に復帰させ、入球装置５６を閉塞状態に戻す制御が行われる。
【０１３６】
これに対し、普通図柄の変動開始時にＣＰＵ１０２において普通図柄当り判定乱数に基づいてはずれとする判定がなされた場合、所定期間経過後に普通図柄表示器１４４（発光領域６４ｃ）が緑色に点灯した状態で停止表示されるだけであり、特に入球装置５６は開放状態に制御されない。したがって、この場合は依然として下始動口５４には入賞できない状態であるが、上始動口５２への入賞は引き続き可能となっている。
【０１３７】
遊技領域１２内を流下する遊技球が上始動口５２または下始動口５４に入賞すると、始動口スイッチ１７０ａまたは始動口スイッチ１７０ｂにより遊技球の入賞が検出される。この場合、特別図柄の変動表示が開始可能な状態（例えば、大当り遊技中でない状態であるか、または特別図柄・装飾図柄の変動表示中でない状態）であれば、特別図柄表示器１４１（４つの発光領域６４ａ）にて特別図柄の変動表示が開始されるとともに、液晶表示装置５０で装飾図柄（例えば数字の「０」〜「９」をデザインしたもの）の変動表示が開始される。本実施形態では、特別図柄が４つの発光領域６４ａの点灯の組み合わせで表される。また装飾図柄は、液晶表示装置５０画面上には、左装飾図柄、中装飾図柄および右装飾図柄の３つが表示され、これらはいずれも装飾図柄の列が画面上を一定方向へ順送り（スクロール）されるようにして変動表示される。
【０１３８】
特別図柄や装飾図柄の変動表示は所定期間経過後に停止され、その停止時に特別図柄が特定の態様（大当りとなる複数の発光領域６４ａの点灯の組み合わせ：大当り図柄）で表示されると、これに合わせて装飾図柄の停止図柄（左・中・右の装飾図柄全てが停止した状態）も特定の態様（同一の装飾図柄の組み合わせ：大当り図柄）で表示される。この場合、主基板１０１のＣＰＵ１０２は「大当り遊技状態」の制御を開始する。なお、変動表示が行われる期間は、大当り判定乱数やその他の乱数に応じて数秒〜数十秒の範囲内で決定される。
【０１３９】
大当り遊技状態では、ＣＰＵ１０２はソレノイド１７６ａを作動させてアタッカ装置６０を開放させる制御を行う。すなわち、ソレノイド１７６ａが作動すると、開閉部材６０ａがその下縁部を支点としてパチンコ機１の手前方向に倒れ込むようにして回動し、これにより大入賞口６２への入賞を可能とする。このようなアタッカ装置６０の開放制御は、所定時間（例えば、３０秒）が経過するか、もしくは所定個数（例えば、１０個）の遊技球が大入賞口６２に入賞したことがカウントスイッチ１７５ａにより検出されるかのいずれかの条件が満たされるまで継続して行われる。
【０１４０】
上記のいずれかの条件が満たされると、ＣＰＵ１０２はソレノイド１７６ａを非作動（非通電）の状態に戻し、それまで手前方向へ倒れていた開閉部材６０ａを盤面に沿って起立させる。これにより大入賞口６２が閉じた状態となり、アタッカ装置６０は閉塞状態に制御されることになる。大当り遊技状態において、ＣＰＵ１０２はアタッカ装置６０を開放状態にしてから閉塞状態に戻すまでを１回の開閉サイクル（以下、これをラウンドともいう）とする制御を繰り返し実行し、この制御を所定回数（１５ラウンド）まで繰り返すと、そこで大当り遊技状態を終了させる。このように、大当り遊技状態に移行すると大入賞口６２が開放されるので、この開放された大入賞口６２に遊技球を入賞させることで、上始動口５２や下始動口５４、一般入賞口６６等に遊技球を入賞させるよりも短時間で多量の遊技球を獲得可能であることから、遊技者の興趣を高めることができる。
【０１４１】
また本実施形態では、左・中・右の装飾図柄は、左装飾図柄→右装飾図柄→中装飾図柄の順に停止するように制御される。装飾図柄の停止図柄とは、左・中・右の装飾図柄の変動表示を開始して中装飾図柄が停止表示されることにより左・中・右の装飾図柄全てが停止表示された状態の図柄の組み合わせをいう。
【０１４２】
また本実施形態では、特別図柄の停止時に表示される特定の態様には、さらに特別態様（確変大当りとなる複数の発光領域６４ａの点灯の組み合わせ）があり、停止時の特別図柄が特別態様で表示された場合には、装飾図柄の停止図柄も特別態様（確変大当り図柄：本実施形態では、同一の奇数図柄の組み合わせ）となる。この場合、いわゆる「確変大当り」となり、大当り遊技状態の終了後、次に大当り遊技状態となる確率（当選確率）が高くなる（本実施形態では、確率変動状態では７０分の１の確率であり、確率変動状態以外では４９０分の１の確率である。）。すなわち、停止時の特別図柄が特別態様であった場合は、大当り遊技の終了後に「確率変動状態」という遊技者にさらに有利な状態になる。
【０１４３】
大当り遊技の終了後に確率変動状態になると、以下の内容でいわゆる時短制御が行われる。すなわち、確率変動状態では、特別図柄表示器１４１（４つの発光領域６４ａ）にて特別図柄の変動表示を開始してから特別図柄を停止表示するまでの変動時間と、普通図柄表示器１４４（発光領域６４ｃ）にて普通図柄の変動表示を開始してから普通図柄を停止表示するまでの変動時間とを通常状態よりも短縮する制御が行われる。また、あわせて普通図柄表示器１４４（発光領域６４ｃ）における普通図柄の変動表示の結果が「当り」となる確率を高める制御が行われる。さらに、普通図柄の変動表示の結果「当り」となった場合に開閉部材５６ａの開放時間を通常状態よりも延長する制御（本実施形態では、通常状態で０．５秒間、時短状態および確率変動状態で０．８秒）が行われるとともに、入球装置５６の開放回数を通常状態よりも増加させる制御（本実施形態では、通常状態で１回、時短状態および確率変動状態で３回）も行われる。
【０１４４】
一方、停止時の特別図柄が特定の態様で表示された場合であっても、上記の特別態様とは異なる非特別態様（非確変大当りとなる複数の発光体の点灯の組み合わせ）であれば、装飾図柄の停止図柄も非特別態様（非確変大当り図柄：本実施形態では、同一の偶数図柄の組み合わせ）となり、以下の内容で時短制御が行われる。すなわち、大当り遊技状態の終了後、特別図柄表示器１４１（４つの発光領域６４ａ）にて特別図柄の変動表示が実行される回数が所定の回数（本実施形態では１００回）に達するまでの間、特別図柄の変動時間と普通図柄の変動時間とを通常状態よりも短縮する制御が行われる。また、普通図柄の変動表示の結果「当り」となった場合に開閉部材５６ａの開放時間を通常状態よりも延長する制御とともに、あわせて開閉部材５６ａの開放回数を通常状態よりも増加させる制御が実行される。これら時短状態では、特別図柄表示器１４１にて実行される特別図柄の変動表示の実行回数が所定の回数に達するまでの間、下始動口５４への入賞確率が増加して、一定期間内での特別図柄の変動表示の実行回数を増加させることができる（つまり、大当りの抽選機会が増える）ため、それだけ遊技者にとって有利な状態となる。また、上述した確率変動状態では、時短制御に加えて、普通図柄表示器１４４にて普通図柄の変動表示の結果が「当り」となる確率が高められるため、時短状態よりもさらに遊技者に有利な状態となる。なお、通常状態とは、上述した確率変動状態または時短状態ではない状態を意味する。
【０１４５】
なお本実施形態では、上始動口５２に遊技球が入賞し、始動口スイッチ１７０ａによって検出されたときに規定個数として３個の遊技球が払い出され、また、下始動口５４に遊技球が入賞し、始動口スイッチ１７０ｂによって検出されたときに規定個数として４個の遊技球が払い出される。このように、上始動口５２と下始動口５４とで払出個数に差が設けられているのは以下の理由による。
【０１４６】
すなわち、下始動口５４は通常、開閉部材５６ａによって閉塞されており、普通図柄の変動表示の結果が「当り」とならない限り入賞の機会がない構造であるのに対し、上始動口５２は、常に上方から遊技球を受け入れ可能な構造であることから、上始動口５２への遊技球１個の入賞に対する払出個数が多すぎると、遊技場運営者に比較して遊技者が有利になりすぎる。そうすると、遊技場運営者の不利益解消策として始動口（上始動口５２および下始動口５４）への入賞が抑制されてしまい、結果的に抽選遊技（大当り遊技状態とするか否かの判定）の期待が減ることで遊技者に不快感を与えてしまいかねない。反対に、上始動口５２への入賞に対する払出個数が少なすぎると、それだけ抽選遊技に必要とする遊技球の数が増大してしまい、結果的に過度の投資が必要となって遊技者に不利益を与えてしまうことになる。
【０１４７】
一方の下始動口５４は、時短状態および確率変動状態においては遊技者に有利な遊技を提供するものであり、開閉部材５６ａの開放時間と開放回数の延長制御を行うことで、下始動口５４への入賞確率を増加させている。しかし、遊技球の入賞に対する払出個数が少なすぎると、発射球の数に対して払い出しの数が少なくなり、結果的に有利な遊技状態であるにも関わらず、遊技球の残数が次第に減っていくことで遊技者に不快感を与えてしまうことになる。これらの事象を考慮し、本実施形態では上始動口５２および下始動口５４それぞれの払出個数（３，４個）が設定されている。
【０１４８】
また、特別図柄表示器１４１における特別図柄の表示結果と、液晶表示装置５０における装飾図柄の表示結果とは対応している。すなわち、特別図柄の変動開始時に大当りとしない判定がなされた場合には、上記の特定の態様とは異なる態様、つまり、はずれの態様によりＬＥＤ（４つの発光領域６４ａ）を点灯させて特別図柄を停止表示するとともに、液晶表示装置５０では、はずれの態様（はずれ図柄：大当り図柄以外の図柄、本実施形態では少なくとも２種類以上の識別情報（図柄）の組み合わせ）により装飾図柄の画像が表示される。
【０１４９】
また装飾図柄は、特別図柄とは異なる演出用の図柄であり、特別図柄の変動表示（４つの発光領域６４ａの点滅）の内容を演出用の装飾図柄の変動表示によって演出的に表現することで、見た目上の演出効果を高めるものである。つまり、特別図柄表示器１４１のＬＥＤが特定の態様で点灯表示されると大当り遊技状態に移行する制御が行われるが、万が一、液晶表示装置５０において装飾図柄の表示結果が特定の態様となったとしても、特別図柄表示器１４１におけるＬＥＤが特定の態様で点灯表示されていない場合、大当り遊技状態に移行する制御が行われることはない。
【０１５０】
また本実施形態では、大当り遊技状態で実行されるラウンド数として「１５回」が設定された１種類の大当り遊技状態に制御可能であるが、大当り遊技状態として遊技者に付与される利益が異なる複数種類の大当り遊技状態に制御可能に構成してもよい。例えば、大当り遊技状態にて実行されるラウンド数が異なる複数種類の大当り遊技状態に制御するように構成してもよい。この場合には、大当り判定乱数に基づいて大当りとする判定がなされた後、大当り遊技状態にて実行するラウンド数を決定するようにしてもよいし、大当り判定乱数に基づいて異なるラウンド数が設定された複数種類の大当り遊技状態のうちいずれかに制御するか否かの判定を行うようにしてもよい。
【０１５１】
また、本実施形態では、状態表示ＬＥＤ１４５（発光領域６４ｂ）が上述した確率変動状態で赤色に点灯制御され、一方、時短状態では緑色に点灯制御される。そして、時短状態または確率変動状態が終了して通常状態になるか、あるいは大当り遊技状態に移行すると状態表示ＬＥＤ１４５（発光領域６４ｂ）が消灯される。
【０１５２】
また本実施形態では、大当り遊技中に上述した大当り種類表示ＬＥＤ１４６（２つの発光領域６４ｄ）が点灯する。具体的には、大当り遊技状態の種類に応じて、大当り種類表示ＬＥＤ１４６となる上下２つの発光領域６４ｄのいずれか一方か、もしくは両方が点灯する。本実施形態では、１種類の大当り遊技状態にのみ制御可能であるため、大当り種類表示ＬＥＤ１４６を点灯させる必要はないが、複数種類の大当り遊技状態に制御可能に構成した場合には、複数種類の大当り遊技状態に対応して大当り種類表示ＬＥＤ１４６を点灯・消灯制御することにより、大当り遊技状態の種類を外部から容易に把握することができる。
【０１５３】
例えば、複数種類の大当り遊技状態として、大当り遊技状態にて実行されるラウンド数として「２回」が設定された第１大当り遊技状態と、大当り遊技状態にて実行されるラウンド数として「１５回」が設定された第２大当り遊技状態とを実行可能な構成とした場合を想定する。この場合、第１大当り遊技状態の実行中に大当り種類表示ＬＥＤ１４６の上側の発光領域６４ｄに対応するＬＥＤを点灯させ、第２大当り遊技状態の実行中に下側の発光領域６４ｄに対応するＬＥＤを点灯させる制御を実行するようにしてもよい。このように、本実施形態のパチンコ機１は、複数種類の大当り遊技状態に制御可能な構成にも対応可能であることが理解される。
【０１５４】
図１２は、演出装置４２を単独（遊技板４ａから取り外した状態）で示している。図１２では、前部ユニット４２ａと後部ユニット４２ｂとが相互に組み合わせられた状態、つまり、相互に位置決めされた状態で示されており、それゆえ図１２では遊技板４ａの前後でみた前部ユニット４２ａと後部ユニット４２ｂとの相対的な位置関係が明らかとなっている。
【０１５５】
図１２から明らかなように、前部ユニット４２ａと後部ユニット４２ｂとが相互に位置決めされると、前部ユニット４２ａは後部ユニット４２ｂの前面側に重なるようにして配置される。概して後部ユニット４２ｂは、前面側からみて前部ユニット４２ａよりも大きな外形を有しており、それゆえ後部ユニット４２ｂは前部ユニット４２ａの周囲にはみ出すようにして配置される。ただし、実際には前部ユニット４２ａと後部ユニット４２ｂとの間に遊技板４ａが位置しているため、図１２に示される後部ユニット４２ｂの外形が遊技者から視認されることはない。
【０１５６】
また図１２では、前部ユニット４２ａの一部（下縁部の左半分と左側縁部の下半分）が破断された状態で示されており、それゆえこの破断箇所では後部ユニット４２ｂの表面が前面側に露出するようにして示されている。
【０１５７】
図１２中、前部ユニット４２ａの破断箇所に示されているように、手前側の球誘導部材７０にはランプ基板１４７ａが取り付けられており、このランプ基板１４７ａに特図始動記憶ランプ１４７としてのＬＥＤ（発光体）が実装されている。ランプ基板１４７ａは放出口７２ｅを挟んで左右両側に１枚ずつ設けられており、各ランプ基板１４７ａに２つずつ特図始動記憶ランプ１４７（ＬＥＤ）が実装されている。また図１２中、前部ユニット４２ａの下縁部の右半分（破断箇所でない部分）に示されているように、個々の特図始動記憶ランプ１４７（ＬＥＤ）は、前面側からみて発光領域４８の背後に位置付けられている。
【０１５８】
図１２には示されていないが、各ランプ基板１４７ａの裏面にはコネクタを介してハーネスが接続されており、このハーネスは後部ユニット４２ｂの内部を通って上記のランプ駆動基板１１９に接続されている。
【０１５９】
図１３は、特図始動記憶ランプ１４７から発光領域４８につながる導光通路８８の構成を詳細に示している。上記のように、特図始動記憶ランプ１４７（ランプ基板１４７ａ）は球誘導部材７０、つまり後部ユニット４２ｂに取り付けられていることから、前後方向でみると、特図始動記憶ランプ１４７（ランプ基板１４７ａ）は遊技板４ａの背面側で前部ユニット４２ａよりも奥まったところに位置する。
【０１６０】
一方、発光領域４８は前部ユニット４２ａの表面に形成されていることから、発光領域４８と特図始動記憶ランプ１４７との間には一定の間隔（本実施形態では遊技板４ａの板厚程度）が存在することになる。このため前部ユニット４２ａには、発光領域４８と特図始動記憶ランプ１４７との間を埋めるようにして導光部材９０が設けられており、さらにこの導光部材９０の内部に導光通路８８が形成されている。
【０１６１】
導光通路８８は、導光部材９０の内部を前後方向に貫通して延び、その前端および後端がいずれも開放されている。導光通路８８の前端は発光領域４８の直ぐ背面側に位置し、また後端はランプ基板１４７ａの実装面に対向するようにして位置している。この状態で、特図始動記憶ランプ１４７は導光通路８８の後端から僅かに内部に進入している。このため特図始動記憶ランプ１４７が発光すると、この光は導光通路８８を通じて前面側に導かれ、そして発光領域４８を透過して前面側から視認可能となる。
【０１６２】
また前部ユニット４２ａには、導光部材９０とともに光拡散部材４８ａが取り付けられており、この光拡散部材４８ａの表面に発光領域４８が形成されている。このとき、特図始動記憶ランプ１４７の発する光は光拡散部材４８ａにより拡散されるので、発光領域４８の全体がほぼ均一な輝度で面発光することになる。これにより、遊技者からは数字の「１」〜「４」が点灯したり、消灯したりする様子が視認されることとなる。
【０１６３】
導光部材９０は、例えば黒色・暗褐色等の暗色系の樹脂材料から成型されており、それゆえ導光通路８８の内壁は、比較的高い遮光性を有する。これにより、導光通路８８から周囲への光の漏洩が効果的に防止されるので、特図始動記憶ランプ１４７の発する光によって対応する発光領域４８をくっきりと発光させることができる。
【０１６４】
なお図１３では、１つの発光領域４８に通じる導光通路８８が示されているが、導光部材９０には、４つの発光領域４８全てにそれぞれ対応して４つの導光通路８８が形成されている。また、互いに隣り合う導光通路８８の間は仕切壁９０ａによって仕切られており、特に本実施形態では、仕切壁９０ａが複重（２枚）構造となっている。それゆえ、互いに隣り合う２つの発光領域４８（例えば記憶数「１」と「２」を表すもの同士、記憶数「３」と「４」を表すもの同士）との間での光漏れが強固に防止されている。
【０１６５】
上記のように前部ユニット４２ａには、特別図柄の始動記憶数を表示するための発光領域４８が形成されているにもかかわらず、特段の電気的な部品・配線・基板等が全く装備されておらず、発光動作を行うための電気的な構成要素（ＬＥＤ、基板、コネクタ、ハーネス類）は全て後部ユニット４２ｂに設けられている。このためパチンコ機１の製造工程（特に遊技盤４の組み立て工程）では、前部ユニット４２ａを遊技板４ａに組み付ける際、前部ユニット４２ａに対して電気的な構成要素を取り付ける作業を行う必要がないことから、それだけ作業工数を低減し、パチンコ機１の製造効率を大幅に向上することができる。
【０１６６】
また本実施形態では前部ユニット４２ａに電気的な構成要素（ＬＥＤ、基板、コネクタ、ハーネス類）が設けられていないことから、パチンコ機１の組み立て後においても、前部ユニット４２ａのねじ留めを外すだけでこれを容易に取り外すことができる。したがって、パチンコ機１の組み立て後における球誘導部材７０の交換作業に際して、前部ユニット４２ａを着脱する度にその電気的な配線作業を一々やり直す必要がないことから、球誘導部材７０の交換作業を迅速かつ容易に行うことができる。
【０１６７】
さらに本実施形態では、パチンコ機１の組み立て後に球誘導部材７０の取り替え作業を行う場合、前面枠５を開放し、演出装置４２の前部ユニット４２ａを取り外すだけでよいので、いちいち遊技盤４を遊技盤装着枠９から取り外し、さらにその背面側の制御基板ボックスや後部ユニット４２ｂをも遊技板４ａから取り外すような手間が必要なくなる。特に本実施形態では、後部ユニット４２ｂの外形が貫通穴４ｂの開口面積よりも大きく、後部ユニット４２ｂそのものを遊技板４ａの前面側から着脱することができない構造であるが、前面側から貫通穴４ｂを通じて球誘導部材７０の着脱作業を行うことができるところに多大な有用性がある。
【０１６８】
球誘導部材７０，７２による遊技球の誘導態様については既に説明したが、本実施形態では、奥側の球誘導部材７２（第１の球誘導部材）に形成された上段ステージ８０および中段ステージ８２の機能に特徴を有する。以下、上段ステージ８０および中段ステージ８２の特徴について説明する。
【０１６９】
図１４は、上段ステージ８０および中段ステージ８２での遊技球の転動経路を示している。本実施形態の場合、ワープ通路（７８ｂ）および放出口７８ｃが上段ステージ８０の左側にしか設けられていないため、上段ステージ８０への遊技球のアプローチは左側からしか行われないが、遊技球が上段ステージ８０から中段ステージ８２に乗り移ると、ここで転動方向が左右の二手に分かれるようにして振り分けられる。したがって、最終的に下段ステージ８４へのアプローチは左右の両側から行われることになる。
【０１７０】
これにより下段ステージ８４では、中段ステージ８２を右方向へ下って、その終端でＵターンしてきた遊技球が勢いよく右側から進入してくる態様と、反対に、中段ステージ８２を左方向へ下って、終端でＵターンしてきた遊技球が勢いよく左側から進入してくる態様の両方が実現されることになる。この結果、下段ステージ８４では中央の放出通路７２ｄに対して左右いずれの方向からも遊技球が進入できる転動態様が実現されるため、前部ユニット４２ａの左側縁部にしかワープ通路（７８ａ，７８ｂ）が形成されていないにもかかわらず転動態様がワンパターンにならず、多様な転動態様による面白みを持たせることができる。
【０１７１】
上記のように本実施形態では、左側から上段ステージ８０に流入してきた遊技球の転動経路を中段ステージ８２にて左右方向に振り分け、下段ステージ８４に対する２通りのアプローチを設けることで多様な転動態様を実現するところに特徴がある。このため、上段ステージ８０上で遊技球を左右方向に長々と転動させる必要はなく、できるだけ速やかに遊技球を中段ステージ８２へ移行させることが望ましい。このため本実施形態では、上段ステージ８０から中段ステージ８２への遊技球のスムーズな移行を実現するための工夫が凝らされている。
【０１７２】
先ず奥側の球誘導部材７２には、上段ステージ８０に沿って遊技球の転動を案内するガイドリブ７２ｆ，７２ｇが形成されており、これらガイドリブ７２ｆ，７２ｇは上段ステージ８０の上面からわずかに上方に突出している。このうち、前面側からみて奥側のガイドリブ７２ｆは上段ステージ８０の全長とほぼ同じ長さを有しているが、手前側のガイドリブ７２ｇは中央の窪み部８０ａにて部分的に途切れている。
【０１７３】
そして上記のガイドリブ７２ｆには、部分的に上段ステージ８０の通路幅を絞り込むようにして前方に突出した部分が形成されており、この突出部分が制動部８０ｂとして機能するものとなっている。なお制動部８０ｂは、中央の窪み部８０ａから左右に等間隔を存して１つずつ配置されている。すなわち、放出口７８ｃから上段ステージ８０に流入してきた遊技球は、その中央に向けて傾斜を下りながら転動する過程で、先ず左側の制動部８０ｂに衝突し、その勢いを落とされる。ここで勢いを落とされた遊技球には、中央の窪み部８０ａを通り越してわずかに右側の上り傾斜に差し掛かったあたりで失速し、そのまま左方向へ引き返してしまうものもあれば、ある程度の勢いを保ったまま右側の傾斜を駆け上がり、そして右側の制動部８０ｂに衝突するものもある。さらに右側の制動部８０ｂに衝突した遊技球には、これを通り越して上段ステージ８０の右端に向かって転動するものもあれば、制動部８０ｂに跳ね返されて左側へ下っていくものもある。
【０１７４】
いずれにしても、上段ステージ８０に流入した遊技球は、その転動過程で制動部８０ｂに衝突することで制動力を与えられ、比較的早期に中央の窪み部８０ａに集まり、そして中央の窪み部８０ａから中段ステージ８２へスムーズに移行することとなる。このため本実施形態では、上段ステージ８０上で遊技球がいつまでも左右方向に揺れ動き、なかなか中段ステージ８２に移行しないといった転動ロスが生じることはない。
【０１７５】
次に、球誘導部材７２の内側に設けられている内部装飾体７４について説明する。図１５は、内部装飾体７４とその配置を具体的に示している。図５では、内部装飾体７４の形態が簡略化された状態で示されているが、図１５中（ａ）に示されているように、実際の内部装飾体７４には、全体として「草むら」をイメージしたデザインが施されており、その「草むら」の中に原始人であるキャラクタと、原始哺乳動物である「サーベルタイガー」のキャラクタを模したキャラクタ装飾部７４ｂ，７４ｃが一体的に形成されている。
【０１７６】
上記の創作的ストーリーの中で、「マンモス」や「サーベルタイガー」は猛獣としての位置付けがなされており、原始人にとっては狩りの獲物であると同時に、日常的にその存在が恐れられている。このようなストーリー上の背景から、キャラクタ装飾部７４ｂ，７４ｃは、「草むら」の中で獲物を探していた原始人（主人公の父親）が偶然に「サーベルタイガー」と鉢合わせし、一気に緊張感が高まっている情景を描写したものとなっている。なお内部装飾体７４は、「草むら」のイメージに合致するべく全体として緑色で光透過性の樹脂材料から成形されているが、キャラクタ装飾部７４ｂ，７４ｃには、それぞれに固有の肌色、体毛色等が付されている。
【０１７７】
本実施形態では、球誘導部材７０，７２が透明材料から成形されており、それゆえ図１５中（ｂ）に示されているように、球誘導部材７２の内側に内部装飾体７４が設置された状態で、前面側から内部装飾体７４を透視することができるものとなっている。なお、図１５（ｂ）では手前側の球誘導部材７０が省略されているが、手前側の球誘導部材７０も透明材料から成形されているため、手前側の球誘導部材７０が取り付けられた状態で内部装飾体７４の視認性が損なわれることはない。
【０１７８】
このように、球誘導部材７０，７２を透明材料から成形し、その奥の位置に内部装飾体７４が配置されている態様であれば、球誘導部材７０，７２を着色材料で成形した場合よりも装飾性を高めることができるという利点がある。しかもこの場合、たとえ内部装飾体７４の表面に凹凸形状からなる造形が施されていたとしても、内部装飾体７４に対して直接的に遊技球が接触することがないため、遊技球の転動態様に悪影響を及ぼすことがないという２重のメリットが生じる。
【０１７９】
次に図１６は、奥側の球誘導部材７２に施された装飾領域と内部装飾体７４との位置関係を示している。図１６中、ハッチングが施された部分は球誘導部材７２に形成された装飾領域（参照符号Ａ）を示し、この装飾領域Ａ内には、球誘導部材７２の透明材料を部分的に磨りガラス状とする表面処理層が形成されている。このような表面処理層は、例えば球誘導部材７２の表面（本実施形態では前面側からみて内表面である）に微細な凹凸を付することで形成することができる。あるいは、装飾領域の形状に合わせて切り出された磨りガラス状の半透明シートを球誘導部材７２の表面（内表面）に貼着してもよい。
【０１８０】
図１６中（ａ）から明らかなように、装飾領域Ａには全体として「草むら」が波立つようなイメージの輪郭線が与えられている。そして図１６中（ｂ）に示されているように、このような装飾領域Ａは内部装飾体７４の前面側に位置付けられているため、遊技者の視点からは、手前側の装飾領域Ａの模様と内部装飾体７４の造形とが前後に距離を置いて重なり合うようにして視認される。このため遊技者が球誘導部材７２を透過して内部装飾体７４を視認すると、そこに立体的な奥行きを感じることになる。
【０１８１】
さらに本実施形態では、上記のように内部装飾体７４が光透過性を有するため、その背後から光を照射して内部装飾体７４を装飾的に発光させることが可能となっている。このとき装飾領域Ａは、内部装飾体７４を透過した光を拡散させることで自身の模様（波立つ形状）をくっきりと際立たせることができるので、遊技者に視覚的な変化をもたらしつつ、発光による装飾性を高めることができる。
【０１８２】
また装飾領域Ａは、前面側からみて中段ステージ８２の後方に位置する壁部と、下段ステージ８４（２点鎖線）の後方に位置する壁部に配置されている。つまり装飾領域Ａは、中段ステージ８２および下段ステージ８４でそれぞれ規定される遊技球の転動経路に沿う位置に形成されている。一方、パチンコ機１の使用に伴い遊技球が繰り返し球誘導部材７０，７２（中段ステージ８２、下段ステージ８４）にて転動すると、球誘導部材７２の外表面には遊技球の接触による摩耗痕が生じてくると考えられる。特に本実施形態では、球誘導部材７２が透明樹脂材料から成型されているため、その外表面に摩耗痕（または擦過痕）が生じると、その部分で材料の透明性が失われやすい傾向にある。
【０１８３】
しかしながら本実施形態では、ちょうど摩耗痕の生じやすい位置（転動経路に沿う位置）にもともと磨りガラス状の装飾領域Ａが形成されているため、球誘導部材７２の外表面に摩耗痕が生じたとしても、その存在が目立ちにくくなる。一方、装飾領域Ａは新品の状態から磨りガラス状の装飾模様として存在しているため、球誘導部材７２の外表面に擦過痕が生じたとしても、装飾領域Ａそのものの見栄えが極端に劣化するわけではない。したがって本実施形態では、長期間にわたって球誘導部材７２の外観上の品質が低下しにくいだけでなく、装飾性を長期間にわたって維持することができるという利点がある。
【０１８４】
本実施形態では、演出装置４２の大型化に伴い、遊技領域１２から遊技球を流入させるワープ通路（７８ａ，７８ｂ）を左側にしか設けていないにもかかわらず、放出通路７２に通じる下段ステージ８４での遊技球の転動態様を多様化することができ、それによって遊技の面白さを大きく向上させることができる。逆に、左側（または右側）に１つのワープ通路（７８ａ，７８ｂ）を設けるだけでも遊技球の転動態様の面白さを充分に確保できることから、左右両側にワープ通路を確保することにとらわれることなく、自由に演出装置４２の大型化を図ったり、形状を決める際の自由度を高めたりできるという利点がある。したがって、演出装置４２による演出の多様化を大幅に向上することができ、遊技者の視覚に訴える興趣を大きく高めることができる。
【０１８５】
また、球誘導部材７２の奥に内部装飾体７４を配置することで装飾性を高めるとともに、その外観上の品質劣化を長期間にわたって抑えることができる。
【０１８６】
また本実施形態では、上記のように後部ユニット４２ｂに対して内部装飾体７４が着脱可能な構成となっている。その一方で、内部装飾体７４は演出装置４２内でも比較的大きく目を引く存在であることから、同型のパチンコ機１であっても、内部装飾体７４の造形・デザインが違っていると、外観上は別タイプのパチンコ機１として認識されやすい。このため、前部ユニット４２ａや後部ユニット４２ｂの大部分を共通パーツとしつつ、内部装飾体７４に様々なデザインのバリエーションを設定することで、同系列のシリーズ機（例えば、大当り確率、確変突入率、確変転落確率、賞球数等の仕様が異なるもの）を容易に市場に供給することができる。
【０１８７】
次に、演出装置４２の配置・構造による視覚的な効果について説明する。図１７は、遊技盤４の上側部分を示し、この図１７では、遊技板４ａから前部ユニット４２ａが取り外された状態で示されている。このため図１７では、遊技板４ａの貫通穴４ｂと後部ユニット４２ｂとの大小関係がより明らかとなっている。
【０１８８】
上記のように、後部ユニット４２ｂは遊技板４ａの背面側において貫通穴４ｂの開口面積よりも大きい範囲に拡がって配置されている。このため前部ユニット４２ａが遊技板４ａから取り外された状態であっても、真正面からみて貫通穴４ｂの奥に後部ユニット４２ｂの全体を視認することはできないものとなっている。
【０１８９】
また既に説明したように、後部ユニット４２ｂの構成要素のうち装飾体４２ａや可動装飾体４４ａ〜４４ｃ、固定装飾体４５ａ〜４５ｃは真正面からみて貫通穴４ｂ内に位置付けられている。これに対し、これらの背後に敷設されている装飾部材４６は、その大部分が貫通穴４ｂの内側に位置しているが、図１７中に破線で示されているように、残りの部分は貫通穴４ｂの外側にまで拡がっており、この部分は真正面からみた場合に遊技板４ａの背後に隠れている。なお、図１７では装飾部材を表す参照符号「４６」が１本の引出線を伴って１箇所（左側縁部）にだけ示されているが、本実施形態でいう「装飾部材４６」は、後部ユニット４２ｂの左側縁部から上縁部および右側縁部までの広範囲に拡がって敷設された部材を意味する。
【０１９０】
次に図１８は、遊技板４ａに対する演出装置４２の取り付けを具体的に示している。演出装置４２の前部ユニット４２ａは、そのフランジ部４２ｎが貫通穴４ｂの周囲に張り出すとともに、後半分の部位４２ｒが貫通穴４ｂ内に嵌め込まれることで、貫通穴４ｂの周縁部を装飾している。
【０１９１】
一方の後部ユニット４２ｂは、上記のように貫通穴４ｂの開口面積よりも広い範囲に拡がって配置されている。そして図１８に示されているように、装飾部材４６は遊技板４ａの後方にて、上下方向でみた貫通穴４ｂの開口範囲Ｐよりも上方に位置する外側領域Ｓにまで拡がって配置されていることが理解される。なお、図１８では上下方向でみた貫通穴４ｂの開口範囲のみが示されているが、左右方向についても貫通穴４ｂの開口範囲と後部ユニット４２ｂおよび装飾部材４６の位置関係は同様である。すなわち装飾部材４６は、遊技板４ａの後方にて、左右方向でみた貫通穴４ｂの開口範囲よりも側方に位置する外側領域にまで拡がって配置されている。
【０１９２】
また本実施形態では、後部ユニット４２ｂに遊技盤ランプとして多数のＬＥＤ９２が配置されており、これらＬＥＤ９２は装飾部材４６の背後に設置されている。装飾部材４６は光透過性の材料から成型されており、それゆえＬＥＤ９２が発光すると、その光を前方へ透過させて発光動作を行うことができるものとなっている。
【０１９３】
ここで図１８に示されているように、前部ユニット４２ａそのものは遊技板４ａの背面に密着するようにして取り付けられているが、後部ユニット４２ｂにおいて、遊技板４ａの背面と装飾部材４６の表面との間には、ある程度の間隙Ｈが確保されている。このため装飾部材４６のうち、外側領域Ｓに位置する部分は遊技板４ａの背面に接しているわけではなく、背面から間隙Ｈだけ後方に位置した状態にあることが理解される。
【０１９４】
次に図１９および図２０は、遊技盤４を左右の斜め下方から見上げた状態で示している。なお、図１９，２０では遊技盤４が単独で示されているが、実際のパチンコ機１では遊技盤４が本体枠３に支持されていることから、遊技盤４は前面枠５の開口窓３０を通じて視認される。
【０１９５】
これら図１９，２０に示されているように、遊技盤４をその斜め下方の角度から見上げた状態では、遊技板４ａの背面と装飾部材４６の表面との間に上記の間隙Ｈが確保されていることから、この間隙Ｈから貫通穴４ｂを通じて、装飾部材４６のうち遊技板４ａの背面側に隠れた部分が視認可能となる。例えば図１９に示されているように、遊技盤４をその左斜め下方から見上げた状態では、前部ユニット４２ａの右上縁部に位置する装飾体４３ｄの奥に装飾部材４６の存在がはっきりと視認されている。また図２０に示されているように、遊技盤４をその右斜め下方から見上げた状態では、前部ユニット４２ａの左上縁部に位置する装飾体４３ａの奥に装飾部材４６の存在がはっきりと視認されている。
【０１９６】
このため本実施形態では、遊技者がいろいろな角度から遊技盤４を視認することで、通常正面からみた状態では遊技板４ａの背後に隠れているはずの装飾部材４６の存在を視認することができる。また、このとき装飾部材４６は遊技板４ａの貫通穴４ｂの外側領域にまで拡がって配置されていることから、遊技者に前後方向への奥行きを感じさせるとともに、遊技板４ａの背面側で上下・左右方向への空間的な拡がりや開放感を生じさせることができる。
【０１９７】
また、装飾部材４６において発光動作が行われる場合、通常正面からみて遊技板４ａの背後に隠れた装飾部材４６から透過光が照射されるため、それまで遊技者が装飾部材４６の存在に気付いていなかったとしても、発光動作によって装飾部材４６の存在に気付きやすくなり、視覚的な奥行き感や空間的な拡がり感による効果を充分に発揮させることができる。
【０１９８】
本実施形態では、装飾部材４６について以下の構造を有する。図１９，２０等に示されているように、装飾部材４６についは、全体的にゴツゴツとした立体的な造形が施されており、それによって視覚的な立体感が生み出されている。さらに装飾部材４６は、２種類の部材を前後に重ね合わせた多層構造を有している。具体的には、装飾部材４６は透明材料から成型された背後装飾体と、その前面側に重ね合わせて取り付けられた前面装飾体とから構成されており、前面装飾体は、赤色に着色された光透過性の材料から成型されている。また、背後装飾体には光拡散用のレンズカット（ダイヤカット等）が形成されており、背後のＬＥＤ９２からの発光がそこで良好に拡散される。
【０１９９】
図１９，２０等で前面側に露出されている大部分は前面装飾体であるが、前面装飾体は、そのところどころが欠落した状態、つまり、部分的に破断されたような形態を有している。そして、前面装飾体が部分的に欠落した領域では、その背後にある透明な背後装飾体が前面側に露出している。
【０２００】
以上のような構成により、装飾部材４６において発光動作が行われると、その大部分では赤色の透過光が前面側から視認されることとなるが、ところどころ部分的に白色光（ＬＥＤの発光色）が視認される領域が存在する。本実施形態では、このように白色光が視認される領域（前面装飾体が欠落している領域）が「稲妻」を模した形状にデザインされているため、遊技者が前面側から装飾部材４６の発光動作をみると、あたかも雷が落ちたかのように感じ、そこに「原始地球の荒れた天候」を想起して演出的な効果を満喫することができる。
【０２０１】
次に、可動装飾体４４ａ，４４ｂ，４４ｃの構成について詳細に説明する。図２１は、演出装置４２における可動装飾体４４ａ，４４ｂ，４４ｃの作動態様を示している。図２１中の矢印で示されているように、可動装飾体４４ａ，４４ｂ，４４ｃは、いずれも作動時において左右方向に往復回動することができる。このうち上縁部に位置する可動装飾体４４ａ（片仮名文字の「ギ」を象ったもの）と、その右隣に位置する可動装飾体４４ｂ（片仮名文字の「オ」を象ったもの）とは、いずれも初期位置から時計回り方向に回動し、そして残りの可動装飾体４４ｃ（片仮名文字の「オ」を象ったもの）は、その初期位置から反時計回り方向に回動する。なお、図２１では３つの可動装飾体４４ａ，４４ｂ，４４ｃが初期位置から最も大きく変位したときの状態が示されており、この最大変位の状態において、各可動装飾体４４ａ，４４ｂ，４４ｃと前部ユニット４２ａとの間には適度なクリアランスが確保されている。
【０２０２】
次に図２２は、後部ユニット４２ｂを背面側から示し、ここでは特に可動装飾体４４ａ，４４ｂ，４４ｃを作動させるための機構要素が示されている。なお図２２には、後部ユニット４２ｂの一部をなすインナケーシングのみが示されており、実際にはインナケーシングの外側にアウタカバー（図示されていない）が組み合わされて後部ユニット４２ｂが構成されている。前面側から視認される装飾体４３ａや可動装飾体４４ａ〜４４ｃ、固定装飾体４５ａ〜４５ｃ、装飾部材４６、球誘導部材７０，７２、内部装飾体７４等はいずれもインナケーシングに組み付けられている。一方、上記のフランジ部４２ｎはアウタカバーに形成されているため、図２２には示されていない。
【０２０３】
後部ユニット４２ｂの背面側、つまりインナケーシングには、各可動装飾体４４ａ，４４ｂ，４４ｃに対応して３つのソレノイド（直動式）９４ａ，９４ｂ，９４ｃが装備されている。また、これらソレノイド９４ａ，９４ｂ，９４ｃにはそれぞれ、駆動レバー９５ａ，９５ｂ，９５ｃが連結されている。各駆動レバー９５ａ，９５ｂ，９５ｃは、その先端部がスライドピンを介して対応するソレノイド９４ａ，９４ｂ，９４ｃにピン接合されており、そして基端部が回動軸９６ａ，９６ｂ，９６ｃに固定されている。回動軸９６ａ，９６ｂ，９６ｃは後部ユニット４２ｂのインナケーシングにて回動自在に支持されており、それゆえ駆動レバー９５ａ，９５ｂ，９５ｃは、対応する回動軸９６ａ，９６ｂ，９６ｃを中心として上下方向に回動（揺動）自在となっている。また駆動軸９６ａ，９６ｂ，９６ｃは、インナケーシングを前後方向に貫通して延びており、その後端部にて各駆動レバー９５ａ，９５ｂ，９５ｃに連結されているとともに、その前端部にて各可動装飾体４４ａ，４４ｂ，４４ｃに連結されている。
【０２０４】
また各駆動レバー９５ａ，９５ｂ，９５ｃには、対応する回動軸９６ａ，９６ｂ，９６ｃの回動範囲（回動角度）を規定するためのストッパ部９７ａ，９７ｂ，９７ｃが一体的に形成されている。またインナケーシングには、各ストッパ部９７ａ，９７ｂ，９７ｃに対応してストッパハウジング９８ａ，９８ｂ，９８ｃが形成されており、各ストッパ部９７ａ，９７ｂ，９７ｃは、対応するストッパハウジング９８ａ，９８ｂ，９８ｃ内に収容された状態にある。
【０２０５】
上記の構成において、いずれかのソレノイド９４ａ，９４ｂ，９４ｃが通電（励磁）状態になると、直動ロッド（アーマチュア）の引き上げ動作に伴い、対応する駆動レバー９５ａ，９５ｂ，９５ｃが上方へ引き上げられるようにして変位する。逆にソレノイド９４ａ，９４ｂ，９４ｃが非通電（非励磁）の状態になると、リターンスプリングによって直動ロッドが初期位置に復帰し、この復帰動作に伴い、対応する駆動レバー９５ａ，９５ｂ，９５ｃが下方へ押し下げられるようにして変位する。なお本実施形態では、このときの駆動レバー９５ａ，９５ｂ，９５ｃの変位角度が３０°程度に設定されている。
【０２０６】
上記のようなソレノイド９４ａ，９４ｂ，９４ｃの通電・非通電の切り替えにより、対応する駆動レバー９５ａ，９５ｂ，９５ｃが上下に揺動するようにして変位し、これにより駆動軸９６ａ，９６ｂ，９６ｃが往復回動される。そして、このような駆動軸９６ａ，９６ｂ，９６ｃの往復回動により、図２１に示されるような可動装飾体４４ａ，４４ｂ，４４ｃの動作が実現されるものとなっている。
【０２０７】
なお後部ユニット４２ｂのインナケーシングには、その他の構成としてＬＥＤ基板９２ａ，９２ｂ，９２ｃ，９２ｄ（遊技盤ランプ）が設置されている。このうち、図２２でみてインナケーシングの上縁部の右側（前面側からみると左側）に配置されたＬＥＤ基板９２ａは、上記の装飾体４３ａに対応するものであり、このＬＥＤ基板９２ａには、その前面側に多数のＬＥＤ（９２）が実装されている。本実施形態では、これらＬＥＤ（９２）の発光により装飾体４３ａの発光演出が行われる。
【０２０８】
また、図２２でみてＬＥＤ基板９２ａの左側に位置するＬＥＤ基板９２ｂはインナケーシングの左半分（前面側からみると右半分）の部位に拡がる大きさを有し、全体としてＬＥＤ基板９２ｂは、インナケーシングの上縁部から３つのソレノイド９４ａ，９４ｂ，９４ｃが設置されている部位を全てカバーするようにして鈎形状に敷設されている。この大型のＬＥＤ基板９２ｂにも同様に多数のＬＥＤが実装されており、これらＬＥＤの発光により装飾部材４６の発光動作が行われるものとなっている。さらに図２２でみてインナケーシングの右側縁部（前面側からみると左側縁部）に位置するＬＥＤ基板９２ｃもまた、装飾部材４６の発光動作を行うためのものである。また、インナケーシングの下縁部に位置するＬＥＤ基板９２ｄは、上記の内部装飾体７４の発光動作を行うためのものである。
【０２０９】
図２３および図２４は、可動装飾体４４ａを構成要素に分解した状態で示している。なお、これら図２３および図２４では１つの可動装飾体４４ａを例に挙げているが、その他の可動装飾体４４ｂ，４４ｃについても基本的に同じ構造が採用されている。したがって、以下では１つの可動装飾体４４ａについて説明しているが、その内容は他の可動装飾体４４ｂ，４４ｃについても実質的に同様に当てはまる。
【０２１０】
図２３，２４に示されているように、可動装飾体４４ａは大きく分けてアウタシェル２００、フロントレンズ２０２、内蔵ＬＥＤ基板２０４、そしてリヤカバー２０６の４つのパーツから構成されている。このうち、アウタシェル２０２は可動装飾体４４ａの外表面を構成するものであり、その外形には片仮名文字の「ギ」を象った立体的なデザインが施されている。またアウタシェル２００は文字通り薄肉中空のシェル構造をなし、図２４に示されているように、その後端部は全体的に大きく開放されている。一方、アウタシェル２００の前端部には、ちょうど片仮名文字の「ギ」を型抜きしたような文字型開口２００ａが形成されている。
【０２１１】
フロントレンズ２０２は、光透過性または光拡散性を有した板状の半透明材料から成形されており、その表面および裏面には、それぞれ稲妻をイメージしたような立体的な造形が施されている。フロントレンズ２０２は、アウタシェル２００の後端開口から嵌め込むようにして取り付けられ、上記の文字型開口２００ａを塞ぐようにしてアウタシェル２００の内側に収容される。このためフロントレンズ２０２の外形は、アウタシェル２００の内縁の形状にほぼ合致している。またフロントレンズ２０２は、その前端面にて浮き彫り状に成形された文字型凸部２０２ａを有しており、この文字型凸部２０２ａはアウタシェル２００の文字型開口２００ａに合致する形状を有している。したがって、フロントレンズ２０２がアウタシェル２００に収容された状態では、文字型開口２００ａにフロントレンズ２０２の文字型凸部２０２ａがぴったり嵌り込んでアウタシェル２００の前端部に位置付けられる。そしてこの状態で、文字型凸部２０２ａはアウタシェル２００の前端部とともに可動装飾体４４ａの前面を形成する。
【０２１２】
内蔵ＬＥＤ基板２０４もまた、アウタシェル２００の後端開口から嵌め込むようにして取り付けられる。このため内蔵ＬＥＤ基板２０４の外形は、アウタシェル２００の内縁の形状にほぼ合致している。ただし、内蔵ＬＥＤ基板２０４はフロントレンズ２０２のようにアウタシェル２００の前端部まで深く進入せず、フロントレンズ２０２の背面から一定間隔を存して後端開口の近傍に位置付けられる。
【０２１３】
内蔵ＬＥＤ基板２０４には、上記の遊技盤ランプの一部として多数のフルカラーＬＥＤチップ２０４ａ（電装品）が実装されており、これらＬＥＤチップ２０４ａは、内蔵ＬＥＤ基板２０４の実装面に分布するようにして配置されている。ＬＥＤチップ２０４ａは個々に赤色・緑色・青色（ＲＧＢ）のＬＥＤを有しており、それによりフルカラー発光が可能となっている。また本実施形態では内蔵ＬＥＤ基板２０４の実装面が白色塗装されており、それゆえ実装面にて高い光反射性を有している。一方、内蔵ＬＥＤ基板２０４の背面には、ハーネス線束（電気配線）を接続するための雌コネクタ２０４ｂが実装されている。
【０２１４】
リヤカバー２０６は、アウタシェル２００の後端開口を塞ぐようにして取り付けられる。このためリヤカバー２０６の外形は、アウタシェル２００の後端開口の形状に合致している。図２４に示されているように、アウタシェル２００の内側には２本のねじ留め用のボス部２００ｂが形成されており、これらボス部２００ｂはアウタシェル２００の前端部から後端開口に向けて延びている。リヤカバー２０６はアウタシェル２００の後端開口に嵌め込まれた状態でボス部２００ｂに接触し、それ以上の進入を規制される。
【０２１５】
一方、リヤカバー２０６には、その前面側に２本の抑えロッド２０６ａが形成されており、これら抑えロッド２０６ａはリヤカバー２０６の前面から前方に突き出すようにして一体的に形成されている。リヤカバー２０６がアウタシェル２００の後端開口に嵌め込まれると、これら抑えロッド２０６ａの先端がフロントレンズ２０２の背面にぴったり当接し、これによりアウタシェル２００内にてフロントレンズ２０２の配置が固定されるものとなっている。そしてこの状態で、リヤカバー２０６はアウタシェル２００に対してねじ留めされる。
【０２１６】
なお、フロントレンズ２０２および内蔵ＬＥＤ基板２０４にはそれぞれ、２本のボス部２００ｂに対応する位置に挿通孔２０２ｃ，２０４ｃが形成されており、これらフロントレンズ２０２および内蔵ＬＥＤ基板２０４がアウタシェル２００に取り付けられる際、それぞれの挿通孔２０２ｃ，２０４ｃにボス部２００ｂが挿通される。また内蔵ＬＥＤ基板２０４には、抑えロッド２０６ａに対応する位置にも挿通孔２０４ｄが形成されており、内蔵ＬＥＤ基板２０４がリヤカバー２０６に取り付けられる際、２本の抑えロッド２０６ａは対応する挿通孔２０４ｄに挿通される。
【０２１７】
内蔵ＬＥＤ基板２０４はリヤカバー２０６の直ぐ奥に寄り添うようにして配置され、この状態で内蔵ＬＥＤ基板２０４がリヤカバー２０６にねじ留めされるものとなっている。リヤカバー２０６には、内蔵ＬＥＤ基板２０４の雌コネクタ２０４ｃに対応する位置に矩形の挿通穴２０６ｃが形成されており、それゆえ内蔵ＬＥＤ基板２０４がリヤカバー２０６に取り付けられた状態で、その雌コネクタ２０４ｃに対してリヤカバー２０６の背面側から雄コネクタを接続することが可能となっている。
【０２１８】
上記の駆動軸９６ａは、その前端部にてリヤカバー２０６にねじ留めされるものとなっている。この状態でリヤカバー２０６に対して駆動軸９６ａが強固に固定されるので、駆動軸９６ａの回動は、そのままリヤカバー２０６を介して可動装飾体４４ａの全体に伝達される。なおリヤカバー２０６には、駆動軸９６ａの取付部に適宜、補強のためのリブが放射状に形成されている。
【０２１９】
図２５および図２６は、可動装飾体４４ａをその完成状態で示している。図２５中（ｂ）に示されているように、アウタシェル２００にリヤカバー２０６が取り付けられた状態で、内蔵ＬＥＤ基板２０４の雌コネクタ２０４ｃに雄型のコネクタ２０８が接続されている。コネクタ２０８には複数の電気配線からなるハーネス線束２０８が接続されており、このハーネス線束２０８は、コネクタ２０８から離れた位置で、粘着テープ片２１０（配線固定部材）によりリヤカバー２０６の背面に固定（貼着）されている。
【０２２０】
また図２６から明らかなように、本実施形態では、可動装飾体４４ａの前後方向の仮想的な中心線と駆動軸９６ａの軸線とが互いに平行ではない。したがって、遊技者が駆動軸９６ａの軸線方向（水平方向）から可動装飾体４４ａを視認していたとしても、可動装飾体４４ａの前面の他に、その上面が一定の角度を存して遊技者に視認される。さらにこの状態で、駆動軸９６ａの軸線周りに可動装飾体４４ａが回動すると、その仮想的な中心線は「みそすり運動」をするようにして変位する。この場合、駆動軸９６ａの軸線に対して可動装飾体４４ａの外側面が様々な角度に変位するため、遊技者が可動装飾体４４ａの動きを一定の角度（例えば真正面）から視認していても、遊技者の視線方向に対して可動装飾体４４ａの外側面が様々な角度に変位し、それによって視覚的な変化を生じさせることができる。
【０２２１】
図２７は、後部ユニット４２ｂから可動装飾体４４ａ，４４ｂ，４４ｃが取り外された状態を示している。図２５中（ｂ）に例示されているように、各可動装飾体４４ａ，４４ｂ，４４ｃには、内蔵ＬＥＤ基板２０４につながるハーネス線束２０８が接続されているが、これに対応して後部ユニット４２ｂの前面（装飾部材４６の表面）には３つの配線孔２１２ａ，２１２ｂ，２１２ｃが形成されており、これら配線孔２１２ａ，２１２ｂ，２１２ｃを通じて各ハーネス線束２０８が後部ユニット４２ｂの内部（インナケーシング）に挿通されるものとなっている。
【０２２２】
このとき、配線孔２１２ａ，２１２ｂ，２１２ｃは、いずれも前面側からみて対応する可動装飾体４４ａの可動範囲内に隠れるようにして位置付けられている。したがって、可動装飾体４４ａ，４４ｂ，４４ｃが作動しても、配線孔２１２ａ，２１２ｂ，２１２ｃの存在は可動装飾体４４ａ，４４ｂ，４４ｃによって隠されたままとなる。また本実施形態では、ハーネス線束２０８が可動装飾体４４ａ，４４ｂ，４４ｃの表面色と同系色であるため、ハーネス線束２０８そのものの存在が目立たなくなっている。
【０２２３】
このように、本実施形態では可動装飾体４４ａ，４４ｂ，４４ｃが内蔵ＬＥＤ基板２０４のような電装品を有し、かつ、ソレノイド９４ａ，９４ｂ，９４ｃによって作動される態様であるが、その作動時・非作動時を通じてハーネス線束２０８の存在が前面側から視認されなくなっているので、演出時の見栄えを損なわず、興趣を大きく向上させることができる。
【０２２４】
本実施形態では、可動装飾体４４ａ，４４ｂ，４４ｃをそれぞれ単独で作動させることもできるし、２つ以上（２つまたは３つ全て）を同時または同時期に作動させることもできる。特に本実施形態では、３つある可動装飾体４４ａ，４４ｂ，４４ｃのうち、一番下に位置する可動装飾体４４ｃ（「オ」を象ったもの）の作動方向が他の２つと反対に設定されているため、一番下の可動装飾体４４ｃだけを単独で作動させると、この可動装飾体４４ｃの左側部分は、その上の可動装飾体４４ｂから相対的に下方へ離れていく方向へ作動することになる。これにより、演出装置４２内での可動装飾体４４ｂ，４４ｃの相互干渉が効果的に排除されるため、部品の破損や機械的なトラブルの発生が防止され、演出動作の確実性を保証することができる。
【０２２５】
また本実施形態において、前部ユニット４２ａの内周面の形状は、可動表示体４４ａ，４４ｂ，４４ｃとの干渉を避けるためのクリアランスを考慮して決定されているが、上記の「石斧」型の装飾体４３ｄや「マンモスの牙」型の装飾体４３ｅは、このようなクリアランスを確保できる位置に効果的に配置されている。これにより、遊技領域１２や演出装置４２の限られたスペースを最大限に有効に活用しながら装飾性を高めるとともに、可動表示体４４ａ，４４ｂ，４４ｃの可動範囲を大きく確保することに成功している。
【０２２６】
次に、可動装飾体４４ａ，４４ｂ，４４ｃの制御について説明する。可動装飾体４４ａ，４４ｂ，４４ｃの制御には、大きく分けて駆動機構の制御と、ＬＥＤチップ２０４ａの発光制御の２種類が含まれている。このうち駆動機構の制御については、駆動機構を構成するソレノイド９４ａ，９４ｂ、９４ｃの駆動制御として行われる。また発光制御は、ＬＥＤチップ２０４ａの発光・発光色・階調制御として行われる。
【０２２７】
上記の駆動制御および発光制御は、既に説明したサブ統合基板１１１により行われる（適宜、図１１を参照）。すなわちサブ統合基板１１１は、ランプ駆動基板１１９を介してソレノイド９４ａ，９４ｂ，９４ｃにそれぞれ駆動信号を入力し、それによって各ソレノイド９４ａ，９４ｂ，９４ｃを個別に駆動することができる。この結果、対応する可動装飾体４４ａ，４４ｂ，４４ｃが個別に作動し、前面側から視認可能な位置で「文字が動く」という態様で演出動作が実行される。
【０２２８】
また、サブ統合基板１１１からランプ点灯信号が出力されると、このランプ点灯信号がランプ駆動基板１１９にて分配され、対応するＬＥＤチップ２０４ａに入力される。これにより、サブ統合基板１１は各ＬＥＤチップ２０４ａの点灯・点滅・消灯の制御をはじめ、発光色の制御やその発光輝度の階調制御を実行することができる。この結果、対応する可動装飾体４４ａ，４４ｂ，４４ｃが個別に発光動作を行い、前面側から視認可能な位置で「文字が発光する」という態様で演出動作が実行される。
【０２２９】
上記のように本実施形態では、可動表示体４４ａ，４４ｂ，４４ｃの駆動制御・発光制御をサブ統合基板１１１により行うことができるが、サブ統合基板１１１においてどのような動作パターンを採用するかは、主基板１０１から送信される演出コマンドに基づいて決定される。そしてサブ統合基板１１１は、主基板１０１から送信された演出コマンドから抽選の結果（当落結果のみならず、特別図柄の変動・停止表示態様、確率変動の有無等）を解釈し、可動表示体４４ａ，４４ｂ，４４ｃの駆動制御・発光制御を実行する（装飾制御手段）。
【０２３０】
サブ統合基板１１１の統合ＲＯＭ１１３には、予め演出コマンドに対応した演出パターンデータが記憶されており、サブ統合基板１１１は、主基板１０１から受信した演出コマンドに基づき、対応する演出パターンデータを読み出す。
【０２３１】
演出パターンデータには、予め可動表示体４４ａ，４４ｂ，４４ｃの駆動制御・発光制御についての具体的な制御内容が記録されている。例えば、３つの可動表示体４４ａ，４４ｂ，４４ｃのいずれを作動させるか（作動対象）、どのような態様で作動させるか（作動態様）、３つの可動表示体４４ａ，４４ｂ，４４ｃのいずれについて発光動作を行うか（発光対象）、ＬＥＤチップ２０４ａによる発光動作をどのような態様で行うか（発光パターン）等についての情報が細かく設定されている。
【０２３２】
サブ統合基板１１１において演出パターンデータが選択されると、当該演出パターンデータにおいて作動対象に設定された可動表示体４４ａ，４４ｂ，４４ｃに対応するソレノイド駆動信号がサブ統合基板１１１から出力される。これにより、作動対象となる可動表示体４４ａ，４４ｂ，４４ｃが可動範囲内で作動する。また、当該演出パターンデータにおいて複数種類の作動態様が用意されていれば、例えば可動表示体４４ａ，４４ｂ，４４ｃを小刻みにふるえるように作動させたり、ゆっくりと往復的に作動させたりすることもできる。
【０２３３】
また同様に、当該演出パターンデータにおいて発光対象に設定された可動表示体４４ａ，４４ｂ，４４ｃに対応するランプ点灯信号がサブ統合基板１１１から出力される。これにより、発光対象となる可動表示体４４ａ，４４ｂ，４４ｃにおいて発光動作が実行される。また、当該演出パターンデータにおいて複数種類の発光態様が用意されていれば、例えば可動表示体４４ａ，４４ｂ，４４ｃの発光輝度を多階調に変化させたり、発光色を段階的に変化させたり、点灯・点滅パターンを変化させたりすることができる。
【０２３４】
このとき、例えば大当り判定の結果が当選であれば、３つの可動表示体４４ａ，４４ｂ，４４ｃを一斉に激しく作動させる演出パターンを採用したり、３つの可動表示体４４ａ，４４ｂ，４４ｃを順番に作動させるといった演出パターンを採用したりすることで、いわゆる「大当り信頼度が高い」ということを演出的に表現することができる。
【０２３５】
あるいは、主基板１０１において大当り乱数値からはずれリーチ変動の変動表示パターンが選ばれた場合、上記の演出パターンに近似した内容で３つの可動表示体４４ａ，４４ｂ，４４ｃを作動させることで、遊技者にリーチ演出を提供することもできる。
【０２３６】
さらにＬＥＤチップ２０４ａの発光態様についても、大当り変動やリーチ変動等の変動表示パターンの違いによって発光態様を様々に設定することで、抽選結果に基づく多様な演出を実行することが可能となる。
【０２３７】
本発明は上記の一実施形態に制約されることなく、種々に変形して実施することが可能である。
【０２３８】
（１）一実施形態では、前部ユニット４２ａに導光部材９０が設けられているが、前部ユニット４２ａではなく後部ユニット４２ｂに導光部材を設置することもできるし、前部ユニット４２ａおよび後部ユニット４２ｂの両方に導光部材を設置することもできる。
【０２３９】
（２）一実施形態では前部ユニット４２ａの発光領域として、特別図柄の始動記憶数を表示するものを挙げているが、前部ユニット４２ａの発光領域は、特別図柄そのものを表示するものであってもよいし、普通図柄または普通図柄の始動記憶数を表示するものであってもよい。あるいは、発光領域は図柄抽選に直接関係するものではなく、演出的な動作を行う性質のものであってもよい。
【０２４０】
（３）上記の一実施形態では、性能評価の対象となる手前側の球誘導部材７０に加えて、奥側の球誘導部材７２までが後部ユニット４２ｂに対して着脱可能な構造となっているが、奥側の球誘導部材７２は後部ユニット４２ｂと一体に成形された構造であってもよい。すなわち、奥側の球誘導部材７２は、手前側の球誘導部材７０と違って球誘導性能の評価には直接関係していないため、後部ユニット４２ｂと一体の構造であっても本発明の実施に支障はないからである。
【０２４１】
（４）一実施形態では、球誘導部材７０により放出通路７２ｄに誘導されなかった遊技球が前部ユニット４２ａの下縁部に移動すると、その中央の部分（放出口７２ｅの上方）に集められてから落下するものとなっているが（図８）、さらに中央の部分から左右に離れた位置から遊技球が落下する態様であってもよい。この場合、放出通路７２ｄに遊技球が誘導された場合の入賞確率を相対的に高めることができるため、球誘導部材７０上での遊技球の動きに対する遊技者の期待感を高める効果が増す。
【０２４２】
（５）一実施形態では、交換対象となる球誘導部材７０とともに奥側の球誘導部材７２が後部ユニット４２ｂにねじ留めされているが、これらは別々に固定される態様であってもよい。
【０２４３】
（６）また一実施形態では、前部ユニット４２ａの方に突出した係合片４２ｓが形成されており、これを受け入れる係合孔４２ｈが後部ユニット４２ｂの方に形成されているが、これらの位置関係は逆であってもよい。
【０２４４】
（７）一実施形態では、演出装置４２の左側部にワープ通路（７８ａ，７８ｂ）が形成されているが、右側部にワープ通路が形成されている態様であってもよい。
【０２４５】
（８）一実施形態では、可動装飾体や固定の装飾体で表される片仮名文字として「ギ」，「ャ」，「オ」，「ー」を挙げているが、その他の種類の文字を用いて言語的に別の意味を持つ文字列を構成してもよい。
【０２４６】
（９）また一実施形態では、可動装飾体が片仮名文字を象った形態を有しているが、可動装飾体は平仮名文字や漢字の他、外国文字等の各種の言語用文字を象ったデザインが施されたものでもよい。
【０２４７】
（１０）可動装飾体の配置について、一実施形態ではパチンコ機の遊技盤を例に挙げているが、可動表示体は例えば、回胴式遊技機（スロットマシン）の前面扉の内側に配置されていてもよい。
【０２４８】
（１１）その他、一実施形態で挙げた前部ユニット４２ａや後部ユニット４２ｂの具体的な形態はあくまで一例であり、これらは適宜変形可能であることはいうまでもない。
【０２４９】
次に、パチンコ機１の遊技進行に応じて主基板１０１で実行される種々の制御処理について図２８乃至図３５を参照して説明する。図２８は、主基板１０１に搭載されるＣＰＵ１０２が実行するメイン処理の一例を示すフローチャートである。図２９は、電源断発生時処理の一例を示すフローチャートである。図３０は、タイマ割込処理の一例を示すフローチャートである。図３１は、主基板１０１で更新される乱数を示す一覧表図である。図３２は、遊技処理の一例を示すフローチャートである。図３３は、変動開始処理を示すフローチャートである。図３４は、大当り判定処理の一例を示すフローチャートである。図３５は、変動表示パターン設定処理の一例を示すフローチャートである。図３６は、変動表示パターンテーブルの一例を示す一覧表図である。なお、タイマ割込処理は、主基板１０１に搭載されるＣＰＵ１０２により所定のタイミング（本実施形態では、４ｍｓ毎）で実行される。
【０２５０】
図２８に示すように、パチンコ機１へ電力の供給が開始されると、ＣＰＵ１０２は、電源投入時処理を実行する（ステップＳ１）。この電源投入時処理では、ＲＡＭ１０４に記憶されているバックアップデータが正常であるか（停電発生時の設定値となっているか）否か判別し、正常であればＲＡＭ１０４に記憶されているバックアップデータに従って停電発生時の状態に戻す処理（復電時処理）を実行し、バックアップデータが異常であればＲＡＭ１０４をクリアしてＣＰＵ周辺のデバイス設定（通常の初期設定：割込タイミングの設定等）を行う。なお、遊技途中でパチンコ機１への電力供給が停止すると、ＲＡＭ１０４に現在の遊技状態がバックアップデータとして記憶される。また、電源投入時処理にてＲＡＭ１０４に記憶されているバックアップデータのクリアを指示するＲＡＭ消去スイッチがオンであれば、ＲＡＭ１０４をクリアし、通常の初期設定を行う。また、電源投入時処理にて主基板１０１に搭載されるＲＡＭ１０４にバックアップデータが保存されていない場合には、ＲＡＭ１０４をクリアし、通常の初期設定を行う。また、電源投入時処理では、通常の初期設定を実行したときにサブ統合基板１１１に主基板１０１が起動したことを示す電源投入コマンドを送信可能な状態にセットする処理も実行される。電源投入コマンドは、主基板１０１が起動したことをサブ統合基板１１１に通知するものである。なお、遊技店の閉店時等にパチンコ機１への電力供給を停止した場合（電源を落とした場合）にもＲＡＭ１０４にバックアップデータが記憶され、再びパチンコ機１への電力供給を開始したときには電源投入時処理が実行される。
【０２５１】
電源投入時処理が終了すると、ＣＰＵ１０２は、遊技用の各処理を繰り返し実行するループ処理を開始する。このループ処理の開始時には、ＣＰＵ１０２は、まず、停電予告信号が検知されているか否かを判定する（ステップＳ２）。なお、この実施の形態では、パチンコ機１にて使用する電源電圧は、電源基板（図示しない）によって生成する。すなわち、パチンコ機１に搭載される複数種類の装置はそれぞれ異なる電源電圧で動作するため、外部電源からパチンコ機１に供給される電源電圧を電源基板にて所定の電源電圧に変換した後、各装置に供給している。しかして、停電が発生し、外部電源から電源基板に供給される電源電圧が所定の電源電圧以下となると、電源基板から主基板１０１に電源電圧の供給が停止することを示す停電予告信号が送信される。そして、ステップＳ２で主基板１０１に搭載されるＣＰＵ１０２により停電予告信号を検知すると、電源断発生時処理を実行する（ステップＳ４）。この電源断発生時処理は、停電後に電源基板に供給される電源電圧が（この実施の形態では、２４Ｖ）復旧した場合に（以下、復電と呼ぶ）、遊技機の動作を停電前の状態から開始するために停電発生時の状態をＲＡＭ１０４にバックアップデータとして記憶する処理である。処理内容は後述するが、本実施例においては、図示する通り、電源断発生時処理は、割込処理ではなく、ループの開始直後に停電予告信号の検知有無に応じて実行される分岐処理としてメイン処理（主制御処理）内に組み込まれている。
【０２５２】
ステップＳ２で停電予告信号が検知されていない場合、すなわち外部電源からの電力が正常に供給されている場合には、遊技にて用いられる各種乱数を更新する乱数更新処理２を行う（ステップＳ３）。なお、乱数更新処理２にて更新される乱数については後述する。
【０２５３】
図２９は、電源断発生時処理（ステップＳ４）の一例を示すフローチャートである。上述したように、電源断発生時処理は、メイン処理において、停電予告信号が検出された時に実行される処理である。ＣＰＵ１０２は、まず、割込処理が実行されないように割込禁止設定を行う（ステップＳ４ａ）。そして、ＲＡＭ１０４のチェックサムを算出し、ＲＡＭ１０４の所定領域に保存する（ステップＳ４ｂ）。このチェックサムは、復電時に停電前のＲＡＭ１０４の内容が保持されているか否かをチェックするのに使用される。
【０２５４】
次いで、ＣＰＵ１０２は、ＲＡＭ１０４の所定領域に設けられたバックアップフラグに、電源断発生時処理が行われたことを示す規定値を設定する（ステップＳ４ｃ）。以上の処理を終えると、ＣＰＵ１０２は、ＲＡＭ１０４へのアクセスを禁止し（ステップＳ４ｄ）、無限ループに入って電力供給の停止に備える。なお、この処理では、ごく短時間の停電等（以下、「瞬停」と呼ぶ）によって、電源電圧が不安定となることによって、電源断発生時処理が開始されてしまった場合、実際には電源電圧は停止されないため、上記処理では、無限ループから復帰することができなくなるおそれがある。かかる弊害を回避するため、本実施例のＣＰＵ１０２には、ウォッチドックタイマが設けられており、所定時間、ウォッチドックタイマが更新されないとリセットがかかるように構成されている。ウォッチドックタイマは、正常に処理が行われている間は定期的に更新されるが、電源断発生時処理に入り、更新が行われなくなる。この結果、瞬停によって、電源断発生時処理に入り、図２９の無限ループに入った場合でも、所定期間経過後にリセットがかかり、電源投入時と同じプロセスでＣＰＵ１０２が起動することになる。
【０２５５】
図３０は、タイマ割込処理の一例を示すフローチャートである。上述したように、この実施の形態では、メイン処理の実行中に主基板１０１に搭載されるＣＰＵ１０２により４ｍｓ毎にタイマ割込処理が実行される。タイマ割込処理において、ＣＰＵ１０２は、レジスタの退避処理を実行した後（ステップＳ１０）、ステップＳ１１からステップＳ１９の処理を実行する。ステップＳ１１のスイッチ入力処理では、上述したスイッチ（ゲートスイッチ１７４ａ、始動口スイッチ１７０ａ，１７０ｂ、カウントスイッチ１７５ａ、一般入賞スイッチ１１３ａ等）の検出信号を監視する処理を実行する。ステップＳ１２の払出動作処理では、スイッチ入力処理（ステップＳ１１）にて検出された信号にもとづいて払出基板１０５に遊技球の払い出しを指示する払出コマンドを送信する。ステップＳ１３の乱数更新処理１では、遊技にて用いられる各種乱数を更新する処理を実行する。なお、この実施の形態では、乱数更新処理１にて更新される乱数と、上述した乱数更新処理２にて更新される乱数と、は異なる。乱数については後述するが、乱数更新処理２にて更新される乱数を乱数更新処理１でも更新するようにしてもよい。
【０２５６】
また、ステップＳ１４の遊技処理では、遊技の進行状態に応じてパチンコ機１を制御する処理が実行される。ステップＳ１５の普通図柄遊技では、普通図柄表示器１４４に関わる制御処理を実行する。ステップＳ１６の普通電動役物遊技では、開閉部材５６ａの開閉制御するための処理を実行する。ステップＳ１７の特別図柄遊技では、遊技処理（ステップＳ１４）の処理の結果にもとづいて特別図柄表示器１４１を変動表示する制御を実行する。ステップＳ１８の特別電動役物遊技では、ソレノイド１７６ａを可動制御して開閉部材６０ａの開閉制御を実行する。ステップＳ１９のコマンド伝送出力処理では、遊技処理（ステップＳ１４）でセットされた演出コマンドをサブ統合基板１１１に送信する処理を実行する。また、コマンド伝送出力処理（ステップＳ１９）では、パチンコ機１への電力供給が開始されたときに電源投入時処理（ステップＳ１）でセットされた電源投入コマンドをサブ統合基板１１１に送信する処理も行われる。ステップＳ２０のＩ／Ｏポート出力処理では、パチンコ機１の外部（例えば、管理コンピュータ等）に遊技状態を示す状態信号を出力する処理、特図始動記憶ランプ１４７に駆動信号を出力する処理、等を実行する。ステップＳ１１からステップＳ２０の処理を実行すると、レジスタの復帰処理（ステップＳ２１）を実行して、処理を終了する。
【０２５７】
ここで、上述した乱数更新処理１（ステップＳ１３）および乱数更新処理２（ステップＳ３）で主基板１０１に搭載されるＣＰＵ１０２により更新される各種乱数について図３１を参照して説明する。図３１に示すように、この実施の形態では、遊技にて用いられる各種乱数として、大当り遊技状態を発生させるか否かの判定（大当り判定）に用いられる大当り判定乱数、大当り判定において大当り遊技状態を発生させると判定されたときに確変大当りとするか否かの判定（確変判定）に用いられる確変判定乱数、大当り判定にて大当り遊技状態を発生させないと判定されたときにリーチ態様を伴うはずれとするか否かの判定（リーチ判定）に用いられるリーチ判定乱数、特別図柄表示器１４１に表示されている特別図柄の変動表示パターンを決定するために用いられる変動表示パターン乱数、入球装置５６の開閉部材５６ａを開放状態に制御するか否かの判定（普通図柄当り判定）に用いられる普通図柄当り判定乱数、等がある。なお、リーチ判定用乱数を用いて特別図柄の変動表示パターンを決定するとともに、液晶表示装置５０にて表示制御される装飾図柄の変動表示パターンを決定するようにしてもよい。
【０２５８】
これらの乱数のうち、乱数更新処理１では、大当り遊技状態の発生に関わる大当り判定乱数、確変判定乱数、および入球装置５６の開閉部材５６ａを開放状態に制御するか否かに関わる普通図柄当り判定乱数の更新を行う。すなわち、大当り遊技状態の発生および入球装置５６の開閉部材５６ａを開放状態に制御するか否かに関わる判定に用いられる乱数は所定のタイミングとして４ｍｓ毎に更新される。このようにすることにより、それぞれの乱数における所定期間における確率（大当り遊技状態を発生させると判定する確率、入球装置５６の開閉部材５６ａを開放状態に制御すると判定する確率）を一定にすることができ、遊技者不利な状態となることを防止できる。一方、乱数更新処理２では、大当り遊技状態の発生および普通図柄の表示結果に関わらないリーチ判定乱数および変動表示パターン乱数の更新を行う。なお、主基板１０１で更新される乱数は、上記したものに限られず、乱数更新処理２では、大当り判定乱数を更新するカウンタが１周したときに次にカウントを開始させる大当り判定乱数の初期値を決定するための初期値決定乱数等の更新も行う。
【０２５９】
図３２は、遊技処理（ステップＳ１４）の一例を示すフローチャートである。遊技制御処理において、ＣＰＵ１０２は、まず、上始動口５２および下始動口５４に遊技球が入賞したか否かを判別する（ステップＳ３０）。具体的には、始動口スイッチ１７０ａ，１７０ｂから検出信号が出力されたか否かを判別し、始動口スイッチ１７０ａ，１７０ｂから検出信号が出力された場合には上始動口５２または下始動口５４に遊技球が入賞した（ステップＳ３０にてＹＥＳ）と判別し、始動口スイッチ１７０ａ，１７０ｂからの検出信号が出力されていなければ上始動口５２および下始動口５４に遊技球が入賞していない（ステップＳ３０にてＮＯ）と判別する。ステップＳ３０にて上始動口５２または下始動口５４に遊技球が入賞したと判別したときには、各種乱数（大当り判定乱数、確変判定乱数、等）を取得し、ＲＡＭ１０４に設けられている保留球数カウンタの値が上限値となる４未満であるか否かを判別する（ステップＳ３１）。そして、ステップＳ３１で保留球数カウンタが４未満であれば、始動記憶格納処理を行う（ステップＳ３２）。なお、ステップＳ３０で始動口スイッチ１７０ａ，１７０ｂがオンしていない場合、およびステップＳ３１で保留球数カウンタの値が４である場合、には、始動記憶格納処理を実行しない。その後、ＣＰＵ１０２は、遊技の進行状態を示す処理選択フラグの値を参照してステップＳ４０〜ステップＳ４４のうちいずれかの処理を行う。
【０２６０】
始動記憶格納処理では、保留球数カウンタに「１」を加算する処理と、保留球数カウンタの加算に伴って特図始動記憶ランプ１４７の点灯表示態様（点灯表示させるランプの個数）を変更する処理と、取得した乱数値（この実施の形態では、大当り判定乱数、確変判定乱数）をＲＡＭ１０４に設けられた始動記憶の保存領域に保留球数カウンタのカウント値に対応させて記憶する処理と、を行う。このように、保留球数カウンタは、始動記憶の保存領域に記憶される乱数値の数を示すカウンタである。また、ステップＳ３１において保留球数カウンタの値が上限値である場合にはステップＳ３０で取得した乱数値を破棄する。なお、ステップＳ３０で上始動口５２または下始動口５４に遊技球が入賞したと判別したときには、ステップＳ３０〜ステップＳ３２の間で各種乱数を取得すればよく、例えば、ステップＳ３０で各種乱数を取得せずに、ステップＳ３１で保留球数カウンタが上限値未満であることを判別した後に、各種乱数を取得してもよいし、始動記憶格納処理（ステップＳ３２）で取得するようにしてもよい。
【０２６１】
処理選択フラグが「０」のときに実行される変動開始処理（ステップＳ４０）では、始動記憶数を確認し、始動記憶数が０でなければ、特別図柄の変動表示を開始するための設定を行う。具体的には、大当り遊技状態を発生させるか否かの判定を行い、大当り遊技状態を発生させる場合には、確変大当りとするか否かを判定する。処理選択フラグが「１」のときに実行される変動表示パターン設定処理（ステップＳ４１）では、特別図柄および装飾図柄の変動表示に関わる設定を行う。具体的には、特別図柄の変動表示パターンを決定し、当該変動表示パターンに対応して設定される変動時間（特別図柄表示器１４１にて特別図柄の変動表示を開始してから停止表示するまでの時間）をタイマにセットする。処理選択フラグが「２」のときに実行される変動中処理（ステップＳ４２）では、変動表示パターン設定処理（ステップＳ４１）で変動時間が設定されたタイマを監視し、タイマがタイムアウトしたことにもとづいて特別図柄表示器１４１における特別図柄の変動表示を停止させる処理を行う。このとき、変動開始処理（ステップＳ４０）にて大当り遊技状態とする判定がなされていれば、処理選択フラグを「３」に更新し、大当り遊技状態とする判定がなされていなければ処理選択フラグを「０」に更新する。
【０２６２】
また、処理選択フラグが「３」のときに実行される大当り遊技開始処理（ステップＳ４３）では、大当り遊技状態を開始するための設定を行う。具体的には、サブ統合基板１１１に大当り遊技状態の開始表示の実行を指示する大当り開始コマンドを送信するとともに、アタッカ装置６０の開放回数等の設定を行う。
【０２６３】
処理選択フラグが「４」のときに実行される大当り遊技中処理（ステップＳ４４）では、大当り遊技状態が開始された場合に、カウントスイッチ１７５ａによって検出された遊技球の個数を判別し、所定個数（この実施の形態では、１０個）の遊技球が大入賞口６２に入賞したとき、または、所定期間（この実施の形態では、３０秒）が経過したときアタッカ装置６０を閉塞状態にするための処理を行うとともに、サブ統合基板１１１に大当り遊技状態中の表示（例えば、ラウンド表示等）の実行を指示する大当り中コマンドを送信する。また、大当り遊技状態におけるラウンド回数が所定回数（この実施の形態では、１５回）に達していなければ、再び、アタッカ装置６０を開放状態にするための処理を行い、大当り遊技状態におけるラウンド回数が所定回数に達したときには、サブ統合基板１１１に大当り遊技状態の終了表示の実行を指示する大当り終了コマンドを送信するとともに処理選択フラグを「０」に更新する。
【０２６４】
図３３は、変動開始処理（ステップＳ４０）の一例を示すフローチャートである。変動開始処理において、ＣＰＵ１０２は、保留球数カウンタの値が０であるか否か判別する（ステップＳ４０１）。上述したように、保留球数カウンタの値は、始動記憶の保存領域に格納される乱数値の数を示すものであるため、ステップＳ４０１で保留球数カウンタの値が０であれば、始動記憶がないと判別されて処理を終了する。
【０２６５】
一方、ステップＳ４０１で保留球数カウンタの値が０でなければ、始動記憶移行処理を実行する（ステップＳ４０２）。始動記憶移行処理では、保留球数カウンタを１減算する処理と、ＲＡＭ１０４に設けられた始動記憶の保存領域に記憶される各種乱数をシフトした後、始動記憶の保存領域のうち保留球数カウンタの０に対応する保存領域に保存される各種乱数（大当り判定乱数等）を読み出す処理と、を行う。具体的には、始動記憶の保存領域にて保留球数カウンタのｎ（ｎ＝１、２、３、４）に対応する保存領域に記憶されている各種乱数を始動記憶の保存領域における保留球数カウンタのｎ−１（ｎ＝０、１、２、３）に対応する保存領域に記憶させる。
【０２６６】
次いで、ステップＳ４０２で保留記憶の保存領域のうち保留球数カウンタの０に対応する保存領域から読み出した大当り判定乱数を用いて大当り遊技状態を発生させるか否かの判定を行い、大当り遊技状態を発生させる場合には、確変大当りとするか否かを判定する大当り判定処理を行った後（ステップＳ４０３）、処理選択フラグを「１」に更新する（ステップＳ４０４）。処理選択フラグを「１」に更新することにより、次にタイマ割込処理が発生し、遊技処理（ステップＳ１４）が実行されたときに変動表示パターン設定処理（ステップＳ４１）が実行可能となる。
【０２６７】
図３４は、大当り判定処理（ステップＳ４０４）の一例を示すフローチャートである。大当り判定処理において、ＣＰＵ１０２は、大当り遊技中処理（ステップＳ４４）でセットされる確変フラグがＯＮ状態であるか（セットされているか）否かを判別する（ステップＳ５１）。確変フラグがＯＮ状態であれば、確変状態時大当り判定テーブル（図示しない）を選択し（ステップＳ５２）、確変状態フラグがＯＮ状態でなければ（ＯＦＦ状態であれば）、通常・時短状態時大当り判定テーブル（図示しない）を選択する（ステップＳ５３）。なお、確変状態時大当り判定テーブルでは、０〜９７９までの９８０個の大当り判定乱数のうち大当り判定乱数と一致することにより大当り遊技状態を発生させることが決定される大当り判定値が１４個設定され、大当りとなる確率である大当り確率が１／７０となっている。一方、通常・時短状態時大当り判定テーブルでは、０〜９７９までの９８０個の大当り判定乱数のうち大当り判定値が２個設定され、大当り確率が１／４９０となっている。
【０２６８】
そして、ステップＳ５２，Ｓ５３で選択した確変状態時大当り判定テーブル、または、通常・時短状態時大当り判定テーブルに設定されている判定値と、ステップＳ４０２の始動記憶移行処理で読み出した大当り判定乱数の値と、が一致するか否かによって、大当り遊技状態を発生させるか否か判定する（ステップＳ５４）。ステップＳ５２，Ｓ５３で選択した確変状態時大当り判定テーブル、または、通常・時短状態時大当り判定テーブルに設定されている判定値と、ステップＳ４０２の始動記憶移行処理で読み出した大当り判定乱数の値（保留球数カウンタの０に対応する保存領域に保存される大当り判定乱数の値）と、が一致することにもとづいて大当り遊技状態を発生させると判定したときには、大当りフラグをＯＮ状態（セット）とした後に（ステップＳ５５）、所定の判定値が設定された確変判定テーブル（図示しない）にもとづいて確変大当りとするか否かを判定する（ステップＳ５６）。具体的には、ステップＳ４０２の始動記憶移行処理で読み出した確変判定乱数の値（保留球数カウンタの０に対応する保存領域に保存される確変判定乱数の値）と、確変判定テーブルに設定されている判定値と、が一致するか否かにもとづいて確変大当りとするか否か判定する。なお、本実施形態では、確変突入率（大当りのうち確変大当りとする割合）が２／３となるように、すなわち、０〜８までの９個の確変判定乱数のうち確変大当りとすることに決定される６個の判定値が確変判定テーブルに設定されている。
【０２６９】
ステップＳ５６で、確変判定テーブルに設定されている判定値と、ステップＳ４０２の始動記憶移行処理で読み出した確変判定乱数の値と、が一致したことにもとづいて確変大当りと判定されたときには、確変状態フラグをＯＮ状態（セット）とする（ステップＳ５７）。一方、ステップＳ５４で大当りとしない（はずれとする）と判定されたとき、および、ステップＳ５６で確変大当りとしない（非確変大当りとする）と判定されたとき、には、以下の処理を実行することなく処理を終了する。なお、大当りフラグおよび確変状態フラグのＯＮ／ＯＦＦ状態（セット状態、リセット状態）は、ＲＡＭ１０４に記憶される。また、大当りフラグおよび確変状態フラグのＯＦＦ状態（リセット状態）とは「０」の値がセットされることであり、大当りフラグおよび確変状態フラグのＯＮ状態（セット状態）とは「１」の値がセットされることである。
【０２７０】
なお、大当りフラグは、大当り遊技状態への移行制御を示すフラグであり、大当り遊技開始処理（ステップＳ４３）にて大当りフラグがセットされていれば、大当り遊技状態を発生させる。また、確変状態フラグは、大当り遊技状態終了後に確率変動状態への移行制御を示すフラグであり、大当り遊技中処理（ステップＳ４４）にて大当り遊技状態を終了するときに確変状態フラグがセットされていれば、確変状態フラグをリセットし、確変状態を示す確変フラグをセットする処理が実行される。確変フラグがセットされた状態では、上述した確率変動状態に制御され、例えば、上述したステップＳ５２の確変状態時大当り判定テーブルが選択されて確率変動状態以外の状態（通常状態、時短状態）よりも大当り遊技状態を発生させると判定される確率が高まる。また、大当り遊技開始処理（ステップＳ４３）にて確変フラグがセットされている場合には、確変フラグをリセットする処理が実行される。
【０２７１】
図３５は、変動表示パターン設定処理（ステップＳ４１）の一例を示すフローチャートである。変動表示パターン設定処理において、ＣＰＵ１０２は、今回の変動表示の結果、大当りとするか否か、すなわち、大当りフラグがセットされているか否かを判別し（ステップＳ４１０）、大当りフラグがセットされていれば（ＯＮ状態であれば）、遊技状態に応じた、すなわち、現在の遊技状態が確率変動状態または時短状態であれば、確変・時短時大当り変動表示パターンテーブル（図３７参照）を選択し、現在の遊技状態が通常状態であれば、通常時大当り変動表示パターンテーブル（図３６参照）を選択する（ステップＳ４１２）。なお、確変・時短時大当り変動表示パターンテーブルおよび通常時大当り変動表示パターンテーブルは、大当りとなる場合に用いられる変動表示パターンが設定されたテーブルである。
【０２７２】
また、大当りフラグがセットされていなければ（ＯＦＦ状態であれば）、リーチ判定乱数を取得し、ＲＡＭ１０４の所定の保存領域に記憶するとともに、所定の判定値が設定されたリーチ判定テーブルに設定されている判定値と、取得したリーチ判定乱数の値と、が一致するか否かによって、リーチとするか否かを判定する（ステップＳ４１１）。リーチ態様とすると判定されたときには、遊技状態に応じた、すなわち、現在の遊技状態が確率変動状態または時短状態であれば、確変・時短時リーチ変動表示パターンテーブル（図３７参照）を選択し、現在の遊技状態が通常状態であれば、通常時リーチ変動表示パターンテーブル（図３６参照）を選択する（ステップＳ４１３）。一方、リーチ態様としないと判定されたときには、遊技状態に応じた、すなわち、現在の遊技状態が確率変動状態または時短状態であれば、確変・時短時はずれ変動表示パターンテーブル（図３７参照）を選択し、現在の遊技状態が通常状態であれば、通常時はずれ変動表示パターンテーブル（図３６参照）を選択する（ステップＳ４１４）。なお、確変・時短時リーチ変動表示パターンテーブルおよび通常時リーチ変動表示パターンテーブルは、リーチ態様を伴う変動表示を行ってはずれ図柄を導出（停止表示）する場合に用いられる変動表示パターンが設定されたテーブルであり、確変・時短時はずれ変動表示パターンテーブルおよび通常時はずれ変動表示パターンテーブルは、変動表示を行ってリーチ態様を伴うことなくはずれ図柄を導出（停止表示）する場合に用いられる変動表示パターンが設定されたテーブルである。また、この実施の形態におけるリーチ判定テーブルは、リーチ確率（リーチ態様とする割合）が１／１２．５となるように、すなわち、０〜２４までの２５個のリーチ判定乱数のうち２個の判定値がリーチ判定テーブルに設定されている。
【０２７３】
なお、この実施の形態では、いずれの遊技状態においてもリーチ確率が一定の１／１２．５となっているが、遊技状態に応じてリーチ確率を変更するように構成してもよい。例えば、通常状態におけるリーチ確率を１／１２．５とし、時短状態および確率変動状態におけるリーチ確率を１／２５としてもよい。この場合には、時短状態および確率変動状態にて変動時間が長いリーチ態様を伴うはずれとなる変動表示を実行する割合が減少するため、通常状態に比べて所定期間内における変動表示の実行回数を増加させることができ、通常状態よりも遊技者に有利な状態とすることができる。
【０２７４】
そして、変動表示パターン乱数を取得し、ＲＡＭ１０４の所定の保存領域に記憶するとともに、ステップＳ４１１，Ｓ４１３，Ｓ４１４で選択された確変・時短時大当り変動表示パターンテーブル、通常時大当り変動表示パターンテーブル、確変・時短時リーチ変動表示パターンテーブル、通常時リーチ変動表示パターンテーブル、確変・時短時はずれ変動表示パターンテーブル、通常時はずれ変動表示パターンテーブル、のいずれか１つの変動表示パターンテーブルに設定されている判定値と、取得した変動表示パターン乱数の値と、が一致する変動表示パターンに決定する（ステップＳ４１５）。
【０２７５】
次いで、ステップＳ４１５で決定した変動表示パターンを指定する演出コマンドとして変動表示パターンコマンドをセットし（ステップＳ４１６）、当該変動表示パターンに応じた変動時間を主基板１０１に搭載されるＲＡＭ１０４に設けられたタイマ（この実施の形態では、有効期間タイマ）にセットする（ステップＳ４１７）。ステップＳ４１７では、ステップＳ４１５で決定した変動表示パターンに設定されている変動時間を有効期間タイマにセットする。なお、ステップＳ４１６でセットされた変動表示パターンコマンドは、コマンド伝送出力処理（ステップＳ１９）にてサブ統合基板１１１に送信される。また、変動表示パターンコマンドをコマンド伝送出力処理でサブ統合基板１１１に送信するときには、特別図柄遊技にて特別図柄表示器４１に駆動信号を出力し、特別図柄の変動表示を開始させる。
【０２７６】
このように、この実施の形態では、遊技状態に応じて、ずなわち、現在の遊技状態が確率変動状態であるか、時短状態であるか、通常状態であるか、に応じて選択する変動表示パターンテーブルを異ならせている。従って、各々の遊技状態に応じた特別図柄の変動表示を実行できる。なお、現在の遊技状態が確率変動状態または時短状態であるときに選択される確変・時短時はずれ変動表示パターンテーブルでは、現在の遊技状態が通常状態であるときに選択される通常時はずれ変動表示パターンテーブルに比べて実行される変動表示の実行時間（変動時間）が短くなるように設定されている。
【０２７７】
すなわち、図３６に示す通常時はずれ変動表示パターンテーブルでは、変動時間が「１２秒」に設定され、図３７に示す確変・時短時はずれ変動表示パターンテーブルでは、変動時間が「４秒」に設定されるため、確率変動状態および時短状態においては、通常状態に比べてリーチ態様を伴わないはずれとなるときの変動時間が短くなるように制御される。なお、この実施の形態では、現在の遊技状態が確率変動状態または時短状態であるときに選択される確変・時短時リーチ変動表示パターンテーブルには、現在の遊技状態が通常状態であるときに選択される通常時リーチ変動表示パターンテーブルと同一の変動表示パターンが設定され、その変動時間は同一である。例えば、通常時リーチ変動表示パターンテーブルの変動番号２の「ノーマルリーチ」に対応した変動表示パターンとして、確変・時短時リーチ変動表示パターンテーブルに変動番号２５の「ノーマルリーチ」が設定され、これらの変動時間は同一となっている。
【０２７８】
また、現在の遊技状態が確率変動状態または時短状態であるときに選択される確変・時短時大当り変動表示パターンテーブルには、現在の遊技状態が通常状態であるときに選択される通常時大当り変動表示パターンテーブルと同一の変動表示パターンに加えて、確変・時短時大当り変動表示パターンテーブルにのみ設定されて短い変動時間の変動表示を行う変動番号４７の「カウントダウン当り」の変動表示パターンが設定されている。例えば、通常時大当り変動表示パターンテーブルの変動番号３の「ノーマルリーチ当り」に対応した変動表示パターンとして、確変・時短時大当り変動表示パターンテーブルに変動番号２６の「ノーマルリーチ当り」が設定され、これらの変動時間は同一となっている。また、変動番号４７の変動表示パターンでは、変動時間が「７秒」に設定され、変動番号２４の「短縮変動」の変動時間（４秒）や変動番号１の「通常変動」の変動時間（１２秒）と略同等の変動時間となっている。
【０２７９】
このように、確率変動状態および時短状態に制御された場合には、通常時はずれ変動表示パターンテーブルの変動時間が短縮された確変・時短時はずれ変動表示パターンテーブルが設定されるが、確変・時短時リーチ変動表示パターンテーブルおよび確変・時短時大当り変動表示パターンテーブルの変動時間は、通常時リーチ変動表示パターンテーブルおよび通常時大当り変動表示パターンテーブルに比べて短縮されない。
【０２８０】
また、通常時リーチ変動表示パターンテーブルおよび通常時大当り変動表示パターンテーブルに設定される変動表示パターンの変動時間は、通常時はずれ変動表示パターンテーブルおよび確変・時短時変動表示パターンテーブルに設定される変動表示パターンの変動時間に比べて変動時間が長い。この実施の形態では、確変・通常時大当り変動表示パターンテーブルに「短縮変動」の変動時間および「通常変動」の変動時間と略同等の変動時間の変動表示パターンを設定することで、確率変動状態および時短状態であっても短い変動時間の変動表示を実行可能にしている。
【０２８１】
なお、この実施の形態では、確率変動状態および時短状態にてはずれとする場合に限って通常時はずれ変動表示パターンテーブルの変動時間が短縮された確変・時短時はずれ変動表示パターンテーブルを選択するように構成しているが、変動表示パターン設定処理のステップＳ４１４で保留球数カウンタのカウント値を判別し、始動記憶数が所定個数（例えば、３個）以上であれば、すなわち、保留球数カウンタのカウント値が所定カウント（例えば、３）以上であれば、確変・時短時はずれ変動表示パターンテーブルを選択するように構成することにより、始動記憶数が所定個数以上となったときに変動時間の短い変動表示パターンが選択されるようにしてもよい。また、通常時はずれ変動表示パターンテーブルに変動番号１の「通常変動」よりも変動時間が短い変動表示パターンを設定し、変動表示パターン設定処理のステップＳ４１４で保留球数カウンタのカウント値を判別して始動記憶数が所定個数（例えば、３個）未満であれば、変動番号１の「通常変動」を選択し、始動記憶数が所定個数（例えば、３個）以上であれば、変動番号１の「通常変動」よりも変動時間が短い変動表示パターンを選択するようにしてもよい。
【０２８２】
次に、サブ統合基板１１１に搭載される統合ＣＰＵ１１２によって実行される処理について説明する。図３８はサブメイン処理の一例を示すフローチャートであり、図３９は１６ｍｓ定常処理の一例を示すフローチャートである。
【０２８３】
図３８に示すように、パチンコ機１への電力供給が開始されると、統合ＣＰＵ１１２は、初期設定処理を行う（ステップＳ７１）。この初期設定処理は、サブ統合基板１１１に搭載される統合ＲＡＭ１１４をクリアする処理等が行われる。なお、この初期設定処理中では割込禁止となっており、初期設定処理のあと割込許可となる。初期設定処理（ステップＳ７１）が終了すると、１６ｍｓ経過フラグＴがセットされたか否かを監視するループ処理を開始する（ステップＳ７２）。
【０２８４】
この実施の形態では、統合ＣＰＵ１１２は、２ｍｓ経過毎に割込を発生させ、２ｍｓ定常処理を実行する。２ｍｓ定常処理では、１６ｍｓ経過監視カウンタをカウントアップする（１６ｍｓ経過監視カウンタを１加算する）処理が実行され、１６ｍｓ経過監視カウンタの値が８になったとき、すなわち、１６ｍｓ経過したときに１６ｍｓ経過フラグＴをセットするとともに、１６ｍｓ経過監視カウンタをリセット（０にする）処理が実行される。このように、１６ｍｓ経過フラグＴは、２ｍｓ定常処理にて１６ｍｓ毎に「１」に設定（セット）され、通常は「０」に設定（リセット）されている。ステップＳ７２で１６ｍｓ経過フラグがセットされている（１６ｍｓ経過フラグＴが「１」）ときには、１６ｍｓ経過フラグをリセットした後（ステップＳ７３）、１６ｍｓ定常処理を行う（ステップＳ７４）。
【０２８５】
この１６ｍｓ定常処理では、主基板１０１から受信した演出コマンドにもとづいて液晶表示装置５０、枠ランプ２７，遊技盤ランプ、スピーカ１４，２９、回転ユニット６０等を制御する処理が実行される。１６ｍｓ定常処理が終了すると、再びステップＳ７２に戻り、１６ｍｓ経過フラグＴがセットされる毎に、つまり１６ｍｓ毎に上述したステップＳ７３〜ステップＳ７４を繰り返し行う。一方、ステップＳ７２で１６ｍｓ経過フラグＴがセットされていない（１６ｍｓ経過フラグＴが「０」）ときには、１６ｍｓ経過フラグＴがセットされるまでループ処理を行う。
【０２８６】
図３９は、サブメイン処理にて１６ｍｓ毎に実行される１６ｍｓ定常処理の一例を示すフローチャートである。１６ｍｓ定常処理において、サブ統合ＣＰＵ１１２は、ステップＳ９１〜ステップＳ９５の処理を実行する。ステップＳ９１のコマンド解析処理では、主基板１０１から受信した演出コマンドを解析する。ステップＳ９２の演出制御処理では、変動表示パターンコマンドにもとづいて液晶表示装置５０に関わる制御処理を実行する。具体的には、後述する予告演出の設定、装飾図柄の停止図柄の決定、等を行う。
【０２８７】
また、ステップＳ９３の音制御処理では、スピーカ１４，２９に関わる制御処理を実行する。ステップＳ９４のランプ制御処理では、遊技盤ランプ、枠ランプ２７に関わる制御処理を実行する。ステップＳ９５の情報出力処理では、表示制御基板１２０に表示コマンドを送信するとともに、ランプ中継基板１１９にソレノイド駆動信号およびランプ点灯信号を送信する。ステップＳ９６の乱数更新処理では、演出制御処理（ステップＳ９２）で各種設定に用いられる乱数を更新する処理を実行する。
【０２８８】
なお、１６ｍｓ定常処理におけるステップＳ９１〜ステップＳ９６の処理は１６ｍｓ以内に終了する。仮に、１６ｍｓ定常処理を開始してから当該１６ｍｓ定常処理の終了までに１６ｍｓ以上かかったとしても、１６ｍｓ定常処理を開始してから１６ｍｓ経過したときに直ぐに１６ｍｓ定常処理を最初から（後述するステップＳ９１のコマンド解析処理から）実行しない。すなわち、１６ｍｓ定常処理の実行中に１６ｍｓ経過したときには、１６ｍｓ経過フラグのセットのみを行い、当該１６ｍｓ定常処理の終了後にステップＳ７２で１６ｍｓ経過フラグがセットされていると判定されたときに１６ｍｓ定常処理を開始する。
【０２８９】
また、この実施の形態では、１６ｍｓ定常処理にて乱数更新処理（ステップＳ９６）を実行して各種乱数を更新するように構成しているが、各種乱数を更新する時期（タイミング）はこれに限られるものではない。例えば、サブメイン処理におけるループ処理および１６ｍｓ定常処理のいずれか一方または両方にて各種乱数を更新するように構成してもよい。
【０２９０】
図４０は、演出制御処理（ステップＳ９２）の一例を示すフローチャートである。演出制御処理において、統合ＣＰＵ１１２は、遊技の進行状態を示す処理選択フラグの値を参照してステップＳ７００〜ステップＳ７０２のうちいずれかの処理を行う。
【０２９１】
処理選択フラグが「０」のときに実行される装飾図柄変動開始処理（ステップＳ７００）では、上述したコマンド解析処理にて解析された演出コマンドが変動表示パターンコマンドであれば、すなわち、主基板１０１から変動表示パターンコマンドを受信していれば装飾図柄の変動表示を開始させるための設定を行う。具体的には、変動表示パターンコマンドおよび確変大当りコマンドに応じて装飾図柄の停止図柄を決定するとともに、予告演出等の設定を行い、変動表示パターンと装飾図柄の停止図柄と予告演出とにもとづく表示コマンドをセットするとともに、変動表示パターンと予告演出とにもとづくスケジューラを選択して処理選択フラグを「１」に更新する。なお、スケジューラは、統合ＲＯＭ１１３に記憶され、変動表示を開始してからの経過時間に応じた処理（例えば、音出力、可動装飾体４４ａ，４４ｂ，４４ｃの駆動、遊技盤ランプおよび枠ランプ２７の点灯）を示すものである。
【０２９２】
処理選択フラグが「１」のときに実行される装飾図柄変動処理（ステップＳ７０１）では、変動表示を開始してからの経過時間を計測して装飾図柄変動開始処理にて選択したスケジューラにもとづいて経過時間に応じた処理を実行し、主基板１０１から変動時間が経過したことを示す変動停止コマンドを受信したときに表示制御基板１２０に表示コマンドを送信して装飾図柄の変動表示を停止させる制御を行う。このとき、主基板１０１から大当り開始コマンドを受信していれば処理選択フラグを「２」に更新し、主基板１０１から大当り開始コマンドを受信していなければ処理選択フラグを「０」に更新する。
【０２９３】
処理選択フラグが「２」のときに実行される大当り表示処理（ステップＳ７０２）では、主基板１０１から送信される大当り開始コマンドに応じて液晶表示装置５０に大当り遊技状態の開始を示す表示を行うとともに、主基板１０１から送信される大当り中コマンドに応じて大当り遊技状態中の表示（例えば、ラウンド表示等）を行うための制御を実行し、大当り終了コマンドを受信していれば大当り遊技状態の終了表示を行い、処理選択フラグを「０」に更新する。
【０２９４】
なお、表示制御基板１２０に搭載される表示ＲＯＭ１２２には、サブ統合基板１１１から受信した表示コマンドにより指示される変動表示パターンと予告演出とにもとづく変動態様を示すプロセスデータが記憶されている。表示制御基板１２０に搭載される表示ＣＰＵ１２１は、サブ統合基板１１１から表示コマンドを受信したときに表示ＲＯＭ１２２から表示コマンドにより指示された変動表示パターンと予告演出とに応じたプロセスデータを選択し、当該プロセスデータにもとづいて液晶表示装置５０の表示制御を開始する。プロセスデータは、経過時間に応じた液晶表示装置５０の演出態様（装飾図柄、キャラクタ画像等の態様）を示すものである。
【０２９５】
また、プロセスデータに設定される演出態様と統合ＣＰＵ１１２により選択されるスケジューラの経過時間に応じた処理とは、同期して実行されるように設定されている。すなわち、プロセスデータにもとづいて液晶表示装置５０にて所定の演出態様を表示制御したときに、当該演出態様に対応した処理がなされるようにプロセスデータおよびスケジューラを構成している。そのため、液晶表示装置５０の表示内容に同期してスピーカ（低音用スピーカ１４および／またはスピーカ３６）の音出力制御、可動装飾体４４ａ，４４ｂ，４４ｃの駆動制御、遊技盤ランプおよび／または枠ランプ２７の点灯・消灯制御、等を実行できる。このように、液晶表示装置５０の表示内容に同期してスピーカ（低音用スピーカ１４および／またはスピーカ３６）の音出力制御、可動装飾体４４ａ，４４ｂ，４４ｃの駆動制御、遊技盤ランプおよび／または枠ランプ２７の点灯・消灯制御、等を実行するため、液晶表示装置５０の演出効果を向上させることができる。
【０２９６】
このように構成されるパチンコ機１においては、上述したように確率変動状態および時短状態に制御されたときに大当り（大当り遊技状態）およびリーチ態様としないと判定された場合には確変・時短時はずれ変動表示パターンテーブルを選択することにより通常変動よりも変動時間が短い変動表示を実行する。また、本実施形態のパチンコ機１は、確率変動状態においては大当り遊技状態とする判定がなされる確率が７０分の１であり、通常状態および時短状態においては大当り遊技状態とする判定がなされる確率は４９０分の１であるため、遊技状態に関わらず大当り遊技状態となる確率は大当り遊技状態とならない（はずれとなる）確率よりも低く、殆どが大当り遊技状態とならないと判定される。
【０２９７】
さらに、各遊技状態において、大当り遊技状態としない判定がなされたときに、リーチ態様を伴うはずれとする判定がなされる割合は１２．５分の１であるため、遊技状態に関わらずリーチ態様を伴うはずれとなる確率はリーチ態様を伴わないはずれとなる確率よりも低く、殆どがリーチ態様を伴わないはずれとする判定がなされる。換言すると、変動表示パターン設定処理においては、遊技状態に関わらずはずれ変動表示パターンテーブルが選択される割合が高く、殆どの場合に変動番号１の「通常変動」または変動番号２４の「短縮変動」が実行されることとなる。
【０２９８】
そして、時短状態または確率変動状態において、変動番号２４の「短縮変動」が連続して実行されることとなるが、稀にリーチ態様を伴う変動表示が実行されると変動番号２４の「短縮変動」に比べて変動時間が長く、短縮変動にて実行される装飾図柄の変動表示とは異なる態様（例えば、装飾図柄の変動速度等）で装飾図柄の変動表示が実行されるため、遊技者が液晶表示装置５０の演出態様を視認することで今回の変動表示がリーチ態様を伴う変動表示であるか否かを判別できてしまう。また、一般的にリーチ態様を形成しない場合には大当り図柄が導出されないため、今回の変動表示がリーチ態様を伴う変動表示でないと判別したときには、大当り遊技状態とならないと把握し、液晶表示装置５０にて実行される装飾図柄の変動表示に対する興味が低下してしまっていた。本実施形態では、時短状態および確率変動状態にて変動時間が短い変動表示が連続して実行される場合であっても当該変動表示に対する期待感を低下させないように構成している。
【０２９９】
以下、具体例について図４１を参照して説明する。図４１は、変動番号４７の「カウントダウン当り」の変動表示パターンにもとづいて液晶表示装置５０にて実行される演出態様の一例を示す説明図である。
【０３００】
なお、本実施形態の液晶表示装置５０では、複数の画像を所定の優先順序で合成したレイヤ（層）表示が行われる。具体的には、図４１（Ａ）にて液晶表示装置５０では、確率変動状態報知５１ｂの優先順位を上位に、左・中・右の装飾図柄５０ａ，５０ｂ，５０ｃの優先順位を中位に、背景画像５１ａの優先順位を下位にして合成して表示するレイヤ表示を行っている。
【０３０１】
また、この実施の形態では、液晶表示装置５０にて変動表示される左・中・右の装飾図柄５０ａ，５０ｂ，５０ｃを高速で変動表示させる。そのため、遊技者は、左・中・右の装飾図柄５０ａ，５０ｂ，５０ｃの態様（どの図柄（数字）であるか）を識別不能である。また、左・中・右の装飾図柄５０ａ，５０ｂ，５０ｃを高速で変動表示させることにより、左・中・右の装飾図柄５０ａ，５０ｂ，５０ｃよりも優先順位が下位の態様（この場合には、背景画像５１ａ）を透視でき、左・中・右の装飾図柄５０ａ，５０ｂ，５０ｃの下位にて、左・中・右の装飾図柄５０ａ，５０ｂ，５０ｃと重なって所定の演出表示を実行した場合であっても当該演出表示を視認可能である。
【０３０２】
なお、この実施の形態では、左・中・右の装飾図柄５０ａ，５０ｂ，５０ｃを高速で変動表示させることにより遊技者に左・中・右の装飾図柄５０ａ，５０ｂ，５０ｃの態様を識別不能にしているが、左・中・右の装飾図柄５０ａ，５０ｂ，５０ｃを半透明表示、すなわち、左・中・右の装飾図柄５０ａ，５０ｂ，５０ｃよりも優先順位が下位の表示が透視できるような態様で左・中・右の装飾図柄５０ａ，５０ｂ，５０ｃを変動表示させ、左・中・右の装飾図柄５０ａ，５０ｂ，５０ｃを停止表示したときに左・中・右の装飾図柄５０ａ，５０ｂ，５０ｃを不透明表示、すなわち、左・中・右の装飾図柄５０ａ，５０ｂ，５０ｃよりも優先順位が下位の表示が透視できない態様とすることにより、少なくとも変動表示している間は左・中・右の装飾図柄５０ａ，５０ｂ，５０ｃの態様を識別不能となるようにしてもよい。
【０３０３】
また、この実施の形態では、一部の変動表示パターンを除き、液晶表示装置５０にて変動表示される左・中・右の装飾図柄５０ａ，５０ｂ，５０ｃ各々を高速で変動表示した後、遊技者が左・中・右の装飾図柄５０ａ，５０ｂ，５０ｃの態様を識別可能となる程度の低速で変動表示して左・中・右の装飾図柄５０ａ，５０ｂ，５０ｃ各々を停止表示させる。低速の変動表示に切り換えて実行した場合には、左・中・右の装飾図柄５０ａ，５０ｂ，５０ｃ各々にて低速の変動表示に切り換えてからの装飾図柄の移動量が予め定められたコマ数（例えば、３コマ）となったときに装飾図柄を停止表示させる。なお、１コマとは、装飾図柄の移動量が装飾図柄の１個分であるため、低速の変動表示に切り換えてからの装飾図柄の移動量が予め定められたコマ数となったときとは、低速の変動表示に切り換えてから装飾図柄が表示される個数と同意である。そのため、左・中・右の装飾図柄５０ａ，５０ｂ，５０ｃ各々が停止表示されるときに停止表示される草食図柄を予測可能であり、ひいては表示結果が予測可能となる。
【０３０４】
上述したように、サブ統合基板１１１に搭載される統合ＣＰＵ１１２は、変動表示パターンコマンドを受信したことにもとづいて装飾図柄の変動表示を開始させるための処理（具体的には、装飾図柄変動開始処理）を実行し、変動表示パターンと装飾図柄の停止図柄と予告演出とにもとづく表示コマンドをセットするとともに、変動表示パターンと予告演出とにもとづくスケジューラを選択する。
【０３０５】
表示制御基板１２０に搭載される表示ＣＰＵ１２１は、サブ統合基板１１１から表示コマンドを受信したことにもとづいて表示ＲＯＭ１２２から表示コマンドにより指示された変動表示パターンと予告演出とに応じたプロセスデータを選択し、当該プロセスデータにもとづいて液晶表示装置５０の表示制御を開始する（図４１（Ａ）〜図４１（Ｂ））。
【０３０６】
表示ＣＰＵ１２１は、変動表示を開始すると背景画像５１ａとして表示される大空、大地、山を示す態様の大地に左・中・右の装飾図柄５０ａ，５０ｂ，５０ｃを没し、地中に没した装飾図柄５０ａ，５０ｂ，５０ｃの次に表示される装飾図柄５０ａ，５０ｂ，５０ｃが大空から落ちてくる態様を繰り返し表示制御する。そして、プロセスデータにもとづいて経過時間に応じた液晶表示装置５０の演出態様を表示制御する。
【０３０７】
なお、この実施の形態では、確率変動状態では、液晶表示装置５０に確率変動状態報知５１ｂとしての「確変中」を表示制御する。確率変動状態報知５１ｂは、確率変動状態であることを遊技者に報知するものであり、当該表示により遊技者は確率変動状態に制御されていることを把握することができる。なお、背景画像５１ａの態様を通常状態および時短状態とは異なる態様とすることにより確率変動状態に制御されていることを報知するようにしてもよいし、背景画像５１ａの態様および確率変動状態報知５１ｂを組み合わせて実行することにより確率変動状態に制御されていることを報知するようにしてもよい。
【０３０８】
しかして、表示ＣＰＵ１２１は、プロセスデータにもとづき、液晶表示装置５０にて装飾図柄５０ａ，５０ｂ，５０ｃの変動表示を開始してからの経過時間が所定期間（例えば、１秒）となったときに、停止時機報知画像５１ｃとして「３」を所定期間に亘って表示制御する（図４１（Ｃ））。停止時機報知画像５１ｃを表示制御するときには、左・中・右の装飾図柄５０ａ，５０ｂ，５０ｃの変動表示を継続して実行する。また、停止時機報知画像５１ｃの表示制御に同期して統合ＣＰＵ１１２は、スケジューラにもとづきスピーカ（低音用スピーカ１４および／またはスピーカ３６）にて所定期間（例えば、０．１秒や、０．３秒以下等）に亘って所定の音出力（例えば「ピッ」）を実行させる。具体的には、音源ＩＣ１２８によってスケジューラに応じた音出力態様を音ＲＯＭ１２７から読み出し、読み出した音出力態様に応じた駆動信号を低音用スピーカ１４および／またはスピーカ３６に出力する。このとき、停止時機報知画像５１ｃとしての「３」に対応した音出力として、例えば、「参」や「ＴＨＲＥＥ」等の音出力を実行するように構成してもよい。この場合、遊技者が液晶表示装置５０に注目していなくても、音出力される態様によって停止時機報知画像５１ｃによりいずれの態様（この実施形態では、数値を模した画像）が表示されているかを把握させることができるため、液晶表示装置５０の表示内容に注目させることができる。
【０３０９】
次いで、表示ＣＰＵ１２１は、プロセスデータにもとづき、停止時機報知画像５１ｃとしての「３」の表示制御を終了し、所定期間、左・中・右の装飾図柄５０ａ，５０ｂ，５０ｃの変動表示を実行した後（図４１（Ｄ））、停止時機報知画像５１ｃとしての「２」を表示制御する（図４１（Ｅ））。また、停止時機報知画像５１ｃの表示制御に同期して統合ＣＰＵ１１２は、スケジューラにもとづきスピーカ（低音用スピーカ１４および／またはスピーカ３６）にて所定期間（例えば、０．１秒）に亘って所定の音出力（例えば、「ピッ」）を実行する。このとき、停止時機報知画像５１ｃとしての「２」に対応した音出力として、例えば、「弐」や「ＴＷＯ」等の音出力を実行するように構成してもよい。そして、表示ＣＰＵ１２１は、プロセスデータにもとづき、停止時機報知画像５１ｃとしての「２」の表示制御を終了し、所定期間、左・中・右の装飾図柄５０ａ，５０ｂ，５０ｃの変動表示を実行した後（図４１（Ｆ））、停止時機報知画像５１ｃとしての「１」を表示制御する（図４１（Ｇ））。また、停止時機報知画像５１ｃの表示制御に同期して統合ＣＰＵ１１２は、スケジューラにもとづきスピーカ（低音用スピーカ１４および／またはスピーカ３６）にて所定期間（例えば、０．１秒）に亘って所定の音出力（例えば「ピッ」）を実行する。このとき、停止時機報知画像５１ｃとしての「１」に対応した音出力として、例えば、「壱」や「ＯＮＥ」等の音出力を実行するように構成してもよい。
【０３１０】
なお、停止時機報知画像５１ｃは、左・中・右の装飾図柄５０ａ，５０ｂ，５０ｃ全てを停止表示させるタイミング（停止表示タイミング：停止表示される時機）を示すものであり、プロセスデータにもとづき、装飾図柄５０ａ，５０ｂ，５０ｃの変動表示を開始してからの経過時間に応じて「３」、「２」、「１」のいずれかが停止時機報知画像５１ｃとして順次表示される（図４１（Ｃ）、図４１（Ｅ）、図４１（Ｇ））。停止時機報知画像５１ｃとして「３」を表示した場合には、左・中・右の装飾図柄５０ａ，５０ｂ，５０ｃの全てを停止表示させる３歩手前である（停止表示されるまでに最も遠い）こと、停止時機報知画像５１ｃとして「２」を表示した場合には、左・中・右の装飾図柄５０ａ，５０ｂ，５０ｃの全てを停止表示させる２歩手前である（停止表示されるまであと少しである）こと、停止時機報知画像５１ｃとして「１」を表示した場合には、左・中・右の装飾図柄５０ａ，５０ｂ，５０ｃの全てを停止表示させる１歩手前である（停止表示される直前である）ことを示している。
【０３１１】
そして、表示ＣＰＵ１２１は、プロセスデータにもとづき、停止時機報知画像５１ｃとしての「１」の表示制御を終了し、所定期間、左・中・右の装飾図柄５０ａ，５０ｂ，５０ｃの変動表示を実行した後、変動表示している左・中・右の装飾図柄５０ａ，５０ｂ，５０ｃ各々を略同時に停止表示して大当り図柄（この例では、「３３３」）を導出する（図４１（Ｈ））。また、左・中・右の装飾図柄５０ａ，５０ｂ，５０ｃの停止表示に同期して統合ＣＰＵ１１２は、スケジューラにもとづきスピーカ（低音用スピーカ１４および／またはスピーカ３６）にて所定期間（例えば、３秒）に亘って所定の音出力（例えば、「ドーン」）を実行する。
【０３１２】
このように、変動表示している左・中・右の装飾図柄５０ａ，５０ｂ，５０ｃ各々を略同時に停止表示することにより、意外性のある演出を実行でき、遊技者にインパクトを与えることができる。また、左・中・右の装飾図柄５０ａ，５０ｂ，５０ｃの停止表示に同期して所定の音出力を実行することにより、さらに遊技者にインパクトを与えることができ、停止表示された左・中・右の装飾図柄５０ａ，５０ｂ，５０ｃにより大当り図柄が導出されるため、至福感を抱かせることができる。
【０３１３】
なお、上述し態様に、液晶表示装置５０における変動表示では、左・中・右の装飾図柄５０ａ，５０ｂ，５０ｃの態様（どの図柄（数字）であるか）が識別不能であるため、図４１（Ｈ）で左・中・右の装飾図柄５０ａ，５０ｂ，５０ｃが停止表示されたときに突然左・中・右の装飾図柄５０ａ，５０ｂ，５０ｃが視認可能となり、初めて停止図柄の態様を把握できるため、インパクトを与えることができる。
【０３１４】
また、この実施の形態では、左・中・右の装飾図柄５０ａ，５０ｂ，５０ｃの変動表示を開始してから最初に停止時機報知表示５１ｃを表示するとき（この例では、停止時機報知表示５１ｃとして「３」を表示するとき）に背景画像５１ａの山が噴火する直前であるかの態様を表示制御し、左・中・右の装飾図柄５０ａ，５０ｂ，５０ｃを停止表示する直前まで継続して表示制御する。そして、左・中・右の装飾図柄５０ａ，５０ｂ，５０ｃを停止表示するときに同期して背景画像５１ａの山が噴火した態様を表示制御する。このように、左・中・右の装飾図柄５０ａ，５０ｂ，５０ｃの変動表示を開始してから最初に停止時機報知表示５１ｃを表示するときに、背景画像５１ａの山が噴火する直前であるかの態様を表示制御することで、遊技者に「何かが起こる」と推測させるため、液晶表示装置５０の表示内容に期待させることができる。また、左・中・右の装飾図柄５０ａ，５０ｂ，５０ｃ各々を略同時に停止表示させるとともに、左・中・右の装飾図柄５０ａ，５０ｂ，５０ｃの停止表示に同期して背景画像５１ａの山が噴火した態様を表示制御することにより、遊技者に更なるインパクトを与えることができる。
【０３１５】
また、この実施の形態では、停止時機報知画像５１ｃとして「３」を表示した後、略一定間隔で停止時機報知画像５１ｃとして「２」、「１」それぞれを表示するとともに、略一定間隔で左・中・右の装飾図柄５０ａ，５０ｂ，５０ｃの全てを停止表示させる（図４１（Ｃ）〜図４１（Ｈ））。換言すると、停止時機報知画像５１ｃとして「３」を表示した後、停止時機報知画像５１ｃとして「２」を表示するまでの期間と、停止時機報知画像５１ｃとして「２」を表示した後、停止時機報知画像５１ｃとして「１」を表示するまでの期間と、停止時機報知画像５１ｃとして「１」を表示した後、左・中・右の装飾図柄５０ａ，５０ｂ，５０ｃの全てを停止表示させるまでの期間と、が略同一期間である。この実施の形態では、前記同一期間が任意の秒数に設定され、この場合に、前記同一期間を「１秒」とすることで、停止時機報知画像５１ｃにより左・中・右の装飾図柄５０ａ，５０ｂ，５０ｃの全てを停止表示させるまでの正確な残り時間を報知するようにしてもよい。この場合には、１秒未満の秒数をリアルタイムに表示するようにしてもよい。
【０３１６】
なお、この実施の形態では、停止時機報知画像５１ｃとして「３」、「２」、「１」と順次表示制御することによりカウントダウンし、左・中・右の装飾図柄５０ａ，５０ｂ，５０ｃが停止表示されるタイミングを報知する構成としているが、これに限らず、停止時機報知画像５１ｃとして「１」、「２」、「３」を順次表示制御することによりカウントアップし、左・中・右の装飾図柄５０ａ，５０ｂ，５０ｃが停止表示されるタイミングを報知する構成としてもよい。また、この実施の形態では、停止時機報知画像５１ｃとして数字を示す態様を表示することにより左・中・右の装飾図柄５０ａ，５０ｂ，５０ｃが停止表示されるタイミングを報知する構成としているが、停止時機報知画像５１ｃは、視認することにより左・中・右の装飾図柄５０ａ，５０ｂ，５０ｃが停止表示されるタイミングを把握可能な態様であれば何でもよい。例えば、停止時機報知画像５１ｃとして、導火線を備えた爆弾を液晶表示装置５０に表示制御し、導火線に火を付けてから爆弾が爆発するまでの態様を表示制御するようにしてもよく、この場合には、左・中・右の装飾図柄５０ａ，５０ｂ，５０ｃを停止表示するときに爆弾を爆発させるようにしてもよい。
【０３１７】
上述したように、変動番号４７の「カウントダウン当り」は、確率変動状態または時短状態にて大当りとする判定がなされた場合に使用される変動表示パターンである。換言すると、変動番号４７にもとづく変動表示が実行されたときには、大当り遊技状態となることが確定している。また、確率変動状態および時短状態においては、リーチ態様を伴わないはずれとする判定がなされた場合には、変動時間が短い変動番号２４の「短縮変動」にもとづく変動表示が実行される。上述したように、確率変動状態において大当り遊技状態となる確率は４９０分の１、時短状態および通常状態において大当り遊技状態となる確率は７０分の１、である。そのため、液晶表示装置５０にて実行される変動表示の殆どが大当り遊技状態とならない変動表示である。また、上述したように、大当り遊技状態とならないと判定されたときに、リーチ態様を伴うはずれとする判定がなされる確率は１２．５分の１であるため、液晶表示装置５０にて実行される変動表示の殆どがリーチ態様を伴わないはずれとなる変動表示である。また、時短状態および確率変動状態にて通常状態よりもリーチ確率を低確率にした場合には、時短状態および確率変動状態にて大当り遊技状態とならないと判定されたときに、短縮変動が実行される割合が高まり、液晶表示装置５０にて実行される変動表示の殆どが短縮変動である。
【０３１８】
すなわち、各遊技状態にて、液晶表示装置５０にて実行される変動表示の殆どがリーチ態様を伴わないはずれとなる変動表示（この実施の形態では、通常状態における変動番号１の「通常変動」、確率変動状態および時短状態における変動番号２４の「短縮変動」）である。そのため、確率変動状態および時短状態では、変動番号２４の「短縮変動」にもとづく短い変動時間の変動表示が連続して実行される。また、上述したリーチ態様を伴う変動表示パターンでは、変動時間が比較的長く設定され、左・中・右の装飾図柄５０ａ，５０ｂ，５０ｃ各々を停止表示させる態様（停止表示させるときの変動速度の減速態様等）が変動番号２４の「短縮変動」とは異なる。そのため、遊技者は、左装飾図柄５０ａが停止表示する態様を視認してリーチ態様を伴う変動表示でないと判別した場合には、液晶表示装置５０にて実行される変動表示に対する興味が失われる虞がある。
【０３１９】
また、リーチ態様を伴う変動表示パターンにて左・中・右の装飾図柄５０ａ，５０ｂ，５０ｃ各々を停止表示させる態様（停止表示させるときの変動速度の減速態様等）が変動番号２４の「短縮変動」とは異ならない場合であっても、最初に停止表示させる装飾図柄（この実施の形態では、左装飾図柄５０ａ）と残り１つの装飾図柄が変動表示している状態を発生させるときに停止表示させる草食図柄（この実施の形態では、右装飾図柄５０ｃ）とが同一の図柄（同一情報の図柄）でない場合には、液晶表示装置５０にて実行される変動表示に対する興味が失われる虞がある。
【０３２０】
この実施の形態では、変動番号２４の「短縮変動」と略同様の変動表示を実行して左・中・右の装飾図柄５０ａ，５０ｂ，５０ｃ各々を略同時に停止表示して大当り図柄を導出するため、確率変動状態および時短状態にて最も多く実行される変動番号２４の「短縮変動」が実行された場合にも大当り遊技状態に対する期待を抱かせることができる。
【０３２１】
図４２（Ａ）は、変動番号４７の「カウントダウン当り」にもとづく変動表示のタイムチャートであり、図４２（Ｂ）は、変動番号２４の「短縮変動」にもとづく変動表示のタイムチャートである。
【０３２２】
図４２（Ａ）に示すように、変動番号４７の「カウントダウン当り」にもとづく変動表示では、変動表示を開始してからの経過時間が所定期間になったときに左・中・右の装飾図柄５０ａ，５０ｂ，５０ｃ各々を略同時に停止表示する。そして、所定期間揺れ変動（上下および／または左右に小刻みに揺れて完全には停止表示していない状態）を実行した後、確定表示（全ての装飾図柄を完全に停止表示した状態：変動時間が経過した状態）する。なお、変動番号４７の「カウントダウン当り」にもとづく変動表示にて揺れ変動を実行している期間では、背景画像５１ａの山が噴火した態様が表示制御される。
【０３２３】
一方、変動番号２４の「短縮変動」にもとづく変動表示では、図４２（Ｂ）に示すように、変動表示を開始してからの経過時間が所定期間になったときに左装飾図柄５０ａ、右装飾図柄５０ｃ、中装飾図柄５０ｂを順次停止表示する。そして、中装飾図柄５０ｂを停止表示したときに確定表示する。
【０３２４】
ここで、変動番号４７の「カウントダウン当り」にもとづく変動表示を実行して左・中・右の装飾図柄５０ａ，５０ｂ，５０ｃ各々を停止表示（確定表示ではない）するタイミング（左・中・右の装飾図柄５０ａ，５０ｂ，５０ｃの変動表示を開始してからの経過時間）と、変動番号２４の「短縮変動」にもとづく変動表示を実行して左・中・右の装飾図柄５０ａ，５０ｂ，５０ｃを確定表示するタイミングと、は一致（完全に一致していなくてもよい）している。そのため、遊技者は、変動番号４７の「カウントダウン当り」にもとづく変動表示が実行されているか、変動番号２４の「短縮変動」にもとづく変動表示が実行されているか、を判別することが困難である。
【０３２５】
これらは、上述した停止時機報知画像５１ｃが表示制御されるか否かにより判別可能となる。そのため、短い変動時間の変動表示が実行された場合にも液晶表示装置５０の表示内容に注目させることができる。また、従来のパチンコ機１では、左装飾図柄５０ａが停止表示する態様を視認してリーチ態様ではないと判別した時点で大当り遊技状態に対する期待感が失われることになるが、本発明では、停止時機報知画像５１ｃが表示制御されるタイミングを正確に把握することが困難であるとともに、遊技者が識別可能な状態でリーチ態様を形成することなく停止表示させ、さらに、変動番号２４の「短縮変動」により４秒（図３７参照）という短い変動時間で変動表示を実行するため、停止時機報知画像５１ｃが表示制御されるか否かおよび／またはリーチ態様が形成されるか否かに注目して液晶表示装置５０を視認している間に変動表示が終了する。これにより、確率変動状態および時短状態にてリーチ態様を伴わないはずれとなる場合に実行される変動番号２４の「短縮変動」が実行されたときにも大当り遊技状態に対する期待感を抱かせることができ、液晶表示装置５０の表示内容に注目させることができる。
【０３２６】
なお、この実施の形態では、変動番号４７の「カウントダウン当り」にもとづく変動表示では、左・中・右の装飾図柄５０ａ，５０ｂ，５０ｃを略同時（完全に同時でもよいし、完全に同時でなくてもよい）に停止表示させるが、所定の順序（この実施の形態では、左装飾図柄５０ａ→右装飾図柄５０ｃ→中装飾図柄５０ｂの順序）で短期間（例えば、０．５秒以下）に連続して順次停止表示させるようにしてもよい。例えば、図４２（Ｂ）に示す変動番号２４の「短縮変動」と完全に同一の変動表示を実行して左・中・右の装飾図柄５０ａ，５０ｂ，５０ｃを順次停止表示させた後、所定期間に亘って揺れ変動表示して確定表示するように構成してもよい。
【０３２７】
このように、左・中・右の装飾図柄５０ａ，５０ｂ，５０ｃを略同時に停止表示させることにより、高速で変動表示する左・中・右の装飾図柄５０ａ，５０ｂ，５０ｃが停止表示されるまでは装飾図柄を識別不能となるため、リーチ態様となったか否かも識別不能となる。そのため、液晶表示装置５０にて変動表示する左・中・右の装飾図柄５０ａ，５０ｂ，５０ｃによりリーチ態様が形成されなかったことが把握されたときに、その時点で装飾図柄の変動表示に対する興味が失われることを防止できる。すなわち、実施形態では、変動番号４７の変動表示パターンにより大当りとなる場合にのみ停止時機報知表示５０ｃを表示制御して左・中・右の装飾図柄５０ａ，５０ｂ，５０ｃを略同時に停止表示させるが、リーチはずれ表示結果とならないはずれとなる「カウントダウンはずれ」の変動表示パターンやリーチはずれ表示結果となるとなる「カウントダウンリーチはずれ」の変動表示パターンを設け、停止時機報知表示５０ｃを表示制御した後に、左・中・右の装飾図柄５０ａ，５０ｂ，５０ｃを略同時に停止表示させるように構成してもよく、この場合にも左・中・右の装飾図柄５０ａ，５０ｂ，５０ｃの停止図柄を予測不能であるため、少なくとも左・中・右の装飾図柄５０ａ，５０ｂ，５０ｃが停止表示されるまでは興趣を維持させることができる。なお、リーチはずれ表示結果とは、上述したリーチ態様にて変動表示している残りの装飾図柄が他の装飾図柄とは異なる装飾図柄で停止表示した状態の停止図柄の組み合わせである。具体的には、この実施の形態では、左装飾図柄５０ａおよび右装飾図柄５０ｃが同一の装飾図柄で停止表示し、中装飾図柄５０ｂが左装飾図柄５０ａおよび右装飾図柄５０ｃとは異なる装飾図柄で停止表示した停止図柄をリーチはずれ表示結果という。
【０３２８】
また、この実施の形態では、停止時機報知画像５１ｃを表示制御した後、変動表示している左・中・右の装飾図柄５０ａ，５０ｂ，５０ｃを大当り図柄で停止表示させる。すなわち、停止時機報知画像５１ｃが表示制御されたときには大当り遊技状態となることが決定されている。そのため、停止時機報知画像５１ｃは大当り図柄で停止表示されることを告知する大当り図柄停止告知画像でもある。例えば、大当り図柄停止告知画像として、「大当りゲット！」や「大当り確定！」等の視覚情報を表示制御するように構成してもよい。この場合には、大当り図柄停止告知画像を視認することにより大当り図柄が導出されることを把握可能であるため、大当り図柄停止告知画像が表示制御されたときに至福感をもたらすことができる。また、大当りとなる場合に確変大当り図柄を導出する場合には、「確変ゲット！」や「確変大当り確定！」等の特別な大当り図柄停止告知画像を表示制御するようにしてもよい。この場合には、大当り遊技状態終了後に通常状態よりも遊技者にとって有利な確率変動状態に制御されることを把握できるため、特別な大当り図柄停止告知画像が表示制御されたときに至上の至福感をもたらすことができる。
【０３２９】
なお、この実施の形態では、大当り遊技状態に制御するときにのみ左・中・右の装飾図柄５０ａ，５０ｂ，５０ｃ各々の変動表示を開始して、停止時機報知画像５１ｃを表示制御した後、左・中・右の装飾図柄５０ａ，５０ｂ，５０ｃ各々を大当り図柄で略同時に停止表示させるが、大当り遊技状態に制御しないときにも停止時機報知画像５１ｃを表示制御した後、左・中・右の装飾図柄５０ａ，５０ｂ，５０ｃ各々をはずれ図柄で略同時に停止表示させるようにしてもよい。この場合には、確率変動状態および時短状態にて短縮変動が実行されたときに停止時機報知画像５１ｃが表示制御されるか否かに注目させることができるだけでなく、停止時機報知画像５１ｃが表示制御されたときにもいずれの停止図柄で停止表示されるかを把握することが困難になるため、左・中・右の装飾図柄５０ａ，５０ｂ，５０ｃが停止表示するまで液晶表示装置５０に注目させることができ、遊技に対する興趣の低下を抑制できる。
【０３３０】
また、この実施の形態では、遊技者が各々の装飾図柄を識別不能な変動表示を実行して停止時機報知画像５０ｃを表示した後に、遊技者が各々の装飾図柄を識別可能な変動表示を実行することなく左・中・右の装飾図柄５０ａ，５０ｂ，５０ｃを略同時に停止表示させることにより、変動時間を短縮させることが可能である。すなわち、遊技者が各々の装飾図柄を識別可能な変動表示を実行する期間を省くことができるため、短い変動時間で変動表示を実行する場合に有効であり、さらに、短縮変動と略同等の期間で左・中・右の装飾図柄各々を停止表示させるため、所定期間内にて装飾図柄および特別図柄の変動表示の実行回数を増加させることにより遊技者に所定の利益価値を付与する時短状態および確率変動状態において装飾図柄および特別図柄の変動表示の実行回数を減少させることなく変動表示を実行可能であり、時短状態および確率変動状態にて遊技者の利益価値の低下を抑止可能である。なお、本発明では、遊技者が各々の装飾図柄を識別不能な変動表示を実行して停止時機報知画像５０ｃを表示した後に、遊技者が各々の装飾図柄を識別可能な変動表示を実行することなく左・中・右の装飾図柄５０ａ，５０ｂ，５０ｃを略同時に停止表示させることにより、意外性のある演出を実行できるとともに遊技者にインパクトを与えることができる。また、左・中・右の装飾図柄５０ａ，５０ｂ，５０ｃを停止表示させるまでは装飾図柄が識別不能であるため、停止図柄を予測することが困難になり、少なくとも左・中・右の装飾図柄５０ａ，５０ｂ，５０ｃを停止表示させるまでは興趣を維持できるという効果がある。ゆえに、短い変動時間で変動表示が実行される確率変動状態および時短状態以外の状態である通常状態においても有効である。具体的には、変動番号１の「通常変動」と同様の変動表示を実行して停止時機報知画像５０ｃを表示した後に、左・中・右の装飾図柄５０ａ，５０ｂ，５０ｃを略同時に停止表示させるようにしてもよい。この場合には、通常変動にて左・中・右の装飾図柄５０ａ，５０ｂ，５０ｃが停止表示される時間と略同時期に左・中・右の装飾図柄５０ａ，５０ｂ，５０ｃを停止表示させればよく、確定表示（変動時間が経過した状態）でなくてもよい。このように構成することにより、通常状態にて通常変動が実行された場合であっても大当り遊技状態への期待感を抱かせることができ、液晶表示装置５０に注目させることができるため、興趣の低下を抑制できる。
【０３３１】
以上、本発明では、左・中・右の装飾図柄５０ａ，５０ｂ，５０ｃの態様が識別不能に変動表示して、左・中・右の装飾図柄５０ａ，５０ｂ，５０ｃが停止表示されるタイミングを報知するとともに、左・中・右の装飾図柄５０ａ，５０ｂ，５０ｃを停止表示するときに略同時に停止表示させるため、意外性のある演出を実行でき、遊技者にインパクトを与えることができる。また、確率変動状態および時短状態にてリーチ態様を伴わないはずれとなるときに実行される短縮変動と略同様の変動表示を実行して、大当り図柄を導出するため、確率変動状態および時短状態にて短縮変動が実行された場合にも大当り遊技状態に対する期待感を抱かせることができ、遊技に対する興趣の低下を抑止できる。
【図面の簡単な説明】
【０３３２】
【図１】パチンコ機の正面図である。
【図２】パチンコ機の前面枠や本体枠を開放した状態を示す斜視図である。
【図３】遊技盤の正面図である。
【図４】遊技盤の分解斜視図である。
【図５】演出装置の分解斜視図である。
【図６】演出装置の左側縁部および下縁部を部分的に示した図である。
【図７】球誘導部材による遊技球の誘導態様を説明するための図である。
【図８】球誘導部材による遊技球の誘導態様を説明するための図である。
【図９】図７，８中、ＩＸ−ＩＸ線に沿う断面図である。
【図１０】球誘導部材の着脱作業を説明するための図である。
【図１１】パチンコ機の制御に関する構成を表すブロック図である。
【図１２】演出装置を単独で示した正面図である。
【図１３】図１２中、ＸIII−ＸIII線に沿う断面図（遊技板を含む）である。
【図１４】図１２中、ＸIV−ＸIV線に沿う断面図である。
【図１５】内部装飾体と球誘導部材との配置関係を示した正面図である。
【図１６】装飾領域の配置を具体的に示した正面図である。
【図１７】遊技盤の上部分を示した正面図である。
【図１８】図１７中、ＸVIII−ＸVIII線に沿う遊技盤の断面図である。
【図１９】遊技盤の上部分を左斜め下の角度から見上げた斜視図である。
【図２０】遊技盤の上部分を右斜め下の角度から見上げた斜視図である。
【図２１】可動装飾体の作動状態を示した正面図である。
【図２２】後部ユニット（インナケーシング）の背面図である。
【図２３】可動装飾体の分解斜視図である。
【図２４】図２３とは異なる方向からみた可動装飾体の分解斜視図である。
【図２５】可動装飾体の正面図および背面図である。
【図２６】図２５中、Ｚ−Ｚ線に沿う断面図である。
【図２７】配線孔の配置を示した後部ユニットの正面図である。
【図２８】主基板に搭載されるＣＰＵにより実行されるメイン処理を示すフローチャートである。
【図２９】主基板に搭載されるＣＰＵにより実行される電源断発生時処理を示すフローチャートである。
【図３０】主基板に搭載されるＣＰＵにより実行されるタイマ割込処理を示すフローチャートである。
【図３１】主基板に搭載されるＣＰＵにより更新される乱数を示す一覧表図である。
【図３２】主基板に搭載されるＣＰＵにより実行される遊技処理を示すフローチャートである。
【図３３】遊技処理における変動開始処理を示すフローチャートである。
【図３４】変動開始処理における大当り判定処理を示すフローチャートである。
【図３５】遊技処理における変動表示パターン設定処理を示すフローチャートである。
【図３６】通常状態にて使用される変動表示パターンテーブルの一例を示す説明図である。
【図３７】確率変動状態および時短状態にて使用される変動表示パターンテーブルの一例を示す説明図である。
【図３８】サブ統合基板に搭載される統合ＣＰＵにより実行されるメイン処理を示すフローチャートである。
【図３９】サブ統合基板に搭載される統合ＣＰＵにより実行される１６ｍｓタイマ割込処理を示すフローチャートである。
【図４０】１６ｍｓタイマ割込処理における演出制御処理を示すフローチャートである。
【図４１】液晶表示装置にて時候される演出態様の一例を示す説明図である。
【図４２】タイムチャートの一例である。
【符号の説明】
【０３３３】
１    パチンコ機
３    本体枠
４    遊技盤
４ａ  遊技板
４ｂ  貫通穴
５    前面枠
８    前枠体
９    遊技盤装着枠
１０    機構装着枠
１２    遊技領域
４２    演出装置
４２ａ  前部ユニット
４２ｂ  後部ユニット
４２ｓ  係合片
４２ｈ  係合孔
４４ａ，４４ｂ，４４ｃ  可動装飾体
４６    装飾部材
４８    発光領域
４８ａ  光拡散部材
６８ａ  係合片
６８ｂ  係合片
７０    球誘導部材
７２    球誘導部材
７４    内部装飾体
８０    上段ステージ
８０ａ  窪み部
８２    中段ステージ
８４    下段ステージ
８６    着脱経路
８８    導光通路
９０    導光部材
９０ａ  仕切壁
９２    ＬＥＤ
１４７  特図始動記憶ランプ
２０８  ハーネス線束
２１０  粘着テープ片
２１２ａ，２１２ｂ，２１２ｃ  配線孔
【図１】
2006320654.tif 000003
【図２】
2006320654.tif 000004
【図３】
2006320654.tif 000005
【図４】
2006320654.tif 000006
【図５】
2006320654.tif 000007
【図６】
2006320654.tif 000008
【図７】
2006320654.tif 000009
【図８】
2006320654.tif 000010
【図９】
2006320654.tif 000011
【図１０】
2006320654.tif 000012
【図１１】
2006320654.tif 000013
【図１２】
2006320654.tif 000014
【図１３】
2006320654.tif 000015
【図１４】
2006320654.tif 000016
【図１５】
2006320654.tif 000017
【図１６】
2006320654.tif 000018
【図１７】
2006320654.tif 000019
【図１８】
2006320654.tif 000020
【図１９】
2006320654.tif 000021
【図２０】
2006320654.tif 000022
【図２１】
2006320654.tif 000023
【図２２】
2006320654.tif 000024
【図２３】
2006320654.tif 000025
【図２４】
2006320654.tif 000026
【図２５】
2006320654.tif 000027
【図２６】
2006320654.tif 000028
【図２７】
2006320654.tif 000029
【図２８】
2006320654.tif 000030
【図２９】
2006320654.tif 000031
【図３０】
2006320654.tif 000032
【図３１】
2006320654.tif 000033
【図３２】
2006320654.tif 000034
【図３３】
2006320654.tif 000035
【図３４】
2006320654.tif 000036
【図３５】
2006320654.tif 000037
【図３６】
2006320654.tif 000038
【図３７】
2006320654.tif 000039
【図３８】
2006320654.tif 000040
【図３９】
2006320654.tif 000041
【図４０】
2006320654.tif 000042
【図４２】
2006320654.tif 000043
【図４１】
2006320654.tif 000044